(57)【要約】  本発明は、ＡＣＫ/ＮＡＣＫのフィードバック方法及び関連装置を提供し、異なるＴＴＩ長を有するデータに要求される異なる送信及び処理遅延が存在するため、最も早くＡＣＫ/ＮＡＣＫフィードバックを行うことができる時間位置が異なるようになり、ウンリンク伝送のＡＣＫ/ＮＡＣＫを正常にフィードバックすることが確保できない問題を解決する。前記方法において、端末は、第１物理ダウンリンク制御チャネルを受信し、前記第１物理ダウンリンク制御チャネルのダウンリンク制御情報に第１指示フィールドが含まれ、前記第１指示フィールドは、ＡＣＫ/ＮＡＣＫフィードバック情報の時間領域位置を確定するためのものであり、前記端末は、前記第１指示フィールドに従って、前記第１物理ダウンリンク制御チャネルまたは前記第１物理ダウンリンク制御チャネルに対応する第１物理ダウンリンク共有チャネルのＡＣＫ/ＮＡＣＫフィードバック情報の時間領域位置を確定し、前記ＡＣＫ/ＮＡＣＫフィードバック情報の時間領域位置において、前記ＡＣＫ/ＮＡＣＫフィードバック情報を伝送する。【選択図】図３Ａ
2019509699.tif 000002
【特許請求の範囲】
【請求項１】
端末は、第１物理ダウンリンク制御チャネルを受信するステップと、
前記端末は、前記第１指示フィールドに従って、前記第１物理ダウンリンク制御チャネルまたは前記第１物理ダウンリンク制御チャネルに対応する第１物理ダウンリンク共有チャネルのＡＣＫ/ＮＡＣＫフィードバック情報の時間領域位置を確定し、前記ＡＣＫ/ＮＡＣＫフィードバック情報の時間領域位置において、前記ＡＣＫ/ＮＡＣＫフィードバック情報を伝送するステップとを備え、
前記第１物理ダウンリンク制御チャネルのダウンリンク制御情報ＤＣＩに第１指示フィールドが含まれ、前記第１指示フィールドは、ＡＣＫ/ＮＡＣＫフィードバック情報の時間領域位置を確定するためのものであることを特徴とするＡＣＫ/ＮＡＣＫのフィードバック方法。
【請求項２】
前記第１指示フィールドは、ＡＣＫ/ＮＡＣＫフィードバック情報を伝送することができるＫ個の時間領域位置を示し、前記Ｋは正整数であることを特徴とする請求項１に記載のＡＣＫ/ＮＡＣＫのフィードバック方法。
【請求項３】
2019509699.tif 000023
【請求項４】
前記第１指示フィールドは、前記ＡＣＫ/ＮＡＣＫフィードバック情報を伝送する時間領域位置が所在する無線フレームまたはハーフフレームまたはサブフレームまたはスロットまたはＴＴＩまたはマイクロタイムスロットまたはシンボルの、位置を示すことを特徴とする請求項１に記載のＡＣＫ/ＮＡＣＫのフィードバック方法。
【請求項５】
前記端末は、第１ＴＴＩ長及び/または第２ＴＴＩ長に基づき、前記第１指示フィールドにより示される、ＡＣＫ/ＮＡＣＫフィードバック情報の時間領域位置が所在する無線フレームまたはハーフフレームまたはサブフレームまたはスロットまたはマイクロタイムスロットまたはシンボルの、位置を確定するステップをさらに備え、
前記第１ＴＴＩ長は、前記第１物理ダウンリンク制御チャネル及び/または前記第１物理ダウンリンク制御チャネルに対応する第１物理ダウンリンク共有チャネルのＴＴＩ長であり、前記第２ＴＴＩ長は、予め設定されたかまたは約定された、ＡＣＫ/ＮＡＣＫフィードバック情報の時間領域位置を確定するためのＴＴＩ長であることを特徴とする請求項１に記載のＡＣＫ/ＮＡＣＫのフィードバック方法。
【請求項６】
前記端末は、前記第１物理ダウンリンク制御チャネルを伝送するサブフレーム番号及び/またはＴＴＩ番号及び/またはシンボル番号及び/またはスロット番号及び/またはマイクロタイムスロット番号、及び前記第１指示フィールドにより示される、ＡＣＫ/ＮＡＣＫフィードバック情報の時間領域位置のサブフレーム番号及び/またはＴＴＩ番号及び/またはシンボル番号及び/またはスロット番号及び/またはマイクロタイムスロット番号の大小順または前後順に基づき、前記第１指示フィールドにより示される、ＡＣＫ/ＮＡＣＫフィードバック情報の時間領域位置が所在する無線フレームまたはハーフフレームまたはサブフレームまたはＴＴＩまたはスロットまたはマイクロタイムスロットまたはシンボルの位置を、確定するステップをさらに備えることを特徴とする請求項１に記載のＡＣＫ/ＮＡＣＫのフィードバック方法。
【請求項７】
前記ＡＣＫ/ＮＡＣＫフィードバック情報の時間領域位置は以下方式のうちの１つまたはこれらの組み合わせであり、
前記ＡＣＫ/ＮＡＣＫフィードバック情報の時間領域位置が所在する無線フレームは、前記第１物理ダウンリンク制御チャネルまたは前記第１物理ダウンリンク制御チャネルに対応する第１物理ダウンリンク共有チャネルを伝送する無線フレームであるか、または、前記第１物理ダウンリンク制御チャネルまたは前記第１物理ダウンリンク制御チャネルに対応する第１物理ダウンリンク共有チャネルを伝送する無線フレームの以後のｎ１番目の無線フレームであり、前記ｎ１は正整数であり、
前記ＡＣＫ/ＮＡＣＫフィードバック情報の時間領域位置が所在するハーフフレームは、前記第１物理ダウンリンク制御チャネルまたは前記第１物理ダウンリンク制御チャネルに対応する第１物理ダウンリンク共有チャネルを伝送するハーフフレームであるか、または、前記第１物理ダウンリンク制御チャネルまたは前記第１物理ダウンリンク制御チャネルに対応する第１物理ダウンリンク共有チャネルを伝送するハーフフレームの以後のｎ２番目のハーフフレームであり、前記ｎ２は正整数であり、
前記ＡＣＫ/ＮＡＣＫフィードバック情報の時間領域位置が所在するサブフレームは、前記第１物理ダウンリンク制御チャネルまたは前記第１物理ダウンリンク制御チャネルに対応する第１物理ダウンリンク共有チャネルを伝送するサブフレームであるか、または、前記第１物理ダウンリンク制御チャネルまたは前記第１物理ダウンリンク制御チャネルに対応する第１物理ダウンリンク共有チャネルを伝送するサブフレームの以後のｎ３番目のサブフレームであり、前記ｎ３は正整数であり、
前記ＡＣＫ/ＮＡＣＫフィードバック情報の時間領域位置が所在するスロットは、前記第１物理ダウンリンク制御チャネルまたは前記第１物理ダウンリンク制御チャネルに対応する第１物理ダウンリンク共有チャネルを伝送するスロットであるか、または、前記第１物理ダウンリンク制御チャネルまたは前記第１物理ダウンリンク制御チャネルに対応する第１物理ダウンリンク共有チャネルを伝送するスロットの以後のｎ４番目のスロットであり、前記ｎ４は正整数であり、
前記ＡＣＫ/ＮＡＣＫフィードバック情報の時間領域位置が所在するマイクロタイムスロットは、前記第１物理ダウンリンク制御チャネルまたは前記第１物理ダウンリンク制御チャネルに対応する第１物理ダウンリンク共有チャネルを伝送するマイクロタイムスロットであるか、または、前記第１物理ダウンリンク制御チャネルまたは前記第１物理ダウンリンク制御チャネルに対応する第１物理ダウンリンク共有チャネルを伝送するマイクロタイムスロットの以後のｎ５番目のマイクロタイムスロットであり、前記ｎ５は正整数であり、
前記ＡＣＫ/ＮＡＣＫフィードバック情報の時間領域位置が所在するＴＴＩは、前記第１物理ダウンリンク制御チャネルまたは前記第１物理ダウンリンク制御チャネルに対応する第１物理ダウンリンク共有チャネルを伝送するＴＴＩであるか、または、前記第１物理ダウンリンク制御チャネルまたは前記第１物理ダウンリンク制御チャネルに対応する第１物理ダウンリンク共有チャネルを伝送するＴＴＩの以後のｎ６番目個のＴＴＩであり、前記ｎ６は正整数であり、
前記ＡＣＫ/ＮＡＣＫフィードバック情報の時間領域位置が所在するシンボルは、前記第１物理ダウンリンク制御チャネルまたは前記第１物理ダウンリンク制御チャネルに対応する第１物理ダウンリンク共有チャネルを伝送するシンボルであるか、または、前記第１物理ダウンリンク制御チャネルまたは前記第１物理ダウンリンク制御チャネルに対応する第１物理ダウンリンク共有チャネルを伝送するシンボルの以後のｎ７番目のシンボルであり、前記ｎ７は正整数であることを特徴とする請求項４ないし請求項６のいずれか１項に記載のＡＣＫ/ＮＡＣＫのフィードバック方法。
【請求項８】
前記第１指示フィールドは、前記ＡＣＫ/ＮＡＣＫフィードバック情報の伝送に占有すべき１番目のシンボルの位置を示し、前記ＡＣＫ/ＮＡＣＫフィードバック情報は、前記１番目のシンボルを起点とする連続Ａ個のアップリンクシンボルを占有し、前記Ａは正整数であり、または、
前記第１指示フィールドは、前記ＡＣＫ/ＮＡＣＫフィードバック情報の伝送に占有すべき１番目のＴＴＩの位置を示し、前記ＡＣＫ/ＮＡＣＫフィードバック情報は、前記１番目のＴＴＩを起点とする連続Ａ個のアップリンクＴＴＩを占有し、または、
前記第１指示フィールドは、前記ＡＣＫ/ＮＡＣＫフィードバック情報の伝送に占有すべき１番目のスロットの位置を示し、前記ＡＣＫ/ＮＡＣＫフィードバック情報は、前記１番目のスロットを起点とする連続Ａ個のスロットを占有し、または、
前記第１指示フィールドは、前記ＡＣＫ/ＮＡＣＫフィードバック情報の伝送に占有すべき１番目のマイクロタイムスロットの位置を示し、前記ＡＣＫ/ＮＡＣＫフィードバック情報は、前記１番目のマイクロタイムスロットを起点とする連続Ａ個のマイクロタイムスロットを占有し、または、
前記第１指示フィールドは、前記ＡＣＫ/ＮＡＣＫフィードバック情報の伝送に占有すべき１番目のサブフレームの位置を示し、前記ＡＣＫ/ＮＡＣＫフィードバック情報は、前記１番目のサブフレームを起点とする連続Ａ個のサブフレームを占有することを特徴とする請求項１ないし請求項３のいずれか１項に記載のＡＣＫ/ＮＡＣＫのフィードバック方法。
【請求項９】
前記端末が複数の前記第１物理ダウンリンク制御チャネルの第１指示フィールドそれぞれに基づいて確定したＡＣＫ/ＮＡＣＫフィードバック情報の時間領域位置が同様であれば、前記端末が、前記ＡＣＫ/ＮＡＣＫフィードバック情報の時間領域位置において、前記ＡＣＫ/ＮＡＣＫフィードバック情報を伝送する場合、
前記端末は、前記複数の前記第１物理ダウンリンク制御チャネルのＤＣＩに含まれるダウンリンク割り当てインデックス（ＤＡＩ）指示フィールドに基づき、前記複数の前記第１物理ダウンリンク制御チャネルのうちの各々第１物理ダウンリンク制御チャネルまたは各々第１物理ダウンリンク制御チャネルに対応する第１物理ダウンリンク共有チャネルのＡＣＫ/ＮＡＣＫフィードバック情報をカスケードした後、前記ＡＣＫ/ＮＡＣＫフィードバック情報の時間領域位置において伝送することを特徴とする請求項１に記載のＡＣＫ/ＮＡＣＫのフィードバック方法。
【請求項１０】
前記時間領域位置は、サブフレーム番号及び/またはシンボル番号及び/またはＴＴＩ番号及び/またはスロット番号及び/またはマイクロタイムスロット番号であることを特徴とする請求項１ないし請求項６及び請求項９のいずれか１項に記載のＡＣＫ/ＮＡＣＫのフィードバック方法。
【請求項１１】
基地局は、端末に第１物理ダウンリンク制御チャネルを送信するステップと、
前記基地局は、前記第１指示フィールドに基づいて確定されたＡＣＫ/ＮＡＣＫフィードバック情報の時間領域位置において、前記端末からフィードバックされた前記第１物理ダウンリンク制御チャネルまたは前記第１物理ダウンリンク制御チャネルに対応する第１物理ダウンリンク共有チャネルのＡＣＫ/ＮＡＣＫフィードバック情報を、受信するステップとを備え、
前記第１物理ダウンリンク制御チャネルのダウンリンク制御情報ＤＣＩに第１指示フィールドが含まれ、前記第１指示フィールドは、ＡＣＫ/ＮＡＣＫフィードバック情報の時間領域位置を確定するためのものであることを特徴とするＡＣＫ/ＮＡＣＫのフィードバック方法。
【請求項１２】
前記第１指示フィールドは、ＡＣＫ/ＮＡＣＫフィードバック情報を伝送することができるＫ個の時間領域位置を示し、前記Ｋは正整数であることを特徴とする請求項１１に記載のＡＣＫ/ＮＡＣＫのフィードバック方法。
【請求項１３】
2019509699.tif 000024
【請求項１４】
前記第１指示フィールドは、前記ＡＣＫ/ＮＡＣＫフィードバック情報を伝送する時間領域位置が所在する無線フレームまたはハーフフレームまたはサブフレームまたはスロットまたはＴＴＩまたはマイクロタイムスロットまたはシンボルの、位置を示すことを特徴とする請求項１１に記載のＡＣＫ/ＮＡＣＫのフィードバック方法。
【請求項１５】
前記基地局第１ＴＴＩ長及び/または第２ＴＴＩ長に基づき、前記第１指示フィールドにより示される、ＡＣＫ/ＮＡＣＫフィードバック情報の時間領域位置が所在する無線フレームまたはハーフフレームまたはサブフレームまたはスロットまたはマイクロタイムスロットまたはシンボルの、位置を確定するステップをさらに備え、
前記第１ＴＴＩ長は、前記第１物理ダウンリンク制御チャネル及び/または前記第１物理ダウンリンク制御チャネルに対応する第１物理ダウンリンク共有チャネルのＴＴＩ長であり、前記第２ＴＴＩ長は、予め設定されたかまたは約定された、ＡＣＫ/ＮＡＣＫフィードバック情報の時間領域位置を確定するためのＴＴＩ長であることを特徴とする請求項１１に記載のＡＣＫ/ＮＡＣＫのフィードバック方法。
【請求項１６】
前記基地局前記第１物理ダウンリンク制御チャネルを伝送するサブフレーム番号及び/またはＴＴＩ番号及び/またはシンボル番号及び/またはスロット番号及び/またはマイクロタイムスロット番号、及び、前記第１指示フィールドにより示される、ＡＣＫ/ＮＡＣＫフィードバック情報の時間領域位置のサブフレーム番号及び/またはＴＴＩ番号及び/またはシンボル番号及び/またはスロット番号及び/またはマイクロタイムスロット番号の大小順または前後順に基づき、前記第１指示フィールドにより示される、ＡＣＫ/ＮＡＣＫフィードバック情報の時間領域位置が所在する無線フレームまたはハーフフレームまたはサブフレームまたはＴＴＩまたはスロットまたはマイクロタイムスロットまたはシンボルの位置を、確定するステップをさらに備えることを特徴とする請求項１１に記載のＡＣＫ/ＮＡＣＫのフィードバック方法。
【請求項１７】
前記ＡＣＫ/ＮＡＣＫフィードバック情報の時間領域位置は以下方式のうちの１つまたはこれらの組み合わせであり、
前記ＡＣＫ/ＮＡＣＫフィードバック情報の時間領域位置が所在する無線フレームは、前記第１物理ダウンリンク制御チャネルまたは前記第１物理ダウンリンク制御チャネルに対応する第１物理ダウンリンク共有チャネルを伝送する無線フレームであるか、または、前記第１物理ダウンリンク制御チャネルまたは前記第１物理ダウンリンク制御チャネルに対応する第１物理ダウンリンク共有チャネルを伝送する無線フレームの以後のｎ１番目の無線フレームであり、前記ｎ１は正整数であり、
前記ＡＣＫ/ＮＡＣＫフィードバック情報の時間領域位置が所在するハーフフレームは、前記第１物理ダウンリンク制御チャネルまたは前記第１物理ダウンリンク制御チャネルに対応する第１物理ダウンリンク共有チャネルを伝送するハーフフレームであるか、または、前記第１物理ダウンリンク制御チャネルまたは前記第１物理ダウンリンク制御チャネルに対応する第１物理ダウンリンク共有チャネルを伝送するハーフフレームの以後のｎ２番目のハーフフレームであり、前記ｎ２は正整数であり、
前記ＡＣＫ/ＮＡＣＫフィードバック情報の時間領域位置が所在するサブフレームは、前記第１物理ダウンリンク制御チャネルまたは前記第１物理ダウンリンク制御チャネルに対応する第１物理ダウンリンク共有チャネルを伝送するサブフレームであるか、または、前記第１物理ダウンリンク制御チャネルまたは前記第１物理ダウンリンク制御チャネルに対応する第１物理ダウンリンク共有チャネルを伝送するサブフレームの以後のｎ３番目のサブフレームであり、前記ｎ３は正整数であり、
前記ＡＣＫ/ＮＡＣＫフィードバック情報の時間領域位置が所在するスロットは、前記第１物理ダウンリンク制御チャネルまたは前記第１物理ダウンリンク制御チャネルに対応する第１物理ダウンリンク共有チャネルを伝送するスロットであるか、または、前記第１物理ダウンリンク制御チャネルまたは前記第１物理ダウンリンク制御チャネルに対応する第１物理ダウンリンク共有チャネルを伝送するスロットの以後のｎ４番目のスロットであり、前記ｎ４は正整数であり、
前記ＡＣＫ/ＮＡＣＫフィードバック情報の時間領域位置が所在するマイクロタイムスロットは、前記第１物理ダウンリンク制御チャネルまたは前記第１物理ダウンリンク制御チャネルに対応する第１物理ダウンリンク共有チャネルを伝送するマイクロタイムスロットであるか、または、前記第１物理ダウンリンク制御チャネルまたは前記第１物理ダウンリンク制御チャネルに対応する第１物理ダウンリンク共有チャネルを伝送するマイクロタイムスロットの以後のｎ５番目のマイクロタイムスロットであり、前記ｎ５は正整数であり、
前記ＡＣＫ/ＮＡＣＫフィードバック情報の時間領域位置が所在するＴＴＩは、前記第１物理ダウンリンク制御チャネルまたは前記第１物理ダウンリンク制御チャネルに対応する第１物理ダウンリンク共有チャネルを伝送するＴＴＩであるか、または、前記第１物理ダウンリンク制御チャネルまたは前記第１物理ダウンリンク制御チャネルに対応する第１物理ダウンリンク共有チャネルを伝送するＴＴＩの以後のｎ６番目個のＴＴＩであり、前記ｎ６は正整数であり、
前記ＡＣＫ/ＮＡＣＫフィードバック情報の時間領域位置が所在するシンボルは、前記第１物理ダウンリンク制御チャネルまたは前記第１物理ダウンリンク制御チャネルに対応する第１物理ダウンリンク共有チャネルを伝送するシンボルであるか、または、前記第１物理ダウンリンク制御チャネルまたは前記第１物理ダウンリンク制御チャネルに対応する第１物理ダウンリンク共有チャネルを伝送するシンボルの以後のｎ７番目のシンボルであり、前記ｎ７は正整数であることを特徴とする請求項１４ないし請求項１６のいずれか１項に記載のＡＣＫ/ＮＡＣＫのフィードバック方法。
【請求項１８】
前記第１指示フィールドは、前記ＡＣＫ/ＮＡＣＫフィードバック情報の伝送に占有すべき１番目のシンボルの位置を示し、前記ＡＣＫ/ＮＡＣＫフィードバック情報は、前記１番目のシンボルを起点とする連続Ａ個のアップリンクシンボルを占有し、前記Ａは正整数であり、または、
前記第１指示フィールドは、前記ＡＣＫ/ＮＡＣＫフィードバック情報の伝送に占有すべき１番目のＴＴＩの位置を示し、前記ＡＣＫ/ＮＡＣＫフィードバック情報は、前記１番目のＴＴＩを起点とする連続Ａ個のアップリンクＴＴＩを占有し、または、
前記第１指示フィールドは、前記ＡＣＫ/ＮＡＣＫフィードバック情報の伝送に占有すべき１番目のスロットの位置を示し、前記ＡＣＫ/ＮＡＣＫフィードバック情報は、前記１番目のスロットを起点とする連続Ａ個のスロットを占有し、または、
前記第１指示フィールドは、前記ＡＣＫ/ＮＡＣＫフィードバック情報の伝送に占有すべき１番目のマイクロタイムスロットの位置を示し、前記ＡＣＫ/ＮＡＣＫフィードバック情報は、前記１番目のマイクロタイムスロットを起点とする連続Ａ個のマイクロタイムスロットを占有し、または、
前記第１指示フィールドは、前記ＡＣＫ/ＮＡＣＫフィードバック情報の伝送に占有すべき１番目のサブフレームの位置を示し、前記ＡＣＫ/ＮＡＣＫフィードバック情報は、前記１番目のサブフレームを起点とする連続Ａ個のサブフレームを占有することを特徴とする請求項１１ないし請求項１３のいずれか１項に記載のＡＣＫ/ＮＡＣＫのフィードバック方法。
【請求項１９】
前記基地局が、前記端末の複数の前記第１物理ダウンリンク制御チャネルの第１指示フィールドにより示される、ＡＣＫ/ＮＡＣＫフィードバック情報の時間領域位置が同様であると確定すれば、前記方法は、
前記基地局前記複数の前記第１物理ダウンリンク制御チャネルのＤＣＩに含まれるダウンリンク割り当てインデックス（ＤＡＩ）指示フィールドに基づき、前記複数の前記第１物理ダウンリンク制御チャネルのうちの各々第１物理ダウンリンク制御チャネルまたは各々第１物理ダウンリンク制御チャネルに対応する第１物理ダウンリンク共有チャネルのＡＣＫ/ＮＡＣＫフィードバック情報のカスケード・シーケンスを確定し、確定された前記カスケード・シーケンスに基づき、前記時間領域位置において受信したＡＣＫ/ＮＡＣＫフィードバック情報を分析するステップをさらに備えることを特徴とする請求項１１に記載のＡＣＫ/ＮＡＣＫのフィードバック方法。
【請求項２０】
前記時間領域位置は、サブフレーム番号及び/またはシンボル番号及び/またはＴＴＩ番号及び/またはスロット番号及び/またはマイクロタイムスロット番号であることを特徴とする請求項１１ないし請求項１６、及び請求項１９のいずれか１項に記載のＡＣＫ/ＮＡＣＫのフィードバック方法。
【請求項２１】
第１物理ダウンリンク制御チャネルを受信し、前記第１物理ダウンリンク制御チャネルのダウンリンク制御情報ＤＣＩに第１指示フィールドが含まれ、前記第１指示フィールドは、ＡＣＫ/ＮＡＣＫフィードバック情報の時間領域位置を確定するためのものである受信モジュールと、
前記第１指示フィールドに基づき、前記第１物理ダウンリンク制御チャネルまたは前記第１物理ダウンリンク制御チャネルに対応する第１物理ダウンリンク共有チャネルのＡＣＫ/ＮＡＣＫフィードバック情報の時間領域位置を確定し、前記ＡＣＫ/ＮＡＣＫフィードバック情報の時間領域位置において、前記ＡＣＫ/ＮＡＣＫフィードバック情報を伝送するフィードバックモジュールとを備えることを特徴とする端末。
【請求項２２】
前記第１指示フィールドは、ＡＣＫ/ＮＡＣＫフィードバック情報を伝送することができるＫ個の時間領域位置を示し、前記Ｋは正整数であることを特徴とする請求項２１に記載の端末。
【請求項２３】
2019509699.tif 000025
【請求項２４】
前記第１指示フィールドは、前記ＡＣＫ/ＮＡＣＫフィードバック情報を伝送する時間領域位置が所在する無線フレームまたはハーフフレームまたはサブフレームまたはスロットまたはＴＴＩまたはマイクロタイムスロットまたはシンボルの、位置を示すことを特徴とする請求項２１に記載の端末。
【請求項２５】
前記フィードバックモジュールは、
第１ＴＴＩ長及び/または第２ＴＴＩ長に基づき、前記第１指示フィールドにより示される、ＡＣＫ/ＮＡＣＫフィードバック情報の時間領域位置が所在する無線フレームまたはハーフフレームまたはサブフレームまたはスロットまたはマイクロタイムスロットまたはシンボルの、位置を確定し、前記第１ＴＴＩ長は、前記第１物理ダウンリンク制御チャネル及び/または前記第１物理ダウンリンク制御チャネルに対応する第１物理ダウンリンク共有チャネルのＴＴＩ長であり、前記第２ＴＴＩ長は、予め設定されたかまたは約定された、ＡＣＫ/ＮＡＣＫフィードバック情報の時間領域位置を確定するためのＴＴＩ長であることを特徴とする請求項２１に記載の端末。
【請求項２６】
前記フィードバックモジュールは、
前記第１物理ダウンリンク制御チャネルを伝送するサブフレーム番号及び/またはＴＴＩ番号及び/またはシンボル番号及び/またはスロット番号及び/またはマイクロタイムスロット番号、及び、前記第１指示フィールドにより示される、ＡＣＫ/ＮＡＣＫフィードバック情報の時間領域位置のサブフレーム番号及び/またはＴＴＩ番号及び/またはシンボル番号及び/またはスロット番号及び/またはマイクロタイムスロット番号の大小順または前後順に基づき、前記第１指示フィールドにより示される、ＡＣＫ/ＮＡＣＫフィードバック情報の時間領域位置が所在する無線フレームまたはハーフフレームまたはサブフレームまたはＴＴＩまたはスロットまたはマイクロタイムスロットまたはシンボルの位置を、確定することを特徴とする請求項２１に記載の端末。
【請求項２７】
前記ＡＣＫ/ＮＡＣＫフィードバック情報の時間領域位置は以下方式のうちの１つまたはこれらの組み合わせであり、
前記ＡＣＫ/ＮＡＣＫフィードバック情報の時間領域位置が所在する無線フレームは、前記第１物理ダウンリンク制御チャネルまたは前記第１物理ダウンリンク制御チャネルに対応する第１物理ダウンリンク共有チャネルを伝送する無線フレームであるか、または、前記第１物理ダウンリンク制御チャネルまたは前記第１物理ダウンリンク制御チャネルに対応する第１物理ダウンリンク共有チャネルを伝送する無線フレームの以後のｎ１番目の無線フレームであり、前記ｎ１は正整数であり、
前記ＡＣＫ/ＮＡＣＫフィードバック情報の時間領域位置が所在するハーフフレームは、前記第１物理ダウンリンク制御チャネルまたは前記第１物理ダウンリンク制御チャネルに対応する第１物理ダウンリンク共有チャネルを伝送するハーフフレームであるか、または、前記第１物理ダウンリンク制御チャネルまたは前記第１物理ダウンリンク制御チャネルに対応する第１物理ダウンリンク共有チャネルを伝送するハーフフレームの以後のｎ２番目のハーフフレームであり、前記ｎ２は正整数であり、
前記ＡＣＫ/ＮＡＣＫフィードバック情報の時間領域位置が所在するサブフレームは、前記第１物理ダウンリンク制御チャネルまたは前記第１物理ダウンリンク制御チャネルに対応する第１物理ダウンリンク共有チャネルを伝送するサブフレームであるか、または、前記第１物理ダウンリンク制御チャネルまたは前記第１物理ダウンリンク制御チャネルに対応する第１物理ダウンリンク共有チャネルを伝送するサブフレームの以後のｎ３番目のサブフレームであり、前記ｎ３は正整数であり、
前記ＡＣＫ/ＮＡＣＫフィードバック情報の時間領域位置が所在するスロットは、前記第１物理ダウンリンク制御チャネルまたは前記第１物理ダウンリンク制御チャネルに対応する第１物理ダウンリンク共有チャネルを伝送するスロットであるか、または、前記第１物理ダウンリンク制御チャネルまたは前記第１物理ダウンリンク制御チャネルに対応する第１物理ダウンリンク共有チャネルを伝送するスロットの以後のｎ４番目のスロットであり、前記ｎ４は正整数であり、
前記ＡＣＫ/ＮＡＣＫフィードバック情報の時間領域位置が所在するマイクロタイムスロットは、前記第１物理ダウンリンク制御チャネルまたは前記第１物理ダウンリンク制御チャネルに対応する第１物理ダウンリンク共有チャネルを伝送するマイクロタイムスロットであるか、または、前記第１物理ダウンリンク制御チャネルまたは前記第１物理ダウンリンク制御チャネルに対応する第１物理ダウンリンク共有チャネルを伝送するマイクロタイムスロットの以後のｎ５番目のマイクロタイムスロットであり、前記ｎ５は正整数であり、
前記ＡＣＫ/ＮＡＣＫフィードバック情報の時間領域位置が所在するＴＴＩは、前記第１物理ダウンリンク制御チャネルまたは前記第１物理ダウンリンク制御チャネルに対応する第１物理ダウンリンク共有チャネルを伝送するＴＴＩであるか、または、前記第１物理ダウンリンク制御チャネルまたは前記第１物理ダウンリンク制御チャネルに対応する第１物理ダウンリンク共有チャネルを伝送するＴＴＩの以後のｎ６番目個のＴＴＩであり、前記ｎ６は正整数であり、
前記ＡＣＫ/ＮＡＣＫフィードバック情報の時間領域位置が所在するシンボルは、前記第１物理ダウンリンク制御チャネルまたは前記第１物理ダウンリンク制御チャネルに対応する第１物理ダウンリンク共有チャネルを伝送するシンボルであるか、または、前記第１物理ダウンリンク制御チャネルまたは前記第１物理ダウンリンク制御チャネルに対応する第１物理ダウンリンク共有チャネルを伝送するシンボルの以後のｎ７番目のシンボルであり、前記ｎ７は正整数であることを特徴とする請求項２４ないし請求項２６のいずれか１項に記載の端末。
【請求項２８】
前記第１指示フィールドは、前記ＡＣＫ/ＮＡＣＫフィードバック情報の伝送に占有すべき１番目のシンボルの位置を示し、前記ＡＣＫ/ＮＡＣＫフィードバック情報は、前記１番目のシンボルを起点とする連続Ａ個のアップリンクシンボルを占有し、前記Ａは正整数であり、または、
前記第１指示フィールドは、前記ＡＣＫ/ＮＡＣＫフィードバック情報の伝送に占有すべき１番目のＴＴＩの位置を示し、前記ＡＣＫ/ＮＡＣＫフィードバック情報は、前記１番目のＴＴＩを起点とする連続Ａ個のアップリンクＴＴＩを占有し、または、
前記第１指示フィールドは、前記ＡＣＫ/ＮＡＣＫフィードバック情報の伝送に占有すべき１番目のスロットの位置を示し、前記ＡＣＫ/ＮＡＣＫフィードバック情報は、前記１番目のスロットを起点とする連続Ａ個のスロットを占有し、または、
前記第１指示フィールドは、前記ＡＣＫ/ＮＡＣＫフィードバック情報の伝送に占有すべき１番目のマイクロタイムスロットの位置を示し、前記ＡＣＫ/ＮＡＣＫフィードバック情報は、前記１番目のマイクロタイムスロットを起点とする連続Ａ個のマイクロタイムスロットを占有し、または、
前記第１指示フィールドは、前記ＡＣＫ/ＮＡＣＫフィードバック情報の伝送に占有すべき１番目のサブフレームの位置を示し、前記ＡＣＫ/ＮＡＣＫフィードバック情報は、前記１番目のサブフレームを起点とする連続Ａ個のサブフレームを占有することを特徴とする請求項２１ないし請求項２３のいずれか１項に記載の端末。
【請求項２９】
前記フィードバックモジュールは、
前記端末が複数の前記第１物理ダウンリンク制御チャネルの第１指示フィールドそれぞれに基づいて確定したＡＣＫ/ＮＡＣＫフィードバック情報の時間領域位置が同様であれば、前記複数の前記第１物理ダウンリンク制御チャネルのＤＣＩに含まれるダウンリンク割り当てインデックス（ＤＡＩ）指示フィールドに基づき、前記複数の前記第１物理ダウンリンク制御チャネルのうちの各々第１物理ダウンリンク制御チャネルまたは各々第１物理ダウンリンク制御チャネルに対応する第１物理ダウンリンク共有チャネルのＡＣＫ/ＮＡＣＫフィードバック情報をカスケードした後、前記ＡＣＫ/ＮＡＣＫフィードバック情報の時間領域位置において伝送することを特徴とする請求項２１に記載の端末。
【請求項３０】
前記時間領域位置は、サブフレーム番号及び/またはシンボル番号及び/またはＴＴＩ番号及び/またはスロット番号及び/またはマイクロタイムスロット番号であることを特徴とする請求項２１ないし請求項２６、及び請求項２９のいずれか１項に記載の端末。
【請求項３１】
端末に第１物理ダウンリンク制御チャネルを送信し、前記第１物理ダウンリンク制御チャネルのダウンリンク制御情報ＤＣＩに第１指示フィールドが含まれ、前記第１指示フィールドは、ＡＣＫ/ＮＡＣＫフィードバック情報の時間領域位置を確定するためのものである送信モジュールと、
前記第１指示フィールドに基づいて確定されたＡＣＫ/ＮＡＣＫフィードバック情報の時間領域位置において、前記端末からフィードバックされた前記第１物理ダウンリンク制御チャネルまたは前記第１物理ダウンリンク制御チャネルに対応する第１物理ダウンリンク共有チャネルのＡＣＫ/ＮＡＣＫフィードバック情報を、受信する受信モジュールとを備えることを特徴とする基地局。
【請求項３２】
，前記第１指示フィールドは、ＡＣＫ/ＮＡＣＫフィードバック情報を伝送することができるＫ個の時間領域位置を示し、前記Ｋは正整数であることを特徴とする請求項３１に記載の基地局。
【請求項３３】
2019509699.tif 000026
【請求項３４】
前記第１指示フィールドは、前記ＡＣＫ/ＮＡＣＫフィードバック情報を伝送する時間領域位置が所在する無線フレームまたはハーフフレームまたはサブフレームまたはスロットまたはＴＴＩまたはマイクロタイムスロットまたはシンボルの、位置を示すことを特徴とする請求項３１に記載の基地局。
【請求項３５】
処理モジュールをさらに備え、
前記処理モジュールは、第１ＴＴＩ長及び/または第２ＴＴＩ長に基づき、前記第１指示フィールドにより示される、ＡＣＫ/ＮＡＣＫフィードバック情報の時間領域位置が所在する無線フレームまたはハーフフレームまたはサブフレームまたはスロットまたはマイクロタイムスロットまたはシンボルの、位置を確定し、前記第１ＴＴＩ長は、前記第１物理ダウンリンク制御チャネル及び/または前記第１物理ダウンリンク制御チャネルに対応する第１物理ダウンリンク共有チャネルのＴＴＩ長であり、前記第２ＴＴＩ長は、予め設定されたかまたは約定された、ＡＣＫ/ＮＡＣＫフィードバック情報の時間領域位置を確定するためのＴＴＩ長であることを特徴とする請求項３１に記載の基地局。
【請求項３６】
処理モジュールをさらに備え、
前記処理モジュールは、前記第１物理ダウンリンク制御チャネルを伝送するサブフレーム番号及び/またはＴＴＩ番号及び/またはシンボル番号及び/またはスロット番号及び/またはマイクロタイムスロット番号、及び、前記第１指示フィールドにより示される、ＡＣＫ/ＮＡＣＫフィードバック情報の時間領域位置のサブフレーム番号及び/またはＴＴＩ番号及び/またはシンボル番号及び/またはスロット番号及び/またはマイクロタイムスロット番号の大小順または前後順に基づき、前記第１指示フィールドにより示される、ＡＣＫ/ＮＡＣＫフィードバック情報の時間領域位置が所在する無線フレームまたはハーフフレームまたはサブフレームまたはＴＴＩまたはスロットまたはマイクロタイムスロットまたはシンボルの位置を、確定することを特徴とする請求項３１に記載の基地局。
【請求項３７】
前記ＡＣＫ/ＮＡＣＫフィードバック情報の時間領域位置は以下方式のうちの１つまたはこれらの組み合わせであり、
前記ＡＣＫ/ＮＡＣＫフィードバック情報の時間領域位置が所在する無線フレームは、前記第１物理ダウンリンク制御チャネルまたは前記第１物理ダウンリンク制御チャネルに対応する第１物理ダウンリンク共有チャネルを伝送する無線フレームであるか、または、前記第１物理ダウンリンク制御チャネルまたは前記第１物理ダウンリンク制御チャネルに対応する第１物理ダウンリンク共有チャネルを伝送する無線フレームの以後のｎ１番目の無線フレームであり、前記ｎ１は正整数であり、
前記ＡＣＫ/ＮＡＣＫフィードバック情報の時間領域位置が所在するハーフフレームは、前記第１物理ダウンリンク制御チャネルまたは前記第１物理ダウンリンク制御チャネルに対応する第１物理ダウンリンク共有チャネルを伝送するハーフフレームであるか、または、前記第１物理ダウンリンク制御チャネルまたは前記第１物理ダウンリンク制御チャネルに対応する第１物理ダウンリンク共有チャネルを伝送するハーフフレームの以後のｎ２番目のハーフフレームであり、前記ｎ２は正整数であり、
前記ＡＣＫ/ＮＡＣＫフィードバック情報の時間領域位置が所在するサブフレームは、前記第１物理ダウンリンク制御チャネルまたは前記第１物理ダウンリンク制御チャネルに対応する第１物理ダウンリンク共有チャネルを伝送するサブフレームであるか、または、前記第１物理ダウンリンク制御チャネルまたは前記第１物理ダウンリンク制御チャネルに対応する第１物理ダウンリンク共有チャネルを伝送するサブフレームの以後のｎ３番目のサブフレームであり、前記ｎ３は正整数であり、
前記ＡＣＫ/ＮＡＣＫフィードバック情報の時間領域位置が所在するスロットは、前記第１物理ダウンリンク制御チャネルまたは前記第１物理ダウンリンク制御チャネルに対応する第１物理ダウンリンク共有チャネルを伝送するスロットであるか、または、前記第１物理ダウンリンク制御チャネルまたは前記第１物理ダウンリンク制御チャネルに対応する第１物理ダウンリンク共有チャネルを伝送するスロットの以後のｎ４番目のスロットであり、前記ｎ４は正整数であり、
前記ＡＣＫ/ＮＡＣＫフィードバック情報の時間領域位置が所在するマイクロタイムスロットは、前記第１物理ダウンリンク制御チャネルまたは前記第１物理ダウンリンク制御チャネルに対応する第１物理ダウンリンク共有チャネルを伝送するマイクロタイムスロットであるか、または、前記第１物理ダウンリンク制御チャネルまたは前記第１物理ダウンリンク制御チャネルに対応する第１物理ダウンリンク共有チャネルを伝送するマイクロタイムスロットの以後のｎ５番目のマイクロタイムスロットであり、前記ｎ５は正整数であり、
前記ＡＣＫ/ＮＡＣＫフィードバック情報の時間領域位置が所在するＴＴＩは、前記第１物理ダウンリンク制御チャネルまたは前記第１物理ダウンリンク制御チャネルに対応する第１物理ダウンリンク共有チャネルを伝送するＴＴＩであるか、または、前記第１物理ダウンリンク制御チャネルまたは前記第１物理ダウンリンク制御チャネルに対応する第１物理ダウンリンク共有チャネルを伝送するＴＴＩの以後のｎ６番目個のＴＴＩであり、前記ｎ６は正整数であり、
前記ＡＣＫ/ＮＡＣＫフィードバック情報の時間領域位置が所在するシンボルは、前記第１物理ダウンリンク制御チャネルまたは前記第１物理ダウンリンク制御チャネルに対応する第１物理ダウンリンク共有チャネルを伝送するシンボルであるか、または、前記第１物理ダウンリンク制御チャネルまたは前記第１物理ダウンリンク制御チャネルに対応する第１物理ダウンリンク共有チャネルを伝送するシンボルの以後のｎ７番目のシンボルであり、前記ｎ７は正整数であることを特徴とする請求項３４ないし請求項３６のいずれか１項に記載の基地局。
【請求項３８】
前記第１指示フィールドは、前記ＡＣＫ/ＮＡＣＫフィードバック情報の伝送に占有すべき１番目のシンボルの位置を示し、前記ＡＣＫ/ＮＡＣＫフィードバック情報は、前記１番目のシンボルを起点とする連続Ａ個のアップリンクシンボルを占有し、前記Ａは正整数であり、または、
前記第１指示フィールドは、前記ＡＣＫ/ＮＡＣＫフィードバック情報の伝送に占有すべき１番目のＴＴＩの位置を示し、前記ＡＣＫ/ＮＡＣＫフィードバック情報は、前記１番目のＴＴＩを起点とする連続Ａ個のアップリンクＴＴＩを占有し、または、
前記第１指示フィールドは、前記ＡＣＫ/ＮＡＣＫフィードバック情報の伝送に占有すべき１番目のスロットの位置を示し、前記ＡＣＫ/ＮＡＣＫフィードバック情報は、前記１番目のスロットを起点とする連続Ａ個のスロットを占有し、または、
前記第１指示フィールドは、前記ＡＣＫ/ＮＡＣＫフィードバック情報の伝送に占有すべき１番目のマイクロタイムスロットの位置を示し、前記ＡＣＫ/ＮＡＣＫフィードバック情報は、前記１番目のマイクロタイムスロットを起点とする連続Ａ個のマイクロタイムスロットを占有し、または、
前記第１指示フィールドは、前記ＡＣＫ/ＮＡＣＫフィードバック情報の伝送に占有すべき１番目のサブフレームの位置を示し、前記ＡＣＫ/ＮＡＣＫフィードバック情報は、前記１番目のサブフレームを起点とする連続Ａ個のサブフレームを占有することを特徴とする請求項３１ないし請求項３３のいずれか１項に記載の基地局。
【請求項３９】
処理モジュールをさらに備え、
前記処理モジュールは、前記基地局が、前記端末の複数の前記第１物理ダウンリンク制御チャネルの第１指示フィールドにより示される、ＡＣＫ/ＮＡＣＫフィードバック情報の時間領域位置が同様であると確定すれば、前記複数の前記第１物理ダウンリンク制御チャネルのＤＣＩに含まれるダウンリンク割り当てインデックス（ＤＡＩ）指示フィールドに基づき、前記複数の前記第１物理ダウンリンク制御チャネルのうちの各々第１物理ダウンリンク制御チャネルまたは各々第１物理ダウンリンク制御チャネルに対応する第１物理ダウンリンク共有チャネルのＡＣＫ/ＮＡＣＫフィードバック情報のカスケード・シーケンスを確定し、確定された前記カスケード・シーケンスに基づき、前記時間領域位置において受信したＡＣＫ/ＮＡＣＫフィードバック情報を分析することを特徴とする請求項３１に記載の基地局。
【請求項４０】
前記時間領域位置は、サブフレーム番号及び/またはシンボル番号及び/またはＴＴＩ番号及び/またはスロット番号及び/またはマイクロタイムスロット番号であることを特徴とする請求項３１ないし請求項３６、及び請求項３９のいずれか１項に記載の基地局。
【請求項４１】
プロセッサと、メモリと、送受信機とを備え、
前記送受信機は、前記プロセッサの制御によりデータを送受信し、前記メモリに予め設定されたプログラムが格納されており、前記プロセッサが前記メモリに格納されたプログラムを実行する場合、前記端は、請求項１ないし１０のいずれかに記載の前記方法を完成することを特徴とする端末。
【請求項４２】
プロセッサと、メモリと、送受信機とを備え、
前記送受信機は、前記プロセッサの制御によりデータを送受信し、前記メモリに予め設定されたプログラムが格納されており、前記プロセッサが前記メモリに格納されたプログラムを実行する場合、前記基地局は、請求項１１ないし２０のいずれかに記載の前記方法を完成することを特徴とする基地局。
【発明の詳細な説明】
【技術分野】
【０００１】
本発明は、通信技術分野に関し、特にＡＣＫ/ＮＡＣＫのフィードバック方法及び関連装置に関する。
【背景技術】
【０００２】
一、従来のＬＴＥフレーム構成（ＬＴＥ Ｒｅｌ-８/９/１０/１１/１２/１３）
従来のＬＴＥ（Ｌｏｎｇ Ｔｅｒｍ Ｅｖｏｌｕｔｉｏｎ）ＦＤＤ（Ｆｒｅｑｕｅｎｃｙ Ｄｉｖｉｓｉｏｎ Ｄｕｐｌｅｘ）システムにフレーム構成タイプ１（Ｆｒａｍｅ Ｓｔｒｕｃｔｕｒｅ Ｔｙｐｅ １， ＦＳ１と略称）が利用される。ＦＤＤシステムにおいて、アップリンク及びダウンリンク伝送に異なるキャリア周波数が利用され、アップリンク及びダウンリンク伝送に同様なフレーム構成が利用される。図１はＦＳ１の構成図であり、各々キャリアにおいて、１つの１０ｍｓの無線フレームに１０個の１ｍｓサブフレームが含まれ、各々サブフレームを２つの０.５ｍｓのスロットに分割し、アップリンク及びダウンリンクデータ送信のＴＴＩ（Ｔｒａｎｓｍｉｓｓｉｏｎ Ｔｉｍｅ Ｉｎｔｅｒｖａｌ）は１ｍｓである。
【０００３】
従来のＬＴＥ ＴＤＤ（Ｔｉｍｅ Ｄｉｖｉｓｉｏｎ Ｄｕｐｌｅｘ，ＴＤＤ）システムにフレーム構成タイプ２（Ｆｒａｍｅ Ｓｔｒｕｃｔｕｒｅ Ｔｙｐｅ ２，ＦＳ２と略称）が利用される。ＴＤＤシステムにおいて、アップリンク及びダウンリンク伝送に同様な周波数上の異なるサブフレームまたは異なるスロットが利用される。図２はＦＳ２構成図である。ＦＳ２における各々１０ｍｓの無線フレームは２つの５ｍｓのハーフフレームより構成され、各々ハーフフレームに５個の１ｍｓのサブフレームが含まれる。ＦＳ２におけるサブフレームは、３種類があり、それぞれは、ダウンリンクサブフレーム、アップリンクサブフレーム及びスペシャルサブフレームである。各々 スペシャルサブフレームは、ダウンリンク伝送スロット（Ｄｏｗｎｌｉｎｋ Ｐｉｌｏｔ Ｔｉｍｅ Ｓｌｏｔ，ＤｗＰＴＳ）、ＧＰ（Ｇｕａｒｄ Ｐｅｒｉｏｄ）及びアップリンク伝送スロット（Ｕｐｌｉｎｋ Ｐｉｌｏｔ Ｔｉｍｅ Ｓｌｏｔ，ＵｐＰＴＳ）との３つの部分より構成される。ここで、ＤｗＰＴＳは、ダウンリンクパイロット、ダウンリンクトラフィックデータ及びダウンリンク制御シグナリングを伝送する。ＧＰは如何なる信号も伝送しない。ＵｐＰＴＳは、ランダムアクセス信号及びＳＲＳ（Ｓｏｕｎｄｉｎｇ Ｒｅｆｅｒｅｎｃｅ Ｓｙｍｂｏｌ）のみを伝送し、アップリンクサービスまたはアップリンク制御情報を伝送しない。各々ハーフフレームに少なくとも１つのダウンリンクサブフレーム及び少なくとも１つのアップリンクサブフレーム、及び多くて１つのスペシャルサブフレームが含まれる。ＦＳ２は７種ＵＬ/ＤＬサブフレーム構成を有し、表１に示す。
【０００４】
【表１】
2019509699.tif 000003
二、従来のＬＴＥ ＦＤＤ/ＴＤＤのＡＣＫ/ＮＡＣＫ（ＡＣＫｎｏｗｌｅｄｇｅスラッシュ Ｎｅｇａｔｉｖｅ ＡＣＫｎｏｗｌｅｄｇｅ，ＡＣＫ/ＮＡＣＫ）フィードバックタイミング
ＬＴＥ Ｒｅｌ-８システムにおいて、ＦＤＤシステムでは、各々サブフレームにアップリンクリソースがあるため、番号がｎであるダウンリンクサブフレームのＡＣＫ/ＮＡＣＫフィードバック情報は、番号がｎ+４であるアップリンクサブフレームにおいて伝送される。ＴＤＤシステムでは、ＵＬ/ＤＬ伝送に周波数領域リソースを共有するため、表１通りのＵＬ/ＤＬサブフレームを分割する必要がある。異なるダウンリンクサブフレームのＡＣＫ/ＮＡＣＫフィードバック情報は、同一のアップリンクサブフレームにおいて伝送され、表２に示すように、番号がｎであるアップリンクサブフレームに対応する集合Ｋ：
｛ｋ０，ｋ１・・・ｋＭ−１｝
における各々エレメントにより、ＡＣＫ/ＮＡＣＫフィードバックを行るダウンリンクサブフレーム（番号がｎ-ｋであるダウンリンクサブフレームが含まれ、スペシャルサブフレームが含まれる）、及び、Ｍ個のダウンリンクサブフレームをフィードバックするＡＣＫ/ＮＡＣＫフィードバック情報を決定することができる。Ｍは、集合Ｋ内のエレメント数であり、異なるアップリンクサブフレーム及び異なるＴＤＤ  ＵＬ/ＤＬ構成の値が異なる可能性がある。
【０００５】
【表２】
2019509699.tif 000004
表２の番号は、無線フレームを単位とし、例えば、サブフレーム番号ｎ-ｋが０より小さければ、当該サブフレームは直前の無線フレームに属することを示す。
【０００６】
キャリアが集約されると、端末は複数のキャリアにわたって同時に動作することができるが、一部のキャリア、例えば、プライマリコンポーネントキャリア（Ｐｒｉｍａｒｙ Ｃｏｍｐｏｎｅｎｔ Ｃａｒｒｉｅｒ，ＰＣＣＰＣＣ）の物理アップリンク制御チャネル（Ｐｈｙｓｉｃａｌ Ｕｐｌｉｎｋ Ｃｏｎｔｒｏｌ Ｃｈａｎｎｅｌ，ＰＵＣＣＨ）においてＡＣＫ/ＮＡＣＫフィードバック情報を伝送する。従って、端末は、アップリンクサブフレームにおいて、複数のキャリアに対応するＡＣＫ/ＮＡＣＫフィードバック情報をさらにフィードバックする必要がある。端末のために集約されたすべてのキャリアがＦＤＤキャリアである場合、各々キャリア上のＡＣＫ/ＮＡＣＫフィードバックタイミングは、ｎ+４に従って決定される。端末のために集約されたすべてのＴＤＤキャリアである場合、すべてのＴＤＤキャリアのＴＤＤＵＬ/ＤＬ構成が同様であれば、各々キャリア上のＡＣＫ/ＮＡＣＫフィードバックタイミングは、当該ＴＤＤＵＬ/ＤＬ構成に対応する表２に示すフィードバックタイミングに従って決定される。集約されたＴＤＤキャリアのＴＤＤＵＬ/ＤＬ構成異なる場合、特定の規則に従って、セカンダリコンポーネントキャリア（Ｓｅｃｏｎｄａｒｙ Ｃｏｍｐｏｎｅｎｔ Ｃａｒｒｉｅｒ，ＳＣＣ）のためのＴＤＤＵＬ/ＤＬ構成を定義し、基準ＴＤＤＵＬ/ＤＬ構成に対応する表２に示すフィードバックタイミングでＡＣＫ/ＮＡＣＫフィードバックを行る。端末のために集約されたキャリアにＦＤＤキャリアも、ＴＤＤキャリアも含まれる場合、ＦＤＤキャリアをＰＣＣとすれば、各々キャリア上のＡＣＫ/ＮＡＣＫフィードバックタイミングは、ｎ+４に従って行う。ＴＤＤキャリアをＰＣＣとすれば、特定の規則に従って、ＳＣＣのために基準ＴＤＤＵＬ/ＤＬ構成を定義し、基準ＴＤＤＵＬ/ＤＬ構成に対応する表２に示すフィードバックタイミングで、ＡＣＫ/ＮＡＣＫフィードバックを行う。
【０００７】
次のＬＴＥリリース（Ｒｅｌｅａｓｅ）では、集約されたキャリアはさらに複数のキャリアグループにグループ化され、各々キャリアグループ内の１のキャリアにおいてＰＵＣＣＨを介してＡＣＫ/ＮＡＣＫをフィードバックする。このとき、各キャリアグループ内のＳＣＣに対するフィードバックタイミングは、キャリアグループ内の集約されたキャリアに対応する上記の場合のように決定することができる。
【０００８】
ＬＴＥシステムにおいて、従来のチャネル伝送に、ＴＴＩ=１ｍｓで定義され、１ｍｓではないＴＴＩを採用する場合、ダウンリンク伝送のＴＴＩ長が変化することができる。ＴＴＩの長さが異なるデータには、異なる送信および処理遅延が必要であるため、最も早くＡＣＫ/ＮＡＣＫフィードバックを行うことができる時間位置が異なる。この場合、従来のメカニズムで固定ＡＣＫ/ＮＡＣＫフィードバックタイミングに従ってＡＣＫ/ＮＡＣＫフィードバックする方法はもはや適用できないが、送信のために占有されるべき時間位置を決定する新しいメカニズムを提供することが望ましい、こうして、ダウンリンク伝送のＡＣＫ/ＮＡＣＫを正常にフィードバックすることを確保できる。
【発明の概要】
【発明が解決しようとする課題】
【０００９】
本発明の実施例に係るＡＣＫ/ＮＡＣＫのフィードバック方法及び関連装置を提供し、異なるＴＴＩ長を有するデータに要求される異なる送信及び処理遅延が存在するため、最も早くＡＣＫ/ＮＡＣＫフィードバックを行うことができる時間位置が異なるようになり、ウンリンク伝送のＡＣＫ/ＮＡＣＫを正常にフィードバックすることが確保できない問題を解決する。
【課題を解決するための手段】
【００１０】
本発明の実施例に係る技術案は以下通りである。
【００１１】
第１態様によれば、本発明の実施例に係るＡＣＫ/ＮＡＣＫのフィードバック方法は、
端末は、第１物理ダウンリンク制御チャネルを受信するステップと、
前記端末は、前記第１指示フィールドに従って、前記第１物理ダウンリンク制御チャネルまたは前記第１物理ダウンリンク制御チャネルに対応する第１物理ダウンリンク共有チャネルのＡＣＫ/ＮＡＣＫフィードバック情報の時間領域位置を確定し、前記ＡＣＫ/ＮＡＣＫフィードバック情報の時間領域位置において、前記ＡＣＫ/ＮＡＣＫフィードバック情報を伝送するステップとを備え、
前記第１物理ダウンリンク制御チャネルのダウンリンク制御情報ＤＣＩに第１指示フィールドが含まれ、前記第１指示フィールドは、ＡＣＫ/ＮＡＣＫフィードバック情報の時間領域位置を確定するためのものである。
2019509699.tif 000005
【００１２】
可能の実施形態において、前記第１指示フィールドは、前記ＡＣＫ/ＮＡＣＫフィードバック情報を伝送する時間領域位置が所在する無線フレームまたはハーフフレームまたはサブフレームまたはスロットまたはＴＴＩまたはマイクロタイムスロットまたはシンボルの、位置を示す。
【００１３】
可能の実施形態において、前記方法は、
前記端末は、第１ＴＴＩ長及び/または第２ＴＴＩ長に基づき、前記第１指示フィールドにより示される、ＡＣＫ/ＮＡＣＫフィードバック情報の時間領域位置が所在する無線フレームまたはハーフフレームまたはサブフレームまたはスロットまたはマイクロタイムスロットまたはシンボルの、位置を確定するステップをさらに備え、
前記第１ＴＴＩ長は、前記第１物理ダウンリンク制御チャネル及び/または前記第１物理ダウンリンク制御チャネルに対応する第１物理ダウンリンク共有チャネルのＴＴＩ長であり、前記第２ＴＴＩ長は、予め設定されたかまたは約定された、ＡＣＫ/ＮＡＣＫフィードバック情報の時間領域位置を確定するためのＴＴＩ長である。
【００１４】
可能の実施形態において、前記方法は、
前記端末は、前記第１物理ダウンリンク制御チャネルを伝送するサブフレーム番号及び/またはＴＴＩ番号及び/またはシンボル番号及び/またはスロット番号及び/またはマイクロタイムスロット番号、及び前記第１指示フィールドにより示される、ＡＣＫ/ＮＡＣＫフィードバック情報の時間領域位置のサブフレーム番号及び/またはＴＴＩ番号及び/またはシンボル番号及び/またはスロット番号及び/またはマイクロタイムスロット番号の大小順または前後順に基づき、前記第１指示フィールドにより示される、ＡＣＫ/ＮＡＣＫフィードバック情報の時間領域位置が所在する無線フレームまたはハーフフレームまたはサブフレームまたはＴＴＩまたはスロットまたはマイクロタイムスロットまたはシンボルの位置を、確定するするステップをされに備える。
【００１５】
可能の実施形態において、前記ＡＣＫ/ＮＡＣＫフィードバック情報の時間領域位置は以下方式のうちの１つまたはこれらの組み合わせであり、
前記ＡＣＫ/ＮＡＣＫフィードバック情報の時間領域位置が所在する無線フレームは、前記第１物理ダウンリンク制御チャネルまたは前記第１物理ダウンリンク制御チャネルに対応する第１物理ダウンリンク共有チャネルを伝送する無線フレームであるか、または、前記第１物理ダウンリンク制御チャネルまたは前記第１物理ダウンリンク制御チャネルに対応する第１物理ダウンリンク共有チャネルを伝送する無線フレームの以後のｎ１番目の無線フレームであり、前記ｎ１は正整数であり、
前記ＡＣＫ/ＮＡＣＫフィードバック情報の時間領域位置が所在するハーフフレームは、前記第１物理ダウンリンク制御チャネルまたは前記第１物理ダウンリンク制御チャネルに対応する第１物理ダウンリンク共有チャネルを伝送するハーフフレームであるか、または、前記第１物理ダウンリンク制御チャネルまたは前記第１物理ダウンリンク制御チャネルに対応する第１物理ダウンリンク共有チャネルを伝送するハーフフレームの以後のｎ２番目のハーフフレームであり、前記ｎ２は正整数であり、
前記ＡＣＫ/ＮＡＣＫフィードバック情報の時間領域位置が所在するサブフレームは、前記第１物理ダウンリンク制御チャネルまたは前記第１物理ダウンリンク制御チャネルに対応する第１物理ダウンリンク共有チャネルを伝送するサブフレームであるか、または、前記第１物理ダウンリンク制御チャネルまたは前記第１物理ダウンリンク制御チャネルに対応する第１物理ダウンリンク共有チャネルを伝送するサブフレームの以後のｎ３番目のサブフレームであり、前記ｎ３は正整数であり、
前記ＡＣＫ/ＮＡＣＫフィードバック情報の時間領域位置が所在するスロットは、前記第１物理ダウンリンク制御チャネルまたは前記第１物理ダウンリンク制御チャネルに対応する第１物理ダウンリンク共有チャネルを伝送するスロットであるか、または、前記第１物理ダウンリンク制御チャネルまたは前記第１物理ダウンリンク制御チャネルに対応する第１物理ダウンリンク共有チャネルを伝送するスロットの以後のｎ４番目のスロットであり、前記ｎ４は正整数であり、
前記ＡＣＫ/ＮＡＣＫフィードバック情報の時間領域位置が所在するマイクロタイムスロットは、前記第１物理ダウンリンク制御チャネルまたは前記第１物理ダウンリンク制御チャネルに対応する第１物理ダウンリンク共有チャネルを伝送するマイクロタイムスロットであるか、または、前記第１物理ダウンリンク制御チャネルまたは前記第１物理ダウンリンク制御チャネルに対応する第１物理ダウンリンク共有チャネルを伝送するマイクロタイムスロットの以後のｎ５番目のマイクロタイムスロットであり、前記ｎ５は正整数であり、
前記ＡＣＫ/ＮＡＣＫフィードバック情報の時間領域位置が所在するＴＴＩは、前記第１物理ダウンリンク制御チャネルまたは前記第１物理ダウンリンク制御チャネルに対応する第１物理ダウンリンク共有チャネルを伝送するＴＴＩであるか、または、前記第１物理ダウンリンク制御チャネルまたは前記第１物理ダウンリンク制御チャネルに対応する第１物理ダウンリンク共有チャネルを伝送するＴＴＩの以後のｎ６番目個のＴＴＩであり、前記ｎ６は正整数であり、
前記ＡＣＫ/ＮＡＣＫフィードバック情報の時間領域位置が所在するシンボルは、前記第１物理ダウンリンク制御チャネルまたは前記第１物理ダウンリンク制御チャネルに対応する第１物理ダウンリンク共有チャネルを伝送するシンボルであるか、または、前記第１物理ダウンリンク制御チャネルまたは前記第１物理ダウンリンク制御チャネルに対応する第１物理ダウンリンク共有チャネルを伝送するシンボルの以後のｎ７番目のシンボルであり、前記ｎ７は正整数である。
【００１６】
可能の実施形態において、前記第１指示フィールドは、前記ＡＣＫ/ＮＡＣＫフィードバック情報の伝送に占有すべき１番目のシンボルの位置を示し、前記ＡＣＫ/ＮＡＣＫフィードバック情報は、前記１番目のシンボルを起点とする連続Ａ個のアップリンクシンボルを占有し、前記Ａは正整数であり、または、
前記第１指示フィールドは、前記ＡＣＫ/ＮＡＣＫフィードバック情報の伝送に占有すべき１番目のＴＴＩの位置を示し、前記ＡＣＫ/ＮＡＣＫフィードバック情報は、前記１番目のＴＴＩを起点とする連続Ａ個のアップリンクＴＴＩを占有し、または、
前記第１指示フィールドは、前記ＡＣＫ/ＮＡＣＫフィードバック情報の伝送に占有すべき１番目のスロットの位置を示し、前記ＡＣＫ/ＮＡＣＫフィードバック情報は、前記１番目のスロットを起点とする連続Ａ個のスロットを占有し、または、
前記第１指示フィールドは、前記ＡＣＫ/ＮＡＣＫフィードバック情報の伝送に占有すべき１番目のマイクロタイムスロットの位置を示し、前記ＡＣＫ/ＮＡＣＫフィードバック情報は、前記１番目のマイクロタイムスロットを起点とする連続Ａ個のマイクロタイムスロットを占有し、または、
前記第１指示フィールドは、前記ＡＣＫ/ＮＡＣＫフィードバック情報の伝送に占有すべき１番目のサブフレームの位置を示し、前記ＡＣＫ/ＮＡＣＫフィードバック情報は、前記１番目のサブフレームを起点とする連続Ａ個のサブフレームを占有する。
【００１７】
可能の実施形態において、前記端末が複数の前記第１物理ダウンリンク制御チャネルの第１指示フィールドそれぞれに基づいて確定したＡＣＫ/ＮＡＣＫフィードバック情報の時間領域位置が同様であれば、前記端末が、前記ＡＣＫ/ＮＡＣＫフィードバック情報の時間領域位置において、前記ＡＣＫ/ＮＡＣＫフィードバック情報を伝送する場合、
前記端末は、前記複数の前記第１物理ダウンリンク制御チャネルのＤＣＩに含まれるダウンリンク割り当てインデックス（ＤＡＩ）指示フィールドに基づき、前記複数の前記第１物理ダウンリンク制御チャネルのうちの各々第１物理ダウンリンク制御チャネルまたは各々第１物理ダウンリンク制御チャネルに対応する第１物理ダウンリンク共有チャネルのＡＣＫ/ＮＡＣＫフィードバック情報をカスケードした後、前記ＡＣＫ/ＮＡＣＫフィードバック情報の時間領域位置において伝送する。
【００１８】
可能の実施形態において、前記時間領域位置は、サブフレーム番号及び/またはシンボル番号及び/またはＴＴＩ番号及び/またはスロット番号及び/またはマイクロタイムスロット番号。
【００１９】
第２態様によれば、本発明の実施例に係るＡＣＫ/ＮＡＣＫのフィードバック方法，
基地局は、端末に第１物理ダウンリンク制御チャネルを送信するステップと、
前記基地局は、前記第１指示フィールドに基づいて確定されたＡＣＫ/ＮＡＣＫフィードバック情報の時間領域位置において、前記端末からフィードバックされた前記第１物理ダウンリンク制御チャネルまたは前記第１物理ダウンリンク制御チャネルに対応する第１物理ダウンリンク共有チャネルのＡＣＫ/ＮＡＣＫフィードバック情報を、受信するステップとを備え、
前記第１物理ダウンリンク制御チャネルのダウンリンク制御情報ＤＣＩに第１指示フィールドが含まれ、前記第１指示フィールドは、ＡＣＫ/ＮＡＣＫフィードバック情報の時間領域位置を確定するためのものである。
【００２０】
可能の実施形態において、前記第１指示フィールドは、ＡＣＫ/ＮＡＣＫフィードバック情報を伝送することができるＫ個の時間領域位置を示し、前記Ｋは正整数である。
2019509699.tif 000006
【００２１】
可能の実施形態において、前記第１指示フィールドは、前記ＡＣＫ/ＮＡＣＫフィードバック情報を伝送する時間領域位置が所在する無線フレームまたはハーフフレームまたはサブフレームまたはスロットまたはＴＴＩまたはマイクロタイムスロットまたはシンボルの、位置を示す。
【００２２】
可能の実施形態において、前記方法は、
前記基地局第１ＴＴＩ長及び/または第２ＴＴＩ長に基づき、前記第１指示フィールドにより示される、ＡＣＫ/ＮＡＣＫフィードバック情報の時間領域位置が所在する無線フレームまたはハーフフレームまたはサブフレームまたはスロットまたはマイクロタイムスロットまたはシンボルの、位置を確定するステップをさらに備え、
前記第１ＴＴＩ長は、前記第１物理ダウンリンク制御チャネル及び/または前記第１物理ダウンリンク制御チャネルに対応する第１物理ダウンリンク共有チャネルのＴＴＩ長であり、前記第２ＴＴＩ長は、予め設定されたかまたは約定された、ＡＣＫ/ＮＡＣＫフィードバック情報の時間領域位置を確定するためのＴＴＩ長である。
【００２３】
可能の実施形態において、前記方法は、
前記基地局前記第１物理ダウンリンク制御チャネルを伝送するサブフレーム番号及び/またはＴＴＩ番号及び/またはシンボル番号及び/またはスロット番号及び/またはマイクロタイムスロット番号、及び、前記第１指示フィールドにより示される、ＡＣＫ/ＮＡＣＫフィードバック情報の時間領域位置のサブフレーム番号及び/またはＴＴＩ番号及び/またはシンボル番号及び/またはスロット番号及び/またはマイクロタイムスロット番号の大小順または前後順に基づき、前記第１指示フィールドにより示される、ＡＣＫ/ＮＡＣＫフィードバック情報の時間領域位置が所在する無線フレームまたはハーフフレームまたはサブフレームまたはＴＴＩまたはスロットまたはマイクロタイムスロットまたはシンボルの位置を、確定するステップをさらに備える。
【００２４】
可能の実施形態において、前記ＡＣＫ/ＮＡＣＫフィードバック情報の時間領域位置は以下方式のうちの１つまたはこれらの組み合わせであり、
前記ＡＣＫ/ＮＡＣＫフィードバック情報の時間領域位置が所在する無線フレームは、前記第１物理ダウンリンク制御チャネルまたは前記第１物理ダウンリンク制御チャネルに対応する第１物理ダウンリンク共有チャネルを伝送する無線フレームであるか、または、前記第１物理ダウンリンク制御チャネルまたは前記第１物理ダウンリンク制御チャネルに対応する第１物理ダウンリンク共有チャネルを伝送する無線フレームの以後のｎ１番目の無線フレームであり、前記ｎ１は正整数であり、
前記ＡＣＫ/ＮＡＣＫフィードバック情報の時間領域位置が所在するハーフフレームは、前記第１物理ダウンリンク制御チャネルまたは前記第１物理ダウンリンク制御チャネルに対応する第１物理ダウンリンク共有チャネルを伝送するハーフフレームであるか、または、前記第１物理ダウンリンク制御チャネルまたは前記第１物理ダウンリンク制御チャネルに対応する第１物理ダウンリンク共有チャネルを伝送するハーフフレームの以後のｎ２番目のハーフフレームであり、前記ｎ２は正整数であり、
前記ＡＣＫ/ＮＡＣＫフィードバック情報の時間領域位置が所在するサブフレームは、前記第１物理ダウンリンク制御チャネルまたは前記第１物理ダウンリンク制御チャネルに対応する第１物理ダウンリンク共有チャネルを伝送するサブフレームであるか、または、前記第１物理ダウンリンク制御チャネルまたは前記第１物理ダウンリンク制御チャネルに対応する第１物理ダウンリンク共有チャネルを伝送するサブフレームの以後のｎ３番目のサブフレームであり、前記ｎ３は正整数であり、
前記ＡＣＫ/ＮＡＣＫフィードバック情報の時間領域位置が所在するスロットは、前記第１物理ダウンリンク制御チャネルまたは前記第１物理ダウンリンク制御チャネルに対応する第１物理ダウンリンク共有チャネルを伝送するスロットであるか、または、前記第１物理ダウンリンク制御チャネルまたは前記第１物理ダウンリンク制御チャネルに対応する第１物理ダウンリンク共有チャネルを伝送するスロットの以後のｎ４番目のスロットであり、前記ｎ４は正整数であり、
前記ＡＣＫ/ＮＡＣＫフィードバック情報の時間領域位置が所在するマイクロタイムスロットは、前記第１物理ダウンリンク制御チャネルまたは前記第１物理ダウンリンク制御チャネルに対応する第１物理ダウンリンク共有チャネルを伝送するマイクロタイムスロットであるか、または、前記第１物理ダウンリンク制御チャネルまたは前記第１物理ダウンリンク制御チャネルに対応する第１物理ダウンリンク共有チャネルを伝送するマイクロタイムスロットの以後のｎ５番目のマイクロタイムスロットであり、前記ｎ５は正整数であり、
前記ＡＣＫ/ＮＡＣＫフィードバック情報の時間領域位置が所在するＴＴＩは、前記第１物理ダウンリンク制御チャネルまたは前記第１物理ダウンリンク制御チャネルに対応する第１物理ダウンリンク共有チャネルを伝送するＴＴＩであるか、または、前記第１物理ダウンリンク制御チャネルまたは前記第１物理ダウンリンク制御チャネルに対応する第１物理ダウンリンク共有チャネルを伝送するＴＴＩの以後のｎ６番目個のＴＴＩであり、前記ｎ６は正整数であり、
前記ＡＣＫ/ＮＡＣＫフィードバック情報の時間領域位置が所在するシンボルは、前記第１物理ダウンリンク制御チャネルまたは前記第１物理ダウンリンク制御チャネルに対応する第１物理ダウンリンク共有チャネルを伝送するシンボルであるか、または、前記第１物理ダウンリンク制御チャネルまたは前記第１物理ダウンリンク制御チャネルに対応する第１物理ダウンリンク共有チャネルを伝送するシンボルの以後のｎ７番目のシンボルであり、前記ｎ７は正整数である。
【００２５】
可能の実施形態において、前記第１指示フィールドは、前記ＡＣＫ/ＮＡＣＫフィードバック情報の伝送に占有すべき１番目のシンボルの位置を示し、前記ＡＣＫ/ＮＡＣＫフィードバック情報は、前記１番目のシンボルを起点とする連続Ａ個のアップリンクシンボルを占有し、前記Ａは正整数であり、または、
前記第１指示フィールドは、前記ＡＣＫ/ＮＡＣＫフィードバック情報の伝送に占有すべき１番目のＴＴＩの位置を示し、前記ＡＣＫ/ＮＡＣＫフィードバック情報は、前記１番目のＴＴＩを起点とする連続Ａ個のアップリンクＴＴＩを占有し、または、
前記第１指示フィールドは、前記ＡＣＫ/ＮＡＣＫフィードバック情報の伝送に占有すべき１番目のスロットの位置を示し、前記ＡＣＫ/ＮＡＣＫフィードバック情報は、前記１番目のスロットを起点とする連続Ａ個のスロットを占有し、または、
前記第１指示フィールドは、前記ＡＣＫ/ＮＡＣＫフィードバック情報の伝送に占有すべき１番目のマイクロタイムスロットの位置を示し、前記ＡＣＫ/ＮＡＣＫフィードバック情報は、前記１番目のマイクロタイムスロットを起点とする連続Ａ個のマイクロタイムスロットを占有し、または、
前記第１指示フィールドは、前記ＡＣＫ/ＮＡＣＫフィードバック情報の伝送に占有すべき１番目のサブフレームの位置を示し、前記ＡＣＫ/ＮＡＣＫフィードバック情報は、前記１番目のサブフレームを起点とする連続Ａ個のサブフレームを占有する。
【００２６】
可能の実施形態において、前記基地局が、前記端末の複数の前記第１物理ダウンリンク制御チャネルの第１指示フィールドにより示される、ＡＣＫ/ＮＡＣＫフィードバック情報の時間領域位置が同様であると確定すれば、前記方法は、
前記基地局前記複数の前記第１物理ダウンリンク制御チャネルのＤＣＩに含まれるダウンリンク割り当てインデックス（ＤＡＩ）指示フィールドに基づき、前記複数の前記第１物理ダウンリンク制御チャネルのうちの各々第１物理ダウンリンク制御チャネルまたは各々第１物理ダウンリンク制御チャネルに対応する第１物理ダウンリンク共有チャネルのＡＣＫ/ＮＡＣＫフィードバック情報のカスケード・シーケンスを確定し、確定された前記カスケード・シーケンスに基づき、前記時間領域位置において受信したＡＣＫ/ＮＡＣＫフィードバック情報を分析するステップをさらに備える。
【００２７】
可能の実施形態において、前記時間領域位置は、ブフレーム番号及び/またはシンボル番号及び/またはＴＴＩ番号及び/またはスロット番号及び/またはマイクロタイムスロット番号である。
【００２８】
第３態様によれば、本発明の実施例に係る端末は、
第１物理ダウンリンク制御チャネルを受信し、前記第１物理ダウンリンク制御チャネルのダウンリンク制御情報ＤＣＩに第１指示フィールドが含まれ、前記第１指示フィールドは、ＡＣＫ/ＮＡＣＫフィードバック情報の時間領域位置を確定するためのものである受信モジュールと、
前記第１指示フィールドに基づき、前記第１物理ダウンリンク制御チャネルまたは前記第１物理ダウンリンク制御チャネルに対応する第１物理ダウンリンク共有チャネルのＡＣＫ/ＮＡＣＫフィードバック情報の時間領域位置を確定し、前記ＡＣＫ/ＮＡＣＫフィードバック情報の時間領域位置において、前記ＡＣＫ/ＮＡＣＫフィードバック情報を伝送するフィードバックモジュールとを備える。
【００２９】
可能の実施形態において、前記第１指示フィールドは、ＡＣＫ/ＮＡＣＫフィードバック情報を伝送することができるＫ個の時間領域位置を示し、前記Ｋは正整数である。
2019509699.tif 000007
【００３０】
可能の実施形態において、前記第１指示フィールドは、前記ＡＣＫ/ＮＡＣＫフィードバック情報を伝送する時間領域位置が所在する無線フレームまたはハーフフレームまたはサブフレームまたはスロットまたはＴＴＩまたはマイクロタイムスロットまたはシンボルの、位置を示す。
【００３１】
可能の実施形態において、前記フィードバックモジュールは、
第１ＴＴＩ長及び/または第２ＴＴＩ長に基づき、前記第１指示フィールドにより示される、ＡＣＫ/ＮＡＣＫフィードバック情報の時間領域位置が所在する無線フレームまたはハーフフレームまたはサブフレームまたはスロットまたはマイクロタイムスロットまたはシンボルの、位置を確定し、前記第１ＴＴＩ長は、前記第１物理ダウンリンク制御チャネル及び/または前記第１物理ダウンリンク制御チャネルに対応する第１物理ダウンリンク共有チャネルのＴＴＩ長であり、前記第２ＴＴＩ長は、予め設定されたかまたは約定された、ＡＣＫ/ＮＡＣＫフィードバック情報の時間領域位置を確定するためのＴＴＩ長である。
【００３２】
可能の実施形態において、前記フィードバックモジュールは、
前記第１物理ダウンリンク制御チャネルを伝送するサブフレーム番号及び/またはＴＴＩ番号及び/またはシンボル番号及び/またはスロット番号及び/またはマイクロタイムスロット番号、及び、前記第１指示フィールドにより示される、ＡＣＫ/ＮＡＣＫフィードバック情報の時間領域位置のサブフレーム番号及び/またはＴＴＩ番号及び/またはシンボル番号及び/またはスロット番号及び/またはマイクロタイムスロット番号の大小順または前後順に基づき、前記第１指示フィールドにより示される、ＡＣＫ/ＮＡＣＫフィードバック情報の時間領域位置が所在する無線フレームまたはハーフフレームまたはサブフレームまたはＴＴＩまたはスロットまたはマイクロタイムスロットまたはシンボルの位置を、確定する。
【００３３】
可能の実施形態において、前記ＡＣＫ/ＮＡＣＫフィードバック情報の時間領域位置は以下方式のうちの１つまたはこれらの組み合わせであり、
前記ＡＣＫ/ＮＡＣＫフィードバック情報の時間領域位置が所在する無線フレームは、前記第１物理ダウンリンク制御チャネルまたは前記第１物理ダウンリンク制御チャネルに対応する第１物理ダウンリンク共有チャネルを伝送する無線フレームであるか、または、前記第１物理ダウンリンク制御チャネルまたは前記第１物理ダウンリンク制御チャネルに対応する第１物理ダウンリンク共有チャネルを伝送する無線フレームの以後のｎ１番目の無線フレームであり、前記ｎ１は正整数であり、
前記ＡＣＫ/ＮＡＣＫフィードバック情報の時間領域位置が所在するハーフフレームは、前記第１物理ダウンリンク制御チャネルまたは前記第１物理ダウンリンク制御チャネルに対応する第１物理ダウンリンク共有チャネルを伝送するハーフフレームであるか、または、前記第１物理ダウンリンク制御チャネルまたは前記第１物理ダウンリンク制御チャネルに対応する第１物理ダウンリンク共有チャネルを伝送するハーフフレームの以後のｎ２番目のハーフフレームであり、前記ｎ２は正整数であり、
前記ＡＣＫ/ＮＡＣＫフィードバック情報の時間領域位置が所在するサブフレームは、前記第１物理ダウンリンク制御チャネルまたは前記第１物理ダウンリンク制御チャネルに対応する第１物理ダウンリンク共有チャネルを伝送するサブフレームであるか、または、前記第１物理ダウンリンク制御チャネルまたは前記第１物理ダウンリンク制御チャネルに対応する第１物理ダウンリンク共有チャネルを伝送するサブフレームの以後のｎ３番目のサブフレームであり、前記ｎ３は正整数であり、
前記ＡＣＫ/ＮＡＣＫフィードバック情報の時間領域位置が所在するスロットは、前記第１物理ダウンリンク制御チャネルまたは前記第１物理ダウンリンク制御チャネルに対応する第１物理ダウンリンク共有チャネルを伝送するスロットであるか、または、前記第１物理ダウンリンク制御チャネルまたは前記第１物理ダウンリンク制御チャネルに対応する第１物理ダウンリンク共有チャネルを伝送するスロットの以後のｎ４番目のスロットであり、前記ｎ４は正整数であり、
前記ＡＣＫ/ＮＡＣＫフィードバック情報の時間領域位置が所在するマイクロタイムスロットは、前記第１物理ダウンリンク制御チャネルまたは前記第１物理ダウンリンク制御チャネルに対応する第１物理ダウンリンク共有チャネルを伝送するマイクロタイムスロットであるか、または、前記第１物理ダウンリンク制御チャネルまたは前記第１物理ダウンリンク制御チャネルに対応する第１物理ダウンリンク共有チャネルを伝送するマイクロタイムスロットの以後のｎ５番目のマイクロタイムスロットであり、前記ｎ５は正整数であり、
前記ＡＣＫ/ＮＡＣＫフィードバック情報の時間領域位置が所在するＴＴＩは、前記第１物理ダウンリンク制御チャネルまたは前記第１物理ダウンリンク制御チャネルに対応する第１物理ダウンリンク共有チャネルを伝送するＴＴＩであるか、または、前記第１物理ダウンリンク制御チャネルまたは前記第１物理ダウンリンク制御チャネルに対応する第１物理ダウンリンク共有チャネルを伝送するＴＴＩの以後のｎ６番目個のＴＴＩであり、前記ｎ６は正整数であり、
前記ＡＣＫ/ＮＡＣＫフィードバック情報の時間領域位置が所在するシンボルは、前記第１物理ダウンリンク制御チャネルまたは前記第１物理ダウンリンク制御チャネルに対応する第１物理ダウンリンク共有チャネルを伝送するシンボルであるか、または、前記第１物理ダウンリンク制御チャネルまたは前記第１物理ダウンリンク制御チャネルに対応する第１物理ダウンリンク共有チャネルを伝送するシンボルの以後のｎ７番目のシンボルであり、前記ｎ７は正整数である。
【００３４】
可能の実施形態において、前記第１指示フィールドは、前記ＡＣＫ/ＮＡＣＫフィードバック情報の伝送に占有すべき１番目のシンボルの位置を示し、前記ＡＣＫ/ＮＡＣＫフィードバック情報は、前記１番目のシンボルを起点とする連続Ａ個のアップリンクシンボルを占有し、前記Ａは正整数であり、または、
前記第１指示フィールドは、前記ＡＣＫ/ＮＡＣＫフィードバック情報の伝送に占有すべき１番目のＴＴＩの位置を示し、前記ＡＣＫ/ＮＡＣＫフィードバック情報は、前記１番目のＴＴＩを起点とする連続Ａ個のアップリンクＴＴＩを占有し、または、
前記第１指示フィールドは、前記ＡＣＫ/ＮＡＣＫフィードバック情報の伝送に占有すべき１番目のスロットの位置を示し、前記ＡＣＫ/ＮＡＣＫフィードバック情報は、前記１番目のスロットを起点とする連続Ａ個のスロットを占有し、または、
前記第１指示フィールドは、前記ＡＣＫ/ＮＡＣＫフィードバック情報の伝送に占有すべき１番目のマイクロタイムスロットの位置を示し、前記ＡＣＫ/ＮＡＣＫフィードバック情報は、前記１番目のマイクロタイムスロットを起点とする連続Ａ個のマイクロタイムスロットを占有し、または、
前記第１指示フィールドは、前記ＡＣＫ/ＮＡＣＫフィードバック情報の伝送に占有すべき１番目のサブフレームの位置を示し、前記ＡＣＫ/ＮＡＣＫフィードバック情報は、前記１番目のサブフレームを起点とする連続Ａ個のサブフレームを占有する。
【００３５】
可能の実施形態において、前記フィードバックモジュールは、
前記端末が複数の前記第１物理ダウンリンク制御チャネルの第１指示フィールドそれぞれに基づいて確定したＡＣＫ/ＮＡＣＫフィードバック情報の時間領域位置が同様であれば、前記複数の前記第１物理ダウンリンク制御チャネルのＤＣＩに含まれるダウンリンク割り当てインデックス（ＤＡＩ）指示フィールドに基づき、前記複数の前記第１物理ダウンリンク制御チャネルのうちの各々第１物理ダウンリンク制御チャネルまたは各々第１物理ダウンリンク制御チャネルに対応する第１物理ダウンリンク共有チャネルのＡＣＫ/ＮＡＣＫフィードバック情報をカスケードした後、前記ＡＣＫ/ＮＡＣＫフィードバック情報の時間領域位置において伝送する。
【００３６】
可能の実施形態において、前記時間領域位置は、サブフレーム番号及び/またはシンボル番号及び/またはＴＴＩ番号及び/またはスロット番号及び/またはマイクロタイムスロット番号である。
【００３７】
第４態様によれば、本発明の実施例に係る基地局は、
端末に第１物理ダウンリンク制御チャネルを送信し、前記第１物理ダウンリンク制御チャネルのダウンリンク制御情報ＤＣＩに第１指示フィールドが含まれ、前記第１指示フィールドは、ＡＣＫ/ＮＡＣＫフィードバック情報の時間領域位置を確定するためのものである送信モジュールと、
前記第１指示フィールドに基づいて確定されたＡＣＫ/ＮＡＣＫフィードバック情報の時間領域位置において、前記端末からフィードバックされた前記第１物理ダウンリンク制御チャネルまたは前記第１物理ダウンリンク制御チャネルに対応する第１物理ダウンリンク共有チャネルのＡＣＫ/ＮＡＣＫフィードバック情報を、受信する受信モジュールとを備える。
【００３８】
可能の実施形態において、前記第１指示フィールドは、ＡＣＫ/ＮＡＣＫフィードバック情報を伝送することができるＫ個の時間領域位置を示し、前記Ｋは正整数である。
2019509699.tif 000008
【００３９】
可能の実施形態において、前記第１指示フィールドは、前記ＡＣＫ/ＮＡＣＫフィードバック情報を伝送する時間領域位置が所在する無線フレームまたはハーフフレームまたはサブフレームまたはスロットまたはＴＴＩまたはマイクロタイムスロットまたはシンボルの、位置を示す。
【００４０】
可能の実施形態において、処理モジュールをさらに備え、
前記処理モジュールは、第１ＴＴＩ長及び/または第２ＴＴＩ長に基づき、前記第１指示フィールドにより示される、ＡＣＫ/ＮＡＣＫフィードバック情報の時間領域位置が所在する無線フレームまたはハーフフレームまたはサブフレームまたはスロットまたはマイクロタイムスロットまたはシンボルの、位置を確定し、前記第１ＴＴＩ長は、前記第１物理ダウンリンク制御チャネル及び/または前記第１物理ダウンリンク制御チャネルに対応する第１物理ダウンリンク共有チャネルのＴＴＩ長であり、前記第２ＴＴＩ長は、予め設定されたかまたは約定された、ＡＣＫ/ＮＡＣＫフィードバック情報の時間領域位置を確定するためのＴＴＩ長である。
【００４１】
可能の実施形態において、処理モジュールをさらに備え、
前記処理モジュールは、前記第１物理ダウンリンク制御チャネルを伝送するサブフレーム番号及び/またはＴＴＩ番号及び/またはシンボル番号及び/またはスロット番号及び/またはマイクロタイムスロット番号、及び、前記第１指示フィールドにより示される、ＡＣＫ/ＮＡＣＫフィードバック情報の時間領域位置のサブフレーム番号及び/またはＴＴＩ番号及び/またはシンボル番号及び/またはスロット番号及び/またはマイクロタイムスロット番号の大小順または前後順に基づき、前記第１指示フィールドにより示される、ＡＣＫ/ＮＡＣＫフィードバック情報の時間領域位置が所在する無線フレームまたはハーフフレームまたはサブフレームまたはＴＴＩまたはスロットまたはマイクロタイムスロットまたはシンボルの位置を、確定する。
【００４２】
可能の実施形態において、前記ＡＣＫ/ＮＡＣＫフィードバック情報の時間領域位置は以下方式のうちの１つまたはこれらの組み合わせであり、
前記ＡＣＫ/ＮＡＣＫフィードバック情報の時間領域位置が所在する無線フレームは、前記第１物理ダウンリンク制御チャネルまたは前記第１物理ダウンリンク制御チャネルに対応する第１物理ダウンリンク共有チャネルを伝送する無線フレームであるか、または、前記第１物理ダウンリンク制御チャネルまたは前記第１物理ダウンリンク制御チャネルに対応する第１物理ダウンリンク共有チャネルを伝送する無線フレームの以後のｎ１番目の無線フレームであり、前記ｎ１は正整数であり、
前記ＡＣＫ/ＮＡＣＫフィードバック情報の時間領域位置が所在するハーフフレームは、前記第１物理ダウンリンク制御チャネルまたは前記第１物理ダウンリンク制御チャネルに対応する第１物理ダウンリンク共有チャネルを伝送するハーフフレームであるか、または、前記第１物理ダウンリンク制御チャネルまたは前記第１物理ダウンリンク制御チャネルに対応する第１物理ダウンリンク共有チャネルを伝送するハーフフレームの以後のｎ２番目のハーフフレームであり、前記ｎ２は正整数であり、
前記ＡＣＫ/ＮＡＣＫフィードバック情報の時間領域位置が所在するサブフレームは、前記第１物理ダウンリンク制御チャネルまたは前記第１物理ダウンリンク制御チャネルに対応する第１物理ダウンリンク共有チャネルを伝送するサブフレームであるか、または、前記第１物理ダウンリンク制御チャネルまたは前記第１物理ダウンリンク制御チャネルに対応する第１物理ダウンリンク共有チャネルを伝送するサブフレームの以後のｎ３番目のサブフレームであり、前記ｎ３は正整数であり、
前記ＡＣＫ/ＮＡＣＫフィードバック情報の時間領域位置が所在するスロットは、前記第１物理ダウンリンク制御チャネルまたは前記第１物理ダウンリンク制御チャネルに対応する第１物理ダウンリンク共有チャネルを伝送するスロットであるか、または、前記第１物理ダウンリンク制御チャネルまたは前記第１物理ダウンリンク制御チャネルに対応する第１物理ダウンリンク共有チャネルを伝送するスロットの以後のｎ４番目のスロットであり、前記ｎ４は正整数であり、
前記ＡＣＫ/ＮＡＣＫフィードバック情報の時間領域位置が所在するマイクロタイムスロットは、前記第１物理ダウンリンク制御チャネルまたは前記第１物理ダウンリンク制御チャネルに対応する第１物理ダウンリンク共有チャネルを伝送するマイクロタイムスロットであるか、または、前記第１物理ダウンリンク制御チャネルまたは前記第１物理ダウンリンク制御チャネルに対応する第１物理ダウンリンク共有チャネルを伝送するマイクロタイムスロットの以後のｎ５番目のマイクロタイムスロットであり、前記ｎ５は正整数であり、
前記ＡＣＫ/ＮＡＣＫフィードバック情報の時間領域位置が所在するＴＴＩは、前記第１物理ダウンリンク制御チャネルまたは前記第１物理ダウンリンク制御チャネルに対応する第１物理ダウンリンク共有チャネルを伝送するＴＴＩであるか、または、前記第１物理ダウンリンク制御チャネルまたは前記第１物理ダウンリンク制御チャネルに対応する第１物理ダウンリンク共有チャネルを伝送するＴＴＩの以後のｎ６番目個のＴＴＩであり、前記ｎ６は正整数であり、
前記ＡＣＫ/ＮＡＣＫフィードバック情報の時間領域位置が所在するシンボルは、前記第１物理ダウンリンク制御チャネルまたは前記第１物理ダウンリンク制御チャネルに対応する第１物理ダウンリンク共有チャネルを伝送するシンボルであるか、または、前記第１物理ダウンリンク制御チャネルまたは前記第１物理ダウンリンク制御チャネルに対応する第１物理ダウンリンク共有チャネルを伝送するシンボルの以後のｎ７番目のシンボルであり、前記ｎ７は正整数である。
【００４３】
可能の実施形態において、前記第１指示フィールドは、前記ＡＣＫ/ＮＡＣＫフィードバック情報の伝送に占有すべき１番目のシンボルの位置を示し、前記ＡＣＫ/ＮＡＣＫフィードバック情報は、前記１番目のシンボルを起点とする連続Ａ個のアップリンクシンボルを占有し、前記Ａは正整数であり、または、
前記第１指示フィールドは、前記ＡＣＫ/ＮＡＣＫフィードバック情報の伝送に占有すべき１番目のＴＴＩの位置を示し、前記ＡＣＫ/ＮＡＣＫフィードバック情報は、前記１番目のＴＴＩを起点とする連続Ａ個のアップリンクＴＴＩを占有し、または、
前記第１指示フィールドは、前記ＡＣＫ/ＮＡＣＫフィードバック情報の伝送に占有すべき１番目のスロットの位置を示し、前記ＡＣＫ/ＮＡＣＫフィードバック情報は、前記１番目のスロットを起点とする連続Ａ個のスロットを占有し、または、
前記第１指示フィールドは、前記ＡＣＫ/ＮＡＣＫフィードバック情報の伝送に占有すべき１番目のマイクロタイムスロットの位置を示し、前記ＡＣＫ/ＮＡＣＫフィードバック情報は、前記１番目のマイクロタイムスロットを起点とする連続Ａ個のマイクロタイムスロットを占有し、または、
前記第１指示フィールドは、前記ＡＣＫ/ＮＡＣＫフィードバック情報の伝送に占有すべき１番目のサブフレームの位置を示し、前記ＡＣＫ/ＮＡＣＫフィードバック情報は、前記１番目のサブフレームを起点とする連続Ａ個のサブフレームを占有する。
【００４４】
可能の実施形態において、処理モジュールをさらに備え、
前記処理モジュールは、前記基地局が、前記端末の複数の前記第１物理ダウンリンク制御チャネルの第１指示フィールドにより示される、ＡＣＫ/ＮＡＣＫフィードバック情報の時間領域位置が同様であると確定すれば、前記複数の前記第１物理ダウンリンク制御チャネルのＤＣＩに含まれるダウンリンク割り当てインデックス（ＤＡＩ）指示フィールドに基づき、前記複数の前記第１物理ダウンリンク制御チャネルのうちの各々第１物理ダウンリンク制御チャネルまたは各々第１物理ダウンリンク制御チャネルに対応する第１物理ダウンリンク共有チャネルのＡＣＫ/ＮＡＣＫフィードバック情報のカスケード・シーケンスを確定し、確定された前記カスケード・シーケンスに基づき、前記時間領域位置において受信したＡＣＫ/ＮＡＣＫフィードバック情報を分析する。
【００４５】
可能の実施形態において、前記時間領域位置は、サブフレーム番号及び/またはシンボル番号及び/またはＴＴＩ番号及び/またはスロット番号及び/またはマイクロタイムスロット番号である。
【００４６】
第５態様によれば、本発明の実施例に係るたの端末は、プロセッサと、メモリと、送受信機とを備え、ここで、前記送受信機はプロセッサの制御によりデータを送受信し、メモリに予め設定されたプログラムが格納されており、プロセッサは、メモリに格納されたプログラムを読み出して、当該プログラムに従い、
送受信機を介して、第１物理ダウンリンク制御チャネルを受信し、前記第１物理ダウンリンク制御チャネルのダウンリンク制御情報ＤＣＩに第１指示フィールドが含まれ、前記第１指示フィールドは、ＡＣＫ/ＮＡＣＫフィードバック情報の時間領域位置を確定するためのものであり、
前記第１指示フィールドに基づき、前記第１物理ダウンリンク制御チャネルまたは前記第１物理ダウンリンク制御チャネルに対応する第１物理ダウンリンク共有チャネルのＡＣＫ/ＮＡＣＫフィードバック情報の時間領域位置を確定し、前記ＡＣＫ/ＮＡＣＫフィードバック情報の時間領域位置において、前記ＡＣＫ/ＮＡＣＫフィードバック情報を伝送するように、送受信機に指示する。
【００４７】
可能の実施形態において、前記第１指示フィールドは、ＡＣＫ/ＮＡＣＫフィードバック情報を伝送することができるＫ個の時間領域位置を示し、前記Ｋは正整数である。
2019509699.tif 000009
【００４８】
可能の実施形態において、前記第１指示フィールドは、前記ＡＣＫ/ＮＡＣＫフィードバック情報を伝送する時間領域位置が所在する無線フレームまたはハーフフレームまたはサブフレームまたはスロットまたはＴＴＩまたはマイクロタイムスロットまたはシンボルの、位置を示す。
【００４９】
可能の実施形態において、プロセッサは、第１ＴＴＩ長及び/または第２ＴＴＩ長に基づき、前記第１指示フィールドにより示される、ＡＣＫ/ＮＡＣＫフィードバック情報の時間領域位置が所在する無線フレームまたはハーフフレームまたはサブフレームまたはスロットまたはマイクロタイムスロットまたはシンボルの、位置を確定し、前記第１ＴＴＩ長は、前記第１物理ダウンリンク制御チャネル及び/または前記第１物理ダウンリンク制御チャネルに対応する第１物理ダウンリンク共有チャネルのＴＴＩ長であり、前記第２ＴＴＩ長は、予め設定されたかまたは約定された、ＡＣＫ/ＮＡＣＫフィードバック情報の時間領域位置を確定するためのＴＴＩ長である。
【００５０】
可能の実施形態において、プロセッサは、前記第１物理ダウンリンク制御チャネルを伝送するサブフレーム番号及び/またはＴＴＩ番号及び/またはシンボル番号及び/またはスロット番号及び/またはマイクロタイムスロット番号、及び、前記第１指示フィールドにより示される、ＡＣＫ/ＮＡＣＫフィードバック情報の時間領域位置のサブフレーム番号及び/またはＴＴＩ番号及び/またはシンボル番号及び/またはスロット番号及び/またはマイクロタイムスロット番号の大小順または前後順に基づき、前記第１指示フィールドにより示される、ＡＣＫ/ＮＡＣＫフィードバック情報の時間領域位置が所在する無線フレームまたはハーフフレームまたはサブフレームまたはＴＴＩまたはスロットまたはマイクロタイムスロットまたはシンボルの位置を、確定する。
【００５１】
可能の実施形態において、前記ＡＣＫ/ＮＡＣＫフィードバック情報の時間領域位置は以下方式のうちの１つまたはこれらの組み合わせであり、
前記ＡＣＫ/ＮＡＣＫフィードバック情報の時間領域位置が所在する無線フレームは、前記第１物理ダウンリンク制御チャネルまたは前記第１物理ダウンリンク制御チャネルに対応する第１物理ダウンリンク共有チャネルを伝送する無線フレームであるか、または、前記第１物理ダウンリンク制御チャネルまたは前記第１物理ダウンリンク制御チャネルに対応する第１物理ダウンリンク共有チャネルを伝送する無線フレームの以後のｎ１番目の無線フレームであり、前記ｎ１は正整数であり、
前記ＡＣＫ/ＮＡＣＫフィードバック情報の時間領域位置が所在するハーフフレームは、前記第１物理ダウンリンク制御チャネルまたは前記第１物理ダウンリンク制御チャネルに対応する第１物理ダウンリンク共有チャネルを伝送するハーフフレームであるか、または、前記第１物理ダウンリンク制御チャネルまたは前記第１物理ダウンリンク制御チャネルに対応する第１物理ダウンリンク共有チャネルを伝送するハーフフレームの以後のｎ２番目のハーフフレームであり、前記ｎ２は正整数であり、
前記ＡＣＫ/ＮＡＣＫフィードバック情報の時間領域位置が所在するサブフレームは、前記第１物理ダウンリンク制御チャネルまたは前記第１物理ダウンリンク制御チャネルに対応する第１物理ダウンリンク共有チャネルを伝送するサブフレームであるか、または、前記第１物理ダウンリンク制御チャネルまたは前記第１物理ダウンリンク制御チャネルに対応する第１物理ダウンリンク共有チャネルを伝送するサブフレームの以後のｎ３番目のサブフレームであり、前記ｎ３は正整数であり、
前記ＡＣＫ/ＮＡＣＫフィードバック情報の時間領域位置が所在するスロットは、前記第１物理ダウンリンク制御チャネルまたは前記第１物理ダウンリンク制御チャネルに対応する第１物理ダウンリンク共有チャネルを伝送するスロットであるか、または、前記第１物理ダウンリンク制御チャネルまたは前記第１物理ダウンリンク制御チャネルに対応する第１物理ダウンリンク共有チャネルを伝送するスロットの以後のｎ４番目のスロットであり、前記ｎ４は正整数であり、
前記ＡＣＫ/ＮＡＣＫフィードバック情報の時間領域位置が所在するマイクロタイムスロットは、前記第１物理ダウンリンク制御チャネルまたは前記第１物理ダウンリンク制御チャネルに対応する第１物理ダウンリンク共有チャネルを伝送するマイクロタイムスロットであるか、または、前記第１物理ダウンリンク制御チャネルまたは前記第１物理ダウンリンク制御チャネルに対応する第１物理ダウンリンク共有チャネルを伝送するマイクロタイムスロットの以後のｎ５番目のマイクロタイムスロットであり、前記ｎ５は正整数であり、
前記ＡＣＫ/ＮＡＣＫフィードバック情報の時間領域位置が所在するＴＴＩは、前記第１物理ダウンリンク制御チャネルまたは前記第１物理ダウンリンク制御チャネルに対応する第１物理ダウンリンク共有チャネルを伝送するＴＴＩであるか、または、前記第１物理ダウンリンク制御チャネルまたは前記第１物理ダウンリンク制御チャネルに対応する第１物理ダウンリンク共有チャネルを伝送するＴＴＩの以後のｎ６番目個のＴＴＩであり、前記ｎ６は正整数であり、
前記ＡＣＫ/ＮＡＣＫフィードバック情報の時間領域位置が所在するシンボルは、前記第１物理ダウンリンク制御チャネルまたは前記第１物理ダウンリンク制御チャネルに対応する第１物理ダウンリンク共有チャネルを伝送するシンボルであるか、または、前記第１物理ダウンリンク制御チャネルまたは前記第１物理ダウンリンク制御チャネルに対応する第１物理ダウンリンク共有チャネルを伝送するシンボルの以後のｎ７番目のシンボルであり、前記ｎ７は正整数である。
【００５２】
可能の実施形態において、前記第１指示フィールドは、前記ＡＣＫ/ＮＡＣＫフィードバック情報の伝送に占有すべき１番目のシンボルの位置を示し、前記ＡＣＫ/ＮＡＣＫフィードバック情報は、前記１番目のシンボルを起点とする連続Ａ個のアップリンクシンボルを占有し、前記Ａは正整数であり、または、
前記第１指示フィールドは、前記ＡＣＫ/ＮＡＣＫフィードバック情報の伝送に占有すべき１番目のＴＴＩの位置を示し、前記ＡＣＫ/ＮＡＣＫフィードバック情報は、前記１番目のＴＴＩを起点とする連続Ａ個のアップリンクＴＴＩを占有し、または、
前記第１指示フィールドは、前記ＡＣＫ/ＮＡＣＫフィードバック情報の伝送に占有すべき１番目のスロットの位置を示し、前記ＡＣＫ/ＮＡＣＫフィードバック情報は、前記１番目のスロットを起点とする連続Ａ個のスロットを占有し、または、
前記第１指示フィールドは、前記ＡＣＫ/ＮＡＣＫフィードバック情報の伝送に占有すべき１番目のマイクロタイムスロットの位置を示し、前記ＡＣＫ/ＮＡＣＫフィードバック情報は、前記１番目のマイクロタイムスロットを起点とする連続Ａ個のマイクロタイムスロットを占有し、または、
前記第１指示フィールドは、前記ＡＣＫ/ＮＡＣＫフィードバック情報の伝送に占有すべき１番目のサブフレームの位置を示し、前記ＡＣＫ/ＮＡＣＫフィードバック情報は、前記１番目のサブフレームを起点とする連続Ａ個のサブフレームを占有する。
【００５３】
可能の実施形態において、プロセッサは、前記端末が複数の前記第１物理ダウンリンク制御チャネルの第１指示フィールドそれぞれに基づいて確定したＡＣＫ/ＮＡＣＫフィードバック情報の時間領域位置が同様であれば、前記複数の前記第１物理ダウンリンク制御チャネルのＤＣＩに含まれるダウンリンク割り当てインデックス（ＤＡＩ）指示フィールドに基づき、前記複数の前記第１物理ダウンリンク制御チャネルのうちの各々第１物理ダウンリンク制御チャネルまたは各々第１物理ダウンリンク制御チャネルに対応する第１物理ダウンリンク共有チャネルのＡＣＫ/ＮＡＣＫフィードバック情報をカスケードした後、前記ＡＣＫ/ＮＡＣＫフィードバック情報の時間領域位置において伝送する。
【００５４】
可能の実施形態において、前記時間領域位置は、サブフレーム番号及び/またはシンボル番号及び/またはＴＴＩ番号及び/またはスロット番号及び/またはマイクロタイムスロット番号である。
【００５５】
第６態様によれば、本発明の実施例に係るたの基地局は、プロセッサと、メモリと、送受信機とを備え、ここで、送受信機はプロセッサの制御によりデータを送受信し、メモリに予め設定されたプログラムが格納されており、プロセッサは、メモリに格納されたプログラムを読み出して、当該プログラムに従って、
送受信機を介して、端末に第１物理ダウンリンク制御チャネルを送信し、前記第１物理ダウンリンク制御チャネルのダウンリンク制御情報ＤＣＩに第１指示フィールドが含まれ、前記第１指示フィールドは、ＡＣＫ/ＮＡＣＫフィードバック情報の時間領域位置を確定するためのものであり、
前記第１指示フィールドに基づいて確定されたＡＣＫ/ＮＡＣＫフィードバック情報の時間領域位置において、前記端末からフィードバックされた前記第１物理ダウンリンク制御チャネルまたは前記第１物理ダウンリンク制御チャネルに対応する第１物理ダウンリンク共有チャネルのＡＣＫ/ＮＡＣＫフィードバック情報を、受信するように、送受信機に指示する。
【００５６】
可能の実施形態において、前記第１指示フィールドは、ＡＣＫ/ＮＡＣＫフィードバック情報を伝送することができるＫ個の時間領域位置を示し、前記Ｋは正整数である。
2019509699.tif 000010
【００５７】
可能の実施形態において、前記第１指示フィールドは、前記ＡＣＫ/ＮＡＣＫフィードバック情報を伝送する時間領域位置が所在する無線フレームまたはハーフフレームまたはサブフレームまたはスロットまたはＴＴＩまたはマイクロタイムスロットまたはシンボルの、位置を示す。
【００５８】
可能の実施形態において、プロセッサは、第１ＴＴＩ長及び/または第２ＴＴＩ長に基づき、前記第１指示フィールドにより示される、ＡＣＫ/ＮＡＣＫフィードバック情報の時間領域位置が所在する無線フレームまたはハーフフレームまたはサブフレームまたはスロットまたはマイクロタイムスロットまたはシンボルの、位置を確定し、前記第１ＴＴＩ長は、前記第１物理ダウンリンク制御チャネル及び/または前記第１物理ダウンリンク制御チャネルに対応する第１物理ダウンリンク共有チャネルのＴＴＩ長であり、前記第２ＴＴＩ長は、予め設定されたかまたは約定された、ＡＣＫ/ＮＡＣＫフィードバック情報の時間領域位置を確定するためのＴＴＩ長である。
【００５９】
可能の実施形態において、プロセッサは、前記第１物理ダウンリンク制御チャネルを伝送するサブフレーム番号及び/またはＴＴＩ番号及び/またはシンボル番号及び/またはスロット番号及び/またはマイクロタイムスロット番号、及び、前記第１指示フィールドにより示される、ＡＣＫ/ＮＡＣＫフィードバック情報の時間領域位置のサブフレーム番号及び/またはＴＴＩ番号及び/またはシンボル番号及び/またはスロット番号及び/またはマイクロタイムスロット番号の大小順または前後順に基づき、前記第１指示フィールドにより示される、ＡＣＫ/ＮＡＣＫフィードバック情報の時間領域位置が所在する無線フレームまたはハーフフレームまたはサブフレームまたはＴＴＩまたはスロットまたはマイクロタイムスロットまたはシンボルの位置を、確定する。
【００６０】
可能の実施形態において、前記ＡＣＫ/ＮＡＣＫフィードバック情報の時間領域位置は以下方式のうちの１つまたはこれらの組み合わせであり、
前記ＡＣＫ/ＮＡＣＫフィードバック情報の時間領域位置が所在する無線フレームは、前記第１物理ダウンリンク制御チャネルまたは前記第１物理ダウンリンク制御チャネルに対応する第１物理ダウンリンク共有チャネルを伝送する無線フレームであるか、または、前記第１物理ダウンリンク制御チャネルまたは前記第１物理ダウンリンク制御チャネルに対応する第１物理ダウンリンク共有チャネルを伝送する無線フレームの以後のｎ１番目の無線フレームであり、前記ｎ１は正整数であり、
前記ＡＣＫ/ＮＡＣＫフィードバック情報の時間領域位置が所在するハーフフレームは、前記第１物理ダウンリンク制御チャネルまたは前記第１物理ダウンリンク制御チャネルに対応する第１物理ダウンリンク共有チャネルを伝送するハーフフレームであるか、または、前記第１物理ダウンリンク制御チャネルまたは前記第１物理ダウンリンク制御チャネルに対応する第１物理ダウンリンク共有チャネルを伝送するハーフフレームの以後のｎ２番目のハーフフレームであり、前記ｎ２は正整数であり、
前記ＡＣＫ/ＮＡＣＫフィードバック情報の時間領域位置が所在するサブフレームは、前記第１物理ダウンリンク制御チャネルまたは前記第１物理ダウンリンク制御チャネルに対応する第１物理ダウンリンク共有チャネルを伝送するサブフレームであるか、または、前記第１物理ダウンリンク制御チャネルまたは前記第１物理ダウンリンク制御チャネルに対応する第１物理ダウンリンク共有チャネルを伝送するサブフレームの以後のｎ３番目のサブフレームであり、前記ｎ３は正整数であり、
前記ＡＣＫ/ＮＡＣＫフィードバック情報の時間領域位置が所在するスロットは、前記第１物理ダウンリンク制御チャネルまたは前記第１物理ダウンリンク制御チャネルに対応する第１物理ダウンリンク共有チャネルを伝送するスロットであるか、または、前記第１物理ダウンリンク制御チャネルまたは前記第１物理ダウンリンク制御チャネルに対応する第１物理ダウンリンク共有チャネルを伝送するスロットの以後のｎ４番目のスロットであり、前記ｎ４は正整数であり、
前記ＡＣＫ/ＮＡＣＫフィードバック情報の時間領域位置が所在するマイクロタイムスロットは、前記第１物理ダウンリンク制御チャネルまたは前記第１物理ダウンリンク制御チャネルに対応する第１物理ダウンリンク共有チャネルを伝送するマイクロタイムスロットであるか、または、前記第１物理ダウンリンク制御チャネルまたは前記第１物理ダウンリンク制御チャネルに対応する第１物理ダウンリンク共有チャネルを伝送するマイクロタイムスロットの以後のｎ５番目のマイクロタイムスロットであり、前記ｎ５は正整数であり、
前記ＡＣＫ/ＮＡＣＫフィードバック情報の時間領域位置が所在するＴＴＩは、前記第１物理ダウンリンク制御チャネルまたは前記第１物理ダウンリンク制御チャネルに対応する第１物理ダウンリンク共有チャネルを伝送するＴＴＩであるか、または、前記第１物理ダウンリンク制御チャネルまたは前記第１物理ダウンリンク制御チャネルに対応する第１物理ダウンリンク共有チャネルを伝送するＴＴＩの以後のｎ６番目個のＴＴＩであり、前記ｎ６は正整数であり、
前記ＡＣＫ/ＮＡＣＫフィードバック情報の時間領域位置が所在するシンボルは、前記第１物理ダウンリンク制御チャネルまたは前記第１物理ダウンリンク制御チャネルに対応する第１物理ダウンリンク共有チャネルを伝送するシンボルであるか、または、前記第１物理ダウンリンク制御チャネルまたは前記第１物理ダウンリンク制御チャネルに対応する第１物理ダウンリンク共有チャネルを伝送するシンボルの以後のｎ７番目のシンボルであり、前記ｎ７は正整数である。
【００６１】
可能の実施形態において、前記第１指示フィールドは、前記ＡＣＫ/ＮＡＣＫフィードバック情報の伝送に占有すべき１番目のシンボルの位置を示し、前記ＡＣＫ/ＮＡＣＫフィードバック情報は、前記１番目のシンボルを起点とする連続Ａ個のアップリンクシンボルを占有し、前記Ａは正整数であり、または、
前記第１指示フィールドは、前記ＡＣＫ/ＮＡＣＫフィードバック情報の伝送に占有すべき１番目のＴＴＩの位置を示し、前記ＡＣＫ/ＮＡＣＫフィードバック情報は、前記１番目のＴＴＩを起点とする連続Ａ個のアップリンクＴＴＩを占有し、または、
前記第１指示フィールドは、前記ＡＣＫ/ＮＡＣＫフィードバック情報の伝送に占有すべき１番目のスロットの位置を示し、前記ＡＣＫ/ＮＡＣＫフィードバック情報は、前記１番目のスロットを起点とする連続Ａ個のスロットを占有し、または、
前記第１指示フィールドは、前記ＡＣＫ/ＮＡＣＫフィードバック情報の伝送に占有すべき１番目のマイクロタイムスロットの位置を示し、前記ＡＣＫ/ＮＡＣＫフィードバック情報は、前記１番目のマイクロタイムスロットを起点とする連続Ａ個のマイクロタイムスロットを占有し、または、
前記第１指示フィールドは、前記ＡＣＫ/ＮＡＣＫフィードバック情報の伝送に占有すべき１番目のサブフレームの位置を示し、前記ＡＣＫ/ＮＡＣＫフィードバック情報は、前記１番目のサブフレームを起点とする連続Ａ個のサブフレームを占有する。
【００６２】
可能の実施形態において、プロセッサは、前記基地局が、前記端末の複数の前記第１物理ダウンリンク制御チャネルの第１指示フィールドにより示される、ＡＣＫ/ＮＡＣＫフィードバック情報の時間領域位置が同様であると確定すれば、前記複数の前記第１物理ダウンリンク制御チャネルのＤＣＩに含まれるダウンリンク割り当てインデックス（ＤＡＩ）指示フィールドに基づき、前記複数の前記第１物理ダウンリンク制御チャネルのうちの各々第１物理ダウンリンク制御チャネルまたは各々第１物理ダウンリンク制御チャネルに対応する第１物理ダウンリンク共有チャネルのＡＣＫ/ＮＡＣＫフィードバック情報のカスケード・シーケンスを確定し、確定された前記カスケード・シーケンスに基づき、前記時間領域位置において受信したＡＣＫ/ＮＡＣＫフィードバック情報を分析する。
【００６３】
可能の実施形態において、前記時間領域位置は以下いずれか１つであり、
サブフレーム番号及び/またはシンボル番号及び/またはＴＴＩ番号及び/またはスロット番号及び/またはマイクロタイムスロット番号。
【発明の効果】
【００６４】
上記技術案によれば、本発明実施例では、物理ダウンリンク制御チャネルを介してＡＣＫ/ＮＡＣＫフィードバック情報伝送の時間領域位置を通知することにより、ｅＮＢは、フィードバック遅延をできるだけ短くしつつ、システムの性能を向上させながら、異なるアップリンク送信リソースにわたってバランスさせるべきＡＣＫ/ＮＡＣＫ負荷を柔軟に制御することができる。
【図面の簡単な説明】
【００６５】
【図１】背景技術のＦＳ１の構成図である。
【図２】背景技術のＦＳ２の構成図である。
【図３Ａ】本発明の実施例に係る端末側においてＡＣＫ/ＮＡＣＫフィードバックを行う方法のフローチャートである。
【図３Ｂ】本発明の実施例に係る基地局側においてＡＣＫ/ＮＡＣＫフィードバック情報を取得する方法のフローチャートである。
【図４】本発明第１実施例に係るＤＣＩが、１端末が異なるサブフレームに異なるリソースを占有する場合のダウンリンク伝送に対応するＡＣＫ/ＮＡＣＫフィードバック情報の伝送時間領域位置を示す図である。
【図５】本発明第２実施例に係るＤＣＩが、１端末が異なるサブフレームに異なるリソースを占有する場合のダウンリンク伝送に対応するＡＣＫ/ＮＡＣＫフィードバック情報の伝送時間領域位置を示す図である。
【図６】本発明第２実施例に係るたのＤＣＩが、１端末が異なるサブフレームに異なるリソースを占有する場合のダウンリンク伝送に対応するＡＣＫ/ＮＡＣＫフィードバック情報の伝送時間領域位置を示す図である。
【図７】本発明第３実施例に係るＤＣＩが、１端末が異なるサブフレームに異なるリソースを占有する場合のダウンリンク伝送に対応するＡＣＫ/ＮＡＣＫフィードバック情報の伝送時間領域位置を示す図である。
【図８】本発明第４実施例に係るＤＣＩが、１端末が異なるサブフレームに異なるリソースを占有する場合のダウンリンク伝送に対応するＡＣＫ/ＮＡＣＫフィードバック情報の伝送時間領域位置を示す図である。
【図９】本発明第４実施例に係るＤＣＩが、１端末が異なるサブフレームに異なるリソースを占有する場合のダウンリンク伝送に対応するＡＣＫ/ＮＡＣＫフィードバック情報の伝送時間領域位置を示す図である。
【図１０】本発明の実施例に係る端末の構成図である。
【図１１】本発明の実施例に係る基地局の構成図である。
【図１２】本発明の実施例に係るたの端末の構成図である。
【図１３】本発明の実施例に係るたの基地局の構成図である。
【発明を実施するための形態】
【００６６】
本発明に係る実施例の目的、技術案及びメリットをより明確にするため、以下、本発明に係る実施例の図面を参考しながら、本発明に係る実施例の技術案を明確かつ完全に説明する。説明した実施例は本発明の一部の実施例にすぎず、全部の実施例ではないのが明らかである。本発明の実施例に基づき、当業者は、創造性作業を行わない限りに得られた他の実施例は、全部本発明の保護範囲に属する。
【００６７】
本発明の実施例において、図３Ａに示すように、端末側においてＡＣＫ/ＮＡＣＫフィードバックを行うことは、以下詳細に説明する。
【００６８】
ステップ３０１において、端末は、第１物理ダウンリンク制御チャネルを受信し、前記第１物理ダウンリンク制御チャネルのダウンリンク制御情報（Ｄｏｗｎｌｉｎｋ Ｃｏｎｔｒｏｌ Ｉｎｆｏｒｍａｔｉｏｎ，ＤＣＩ）に第１指示フィールドが含まれ、前記第１指示フィールドは、ＡＣＫ/ＮＡＣＫフィードバック情報の時間領域位置を確定するためのものである。
【００６９】
本発明の実施例に係る，第１物理ダウンリンク制御チャネルのＴＴＩ長は１ｍｓより小さく、または、第１物理ダウンリンク制御チャネルに対応する第１物理ダウンリンク共有チャネルのＴＴＩ長は１ｍｓより小さい。また、第１物理ダウンリンク制御チャネルのＴＴＩ長は１ｍｓより大きいか、または、第１物理ダウンリンク制御チャネルに対応する第１物理ダウンリンク共有チャネルのＴＴＩ長は１ｍｓより大きい。例えば、個のサブフレームを１つのＴＴＩとし、Ｎは１より大きい正整数である。ここで、ＴＴＩは予め約定されたまたは設定された最小伝送単位であり、Ａ１個のシンボルを含む。Ａ１は予め設定または約定された正整数である。
2019509699.tif 000011
【００７０】
実施中に、前記時間領域位置は、サブフレーム番号及び/またはシンボル番号及び/または伝送時間間隔（ＴＴＩ）番号及び/またはスロット番号及び/またはマイクロタイムスロット番号であることができる。
【００７１】
前記時間領域位置は具体的に以下のようになることができるが、これらに限られない。
【００７２】
１つまたは複数の無線フレーム内のサブフレーム番号及び/またはシンボル番号及び/または伝送時間間隔（ＴＴＩ）番号及び/またはスロット番号及び/またはマイクロタイムスロット番号。
【００７３】
または、１つまたは複数のハーフフレーム内のサブフレーム番号及び/またはシンボル番号及び/またはＴＴＩ番号及び/またはスロット番号及び/またはマイクロタイムスロット番号。
【００７４】
または、１つまたは複数のサブフレーム内のシンボル番号及び/またはＴＴＩ番号及び/またはスロット番号及び/またはマイクロタイムスロット番号。
【００７５】
または、１つまたは複数のスロット内のシンボル番号及び/またはＴＴＩ番号及び/またはマイクロタイムスロット番号。
【００７６】
具体的に、前記時間領域位置は、以下のように定義されることができる。
【００７７】
１つまたは複数の無線フレームまたはハーフフレーム内のいずれの１つまたは一部のアップリンクサブフレームまたはスロットまたはマイクロタイムスロットまたはシンボルまたはＴＴＩ。
【００７８】
または、１つまたは複数の無線フレームまたはハーフフレーム内のいずれの１つまたは一部の、アップリンク伝送のためのシンボルが含まれるサブフレームまたはスロットまたはマイクロタイムスロット。
【００７９】
または、１つまたは複数の無線フレームまたはハーフフレーム内のいずれの１つまたは一部の、含まれるアップリンク伝送のための連続シンボルが予め設定された数より小さくないサブフレームまたはスロットまたはマイクロタイムスロット。
【００８０】
１つまたは複数の無線フレームまたはハーフフレーム内のいずれの１つまたは一部のまたは、アップリンク伝送のためのシンボルまたはＴＴＩスロットまたはマイクロタイムスロット。
【００８１】
または、１つまたは複数の無線フレームまたはハーフフレーム内のいずれの１つまたは一部のアップリンクサブフレームまたはスロットまたはマイクロタイムスロット内のいずれの１つまたは一部のシンボル。
【００８２】
または、１つまたは複数の無線フレームまたはハーフフレーム内のいずれの１つまたは一部のアップリンクサブフレームまたはスロットまたはマイクロタイムスロット内のいずれの１つまたは一部のＴＴＩ。
【００８３】
または、１つまたは複数の無線フレームまたはハーフフレーム内のいずれの１つまたは一部のアップリンクサブフレームまたはスロット内のいずれの１つまたは一部のマイクロタイムスロット。または、１つまたは複数の無線フレームまたはハーフフレーム内のいずれの１つまたは一部のアップリンクサブフレームまたはスロットまたはマイクロタイムスロット内のＡ個のシンボル。前記Ａは前記ＡＣＫ/ＮＡＣＫフィードバック情報の伝送に占有すべきシンボル数である。前記Ａは正整数である。
【００８４】
または、１つまたは複数の無線フレームまたはハーフフレーム内のいずれの１つまたは一部のアップリンクサブフレームまたはスロットまたはマイクロタイムスロット内のＡ個のＴＴＩ。前記Ａは前記ＡＣＫ/ＮＡＣＫフィードバック情報の伝送に占有すべきＴＴＩ数である。
【００８５】
または、１つまたは複数の無線フレームまたはハーフフレーム内のいずれの１つまたは一部のアップリンクサブフレームまたはスロット内のＡ個のマイクロタイムスロット、前記Ａは、前記ＡＣＫ/ＮＡＣＫフィードバック情報の伝送に占有すべきマイクロタイムスロット数である。
【００８６】
または、１つまたは複数の無線フレームまたはハーフフレーム内のいずれの１つまたは一部のアップリンクサブフレーム内のＡ個のスロット、前記Ａは、前記ＡＣＫ/ＮＡＣＫフィードバック情報の伝送に占有すべきスロット数である。
【００８７】
または、１つまたは複数の無線フレームまたはハーフフレーム内の全部または一部のアップリンクサブフレーム内のＡ個のサブフレーム。前記Ａは、前記ＡＣＫ/ＮＡＣＫフィードバック情報の伝送に占有すべきサブフレーム数である。または、
１つまたは複数の無線フレームまたはハーフフレーム内のいずれの１つまたは一部の、アップリンク伝送のためのシンボルが含まれるサブフレームまたはスロットまたはマイクロタイムスロット内のアップリンク伝送のためのいずれか１つまたは一部のシンボル。
【００８８】
１つまたは複数の無線フレームまたはハーフフレーム内のいずれの１つまたは一部または、の、アップリンク伝送のためのシンボルが含まれるサブフレームまたはスロットまたはマイクロタイムスロット内のアップリンク伝送のためのいずれか１つまたは一部のＴＴＩ。
【００８９】
または、１つまたは複数の無線フレームまたはハーフフレーム内のいずれの１つまたは一部の、アップリンク伝送のためのシンボルが含まれるサブフレームまたはスロット内のアップリンク伝送のためのいずれか１つまたは一部のマイクロタイムスロット。
【００９０】
または、１つまたは複数の無線フレームまたはハーフフレーム内のいずれの１つまたは一部の、アップリンク伝送のためのシンボルが含まれるサブフレームまたはスロットまたはマイクロタイムスロット内のＡ個のシンボル、前記Ａは前記ＡＣＫ/ＮＡＣＫフィードバック情報の伝送に占有すべきシンボル数である。
【００９１】
または、１つまたは複数の無線フレームまたはハーフフレーム内のいずれの１つまたは一部の、アップリンク伝送のためのシンボルが含まれるサブフレームまたはスロットまたはマイクロタイムスロット内のＡ個のＴＴＩ、前記Ａは前記ＡＣＫ/ＮＡＣＫフィードバック情報の伝送に占有すべきＴＴＩ数である。
【００９２】
または、１つまたは複数の無線フレームまたはハーフフレーム内のいずれの１つまたは一部の、アップリンク伝送のためのシンボルが含まれるサブフレームまたはスロット内のＡ個のマイクロタイムスロット。前記Ａは、前記ＡＣＫ/ＮＡＣＫフィードバック情報の伝送に占有すべきマイクロタイムスロット数である。
【００９３】
または、１つまたは複数の無線フレームまたはハーフフレーム内のいずれの１つまたは一部の、アップリンク伝送のためのシンボルが含まれるサブフレーム内のＡ個のスロット、前記Ａは、前記ＡＣＫ/ＮＡＣＫフィードバック情報の伝送に占有すべきスロット数である。
【００９４】
または、１つまたは複数の無線フレームまたはハーフフレーム内の全部または一部の、アップリンク伝送のためのシンボルが含まれるサブフレームのうちのＡサブフレーム、前記Ａは、前記ＡＣＫ/ＮＡＣＫフィードバック情報の伝送に占有すべきサブフレーム数である。
【００９５】
または、１つまたは複数の無線フレームまたはハーフフレーム内のいずれの１つまたは一部の、含まれるアップリンク伝送のための連続シンボル数が予め設定された数より小さくないサブフレームまたはスロットまたはマイクロタイムスロット内のアップリンク伝送のためのいずれか１つまたは一部のシンボル。
【００９６】
または、１つまたは複数の無線フレームまたはハーフフレーム内のいずれの１つまたは一部の、含まれるアップリンク伝送のための連続シンボル数が予め設定された数より小さくないサブフレームまたはスロットまたはマイクロタイムスロット内のアップリンク伝送のためのいずれか１つまたは一部のＴＴＩ。
【００９７】
または、１つまたは複数の無線フレームまたはハーフフレーム内のいずれの１つまたは一部の、含まれるアップリンク伝送のための連続シンボル数が予め設定された数より小さくないサブフレームまたはスロット内のアップリンク伝送のためのいずれか１つまたは一部のマイクロタイムスロット。
【００９８】
または、１つまたは複数の無線フレームまたはハーフフレーム内の全部または一部の、含まれるアップリンク伝送のための連続シンボル数が予め設定された数より小さくないサブフレームまたはスロットまたはマイクロタイムスロット内のＡ個のシンボル、前記Ａは前記ＡＣＫ/ＮＡＣＫフィードバック情報の伝送に占有すべきシンボル数である。
【００９９】
または、１つまたは複数の無線フレームまたはハーフフレーム内の全部または一部の、含まれるアップリンク伝送のための連続シンボル数が予め設定された数より小さくないサブフレームまたはスロットまたはマイクロタイムスロット内のＡ個のＴＴＩ、前記Ａは前記ＡＣＫ/ＮＡＣＫフィードバック情報の伝送に占有すべきＴＴＩ数である。
【０１００】
または、１つまたは複数の無線フレームまたはハーフフレーム内の全部または一部の、含まれるアップリンク伝送のための連続シンボル数が予め設定された数より小さくないサブフレーム内またはスロットのＡ個のマイクロタイムスロット、前記Ａは、前記ＡＣＫ/ＮＡＣＫフィードバック情報の伝送に占有すべきマイクロタイムスロット数である。
【０１０１】
または、１つまたは複数の無線フレームまたはハーフフレーム内の全部または一部の、含まれるアップリンク伝送のための連続シンボル数が予め設定された数より小さくないサブフレーム内のＡ個のスロット、前記Ａは、前記ＡＣＫ/ＮＡＣＫフィードバック情報の伝送に占有すべきスロット数である。
【０１０２】
または、１つまたは複数の無線フレームまたはハーフフレーム内の全部または一部の、含まれるアップリンク伝送のための連続シンボル数が予め設定された数より小さくないサブフレーム内のＡ個のサブフレーム、前記Ａは、前記ＡＣＫ/ＮＡＣＫフィードバック情報の伝送に占有すべきサブフレーム数である。
【０１０３】
ここで、条件を満たす一部のサブフレームまたはアップリンクサブフレームは、奇数個のアップリンクサブフレームまたは偶数個のアップリンクサブフレームであるか、または、直前一部のアップリンクサブフレームであるか、または、直後の一部のアップリンクサブフレームであるか、または、特定された一部のアップリンクサブフレーム（例えば、サブフレーム２及び/または７等）であることができる。ＴＤＤの場合、ＵｐＰＴＳを含んでもよく、ＵｐＰＴＳを含まなくてもよい。
【０１０４】
前記Ａ個のシンボルは、前記サブフレーム内の先頭Ａ個の連続のシンボルであるか、または、前記サブフレーム内の以後Ａ個の連続のシンボルであるか、または、前記サブフレーム内の位置が指定されたＡ個の連続のシンボルである。
【０１０５】
または、前記Ａ個のＴＴＩは、前記サブフレーム内の先頭Ａ個の連続のＴＴＩであるか、または、前記サブフレーム内の以後Ａ個の連続のＴＴＩであるか、または、前記サブフレーム内の位置が指定されたＡ個の連続のＴＴＩである。
【０１０６】
または、前記Ａ個のマイクロタイムスロットは、前記サブフレーム内の先頭Ａ個の連続のマイクロタイムスロットであるか、または、前記サブフレーム内の以後Ａ個の連続のマイクロタイムスロットであるか、または、前記サブフレーム内の位置が指定されたＡ個の連続のマイクロタイムスロットである。
【０１０７】
または、前記Ａ個のスロットは、前記サブフレーム（１つまたは複数のサブフレーム）内の先頭Ａ個の連続のスロットであるか、または、前記サブフレーム内の以後Ａ個の連続のスロットであるか、または、前記サブフレーム内の位置が指定されたＡ個の連続のスロットである。または、
前記Ａ個のサブフレームは、１つの無線フレームまたはハーフフレーム内の先頭Ａ個の連続のサブフレームであるか、または、前記サブフレーム内の以後Ａ個の連続のサブフレームであるか、または、前記サブフレーム内の位置が指定されたＡ個の連続のサブフレームである。
【０１０８】
実施中に、マイクロタイムスロット（miｎi-slot）は、予め定義されたかまたは設定されたZ個のシンボルが含まれるエレメントであり、例えば、１または２つのシンボルが含まれるエレメントであることができるが、勿論、他のシンボル数も可能である。
【０１０９】
ステップ３０２において、端末は、前記第１指示フィールドに従って、前記第１物理ダウンリンク制御チャネルまたは前記第１物理ダウンリンク制御チャネルに対応する第１物理ダウンリンク共有チャネルのＡＣＫ/ＮＡＣＫフィードバック情報の時間領域位置を確定し、前記ＡＣＫ/ＮＡＣＫフィードバック情報の時間領域位置において、前記ＡＣＫ/ＮＡＣＫフィードバック情報を伝送する。
【０１１０】
実施中に、前記第１指示フィールドは、前記ＡＣＫ/ＮＡＣＫフィードバック情報の伝送に占有すべき１番目のシンボルの位置を示す。前記ＡＣＫ/ＮＡＣＫフィードバック情報は、前記１番目のシンボルを起点とする連続Ａ個のアップリンクシンボルを占有し、前記Ａは正整数であり、または、前記第１指示フィールドは、前記ＡＣＫ/ＮＡＣＫフィードバック情報の伝送に占有すべき１番目のＴＴＩの位置を示し、前記ＡＣＫ/ＮＡＣＫフィードバック情報は、前記１番目のＴＴＩを起点とする連続Ａ個のアップリンクＴＴＩを占有する。
【０１１１】
または、前記第１指示フィールドは、前記ＡＣＫ/ＮＡＣＫフィードバック情報の伝送に占有すべき１番目のスロットの位置を示し、前記ＡＣＫ/ＮＡＣＫフィードバック情報は、前記１番目のスロットを起点とする連続Ａ個のスロットを占有する。
【０１１２】
または、前記第１指示フィールドは、前記ＡＣＫ/ＮＡＣＫフィードバック情報の伝送に占有すべき１番目のマイクロタイムスロットの位置を示し、前記ＡＣＫ/ＮＡＣＫフィードバック情報は、前記１番目のマイクロタイムスロットを起点とする連続Ａ個のマイクロタイムスロットを占有する。
【０１１３】
または、前記第１指示フィールドは、前記ＡＣＫ/ＮＡＣＫフィードバック情報の伝送に占有すべき１番目のサブフレームの位置を示し、前記ＡＣＫ/ＮＡＣＫフィードバック情報は、前記１番目のサブフレームを起点とする連続Ａ個のサブフレームを占有する。
【０１１４】
実施中に、前記第１指示フィールドは、前記ＡＣＫ/ＮＡＣＫフィードバック情報を伝送する時間領域位置が所在する無線フレームまたはハーフフレームまたはサブフレームまたはスロットまたはＴＴＩまたはマイクロタイムスロットまたはシンボルの位置を示すを示す。
【０１１５】
具体的に、端末は、前記ＡＣＫ/ＮＡＣＫフィードバック情報を伝送する時間領域位置が所在する無線フレームまたはハーフフレームまたはサブフレームまたはスロットまたはマイクロタイムスロットまたはシンボルの位置を確定する場合、以下の実施方式に従うことができるが、これらに限定されることではない。
【０１１６】
<第１種の実施方式>
前記端末は、第１ＴＴＩ長及び/または第２ＴＴＩ長に基づき、前記第１指示フィールドにより示される、ＡＣＫ/ＮＡＣＫフィードバック情報の時間領域位置が所在する無線フレームまたはハーフフレームまたはサブフレームまたはスロットまたはマイクロタイムスロットまたはシンボルの、位置を確定する。前記第１ＴＴＩ長は、前記第１物理ダウンリンク制御チャネル及び/または前記第１物理ダウンリンク制御チャネルに対応する第１物理ダウンリンク共有チャネルのＴＴＩ長であり、前記第２ＴＴＩ長は、予め設定されたかまたは約定された、ＡＣＫ/ＮＡＣＫフィードバック情報の時間領域位置を確定するためのＴＴＩ長である。
【０１１７】
記述の便宜のために、「前記第１物理ダウンリンク制御チャネル及び/または前記第１物理ダウンリンク制御チャネルに対応する第１物理ダウンリンク共有チャネル」を「前記ダウンリンク伝送」とする。即ち、端末は、前記ダウンリンク伝送の処理遅延及び第１指示フィールドにより示される、１つの無線フレームまたは半分の無線フレームまたは１つのサブフレームまたは１つのスロットまたは１つのマイクロタイムスロットないの時間領域リソースに基づき、ＡＣＫ/ＮＡＣＫフィードバック情報の時間領域位置を確定する。処理遅延とは、前記ダウンリンク伝送を処理して、対応のフィードバック情報を生成する過程を指す。例えば、処理遅延は、前記ダウンリンク伝送のＴＴＩ長*ｋであるか、または、予め設定されたかまたは約定された、ＡＣＫ/ＮＡＣＫ時間領域位置を確定するためのＴＴＩ長*ｋであるか、または、ｍａｘ（予め設定されたかまたは約定された、ＡＣＫ/ＮＡＣＫ時間領域位置を確定するためのＴＴＩ長、前記ダウンリンク伝送のＴＴＩ長）*ｋである。ここで、ｍａｘ（ａ,ｂ）は、値がａまたはｂのうちの最大値である。ここで、ｋは予め定義されたまたは設定された正整数である。例えば、ｋ=３、この場合、処理遅延にダウンリンク伝送自身の受信時間は含まれない。または、ｋ=４、この場合、処理遅延にダウンリンク伝送自身の受信時間は含まれる。
【０１１８】
処理遅延にダウンリンク伝送自身の受信時間は含まれないの例を取る。当該処理遅延に基づき、フィードバック情報の時間領域位置を確定する場合、下記２つの方法で確定できるが、これらに限定しない。
【０１１９】
方法１：前記時間領域位置を以下の時間領域リソースとする。
【０１２０】
前記ダウンリンク伝送の終了時間位置または終了シンボル位置の以後の、Ｌ１*ｋである時間の長さの後またはＬ２*ｋ個のシンボルの後の、１番目の前記第１指示フィールドにより示される、時間領域リソース。
【０１２１】
または、前記ダウンリンク伝送の終了時間位置または終了シンボル位置の以後の、Ｌ１*ｋである時間の長さより早くないかまたはＬ２*ｋ個のシンボルより早くない１番目の前記第１指示フィールドにより示される、時間領域リソース。
【０１２２】
または、前記ダウンリンク伝送のＴＴＩ長に従ってＴＴＩに番号をつけ、番号がｎ+ｋであるＴＴＩの以後の１番目の前記第１指示フィールドにより示される、時間領域リソース。前記ダウンリンク伝送のＴＴＩ番号がｎである。
【０１２３】
または、前記ダウンリンク伝送の終了時間位置または終了シンボル位置との間隔がＬ１*ｋより小さくない時間の長さまたはＬ２*ｋ個のシンボルより小さくないの１番目の前記第１指示フィールドにより示される、時間領域リソース。
【０１２４】
ここで、上述Ｌ１は、時間を単位とする前記ダウンリンク伝送のＴＴＩ長である。例えば、前記ダウンリンク伝送のＴＴＩ長は、Ｌ１ｍｓである。Ｌ２は、シンボルを単位とする前記ダウンリンク伝送のＴＴＩ長である、例えば、前記ダウンリンク伝送のＴＴＩ長はＬ２個のシンボルである。
【０１２５】
方法２：前記時間領域位置を以下の時間領域リソースとする。
【０１２６】
ＴＴＩ長に基づいて確定された前記ダウンリンク伝送の終了時間位置または終了シンボル位置の以後、Ｌ３*ｋである時間の長さを満足する以後のまたはＬ４*ｋ個のシンボルの以後の１番目の前記第１指示フィールドにより示される、時間領域リソース。
【０１２７】
または、ＴＴＩ長に基づいて確定された前記ダウンリンク伝送の終了時間位置または終了シンボル位置の以後の、Ｌ３*ｋである時間の長さより速くないかまたはＬ４*ｋ個のシンボルより速くない１番目の前記第１指示フィールドにより示される、時間領域リソース。
【０１２８】
または、特定ＴＴＩ長でＴＴＩを番号つけ、番号がｎ+ｋであるＴＴＩ以後の１番目の前記第１指示フィールドにより示される、時間領域リソース。前記ダウンリンク伝送のＴＴＩ番号はｎである。
【０１２９】
または、ＴＴＩ長に基づいて確定された前記ダウンリンク伝送の終了時間位置または終了シンボル位置との間隔がＬ３*ｋより小さくない時間の長さまたはＬ４*ｋ個のシンボルより小さくない１番目の前記第１指示フィールドにより示される、時間領域リソース。
【０１３０】
前記Ｌ３は、時間を単位とする前記特定ＴＴＩ長であり、例えば、前記特定ＴＴＩ長はＬ３ｍｓである。前記Ｌ２はシンボルを単位とする前記特定ＴＴＩ長であり、例えば、前記特定ＴＴＩ長はＬ４個のシンボルである。前記特定ＴＴＩ長は、予め設定されたかまたは約定された、ＡＣＫ/ＮＡＣＫ時間領域位置を確定するためのＴＴＩ長であるか、または、ｍａｘ（予め設定されたかまたは約定された、ＡＣＫ/ＮＡＣＫ時間領域位置を確定するためのＴＴＩ長であり、前記ダウンリンク伝送のＴＴＩ長）である。
【０１３１】
処理遅延にダウンリンク伝送自身の受信時間が含まれる場合、当該処理遅延に基づき、フィードバック情報の時間領域位置を確定する。当該確定は、上述の過程と類似するが、相違するところとしては、前記ダウンリンク伝送の開始位置を基準として、処理遅延を延びる。遅延を満たす１番目の前記第１指示フィールドにより示される、時間領域リソースとして確定する
このように、処理遅延を満たす１番目の前記第１指示フィールドにより示される、時間領域リソースが、前記ダウンリンク伝送のための無線フレームまたはハーフフレームまたはサブフレームまたはスロットまたはマイクロタイムスロットまたはＴＴＩまたはシンボルにあると確定できる。または、前記ダウンリンク伝送のための無線フレームまたはハーフフレームまたはサブフレームまたはスロットまたはマイクロタイムスロットまたはＴＴＩまたはシンボル以後の１つの無線フレームまたは以後の１や２つのハーフフレームまたは以後のＸ１個のサブフレームまたは以後のＸ２個のスロットまたは以後のＸ３個のマイクロタイムスロットまたは以後のＸ４個のＴＴＩまたは以後のＸ５個のシンボルにあると確定する。例えば、前記ダウンリンク伝送のための無線フレーム内の前記第１指示フィールドにより示される、時間領域リソースが処理遅延を満たす場合、前記第１指示フィールドにより示される、時間領域リソースが現在無線フレームにあると確定できる。前記ダウンリンク伝送のための無線フレーム内の前記第１指示フィールドにより示される、時間領域リソースが処理遅延を満たさないか、または前記ダウンリンク伝送のための無線フレームの次の無線フレーム内の前記第１指示フィールドにより示される、時間領域リソースが一番近い、処理遅延を満たす１つの時間領域位置であれば、前記第１指示フィールドにより示される、時間領域リソースが現在無線フレームの次の無線フレームにあると確定できる。ハーフフレーム位置/サブフレーム位置/スロット位置/マイクロタイムスロット位置/ＴＴＩ位置/シンボル位置の判断もこれと類似するため、繰り返して説明しない。
【０１３２】
＜第２種実施方式＞
端末は、前記第１物理ダウンリンク制御チャネルを伝送するサブフレーム番号、及び前記第１指示フィールドにより示される、ＡＣＫ/ＮＡＣＫフィードバック情報の時間領域位置のサブフレーム番号の大小順または前後順に基づき、前記第１指示フィールドにより示される、ＡＣＫ/ＮＡＣＫフィードバック情報の時間領域位置が所在する無線フレームまたはハーフフレームまたはサブフレームの位置を確定する。
【０１３３】
または、端末は、前記第１物理ダウンリンク制御チャネルを伝送するスロット番号、及び前記第１指示フィールドにより示される、ＡＣＫ/ＮＡＣＫフィードバック情報の時間領域位置のスロット番号の大小順または前後順に基づき、前記第１指示フィールドにより示される、ＡＣＫ/ＮＡＣＫフィードバック情報の時間領域位置が所在する無線フレームまたはハーフフレームまたはサブフレームまたはスロットの位置を確定する。
【０１３４】
または、端末は、前記第１物理ダウンリンク制御チャネルを伝送するＴＴＩ番号、及び前記第１指示フィールドにより示される、ＡＣＫ/ＮＡＣＫフィードバック情報の時間領域位置のＴＴＩ番号の大小順または前後順に基づき、前記第１指示フィールドにより示される、ＡＣＫ/ＮＡＣＫフィードバック情報の時間領域位置が所在する無線フレームまたはハーフフレームまたはスロットまたはＴＴＩの位置を確定する。
【０１３５】
または、端末は、前記第１物理ダウンリンク制御チャネルを伝送するマイクロタイムスロット番号、及び前記第１指示フィールドにより示される、ＡＣＫ/ＮＡＣＫフィードバック情報の時間領域位置のマイクロタイムスロット番号の大小順または前後順に基づき、前記第１指示フィールドにより示される、ＡＣＫ/ＮＡＣＫフィードバック情報の時間領域位置が所在する無線フレームまたはハーフフレームまたはサブフレームまたはスロットまたはマイクロタイムスロットの位置を確定する。
【０１３６】
または、端末は、前記第１物理ダウンリンク制御チャネルを伝送するシンボル番号、及び前記第１指示フィールドにより示される、ＡＣＫ/ＮＡＣＫフィードバック情報の時間領域位置のシンボル番号の大小順または前後順に基づき、前記第１指示フィールドにより示される、ＡＣＫ/ＮＡＣＫフィードバック情報の時間領域位置が所在する無線フレームまたはハーフフレームまたはサブフレームまたはスロットまたはマイクロタイムスロットまたはシンボルの位置を確定する。
【０１３７】
換言すれば、第１指示フィールドにより示される、ＡＣＫ/ＮＡＣＫフィードバック情報の時間領域位置は、前記第１物理ダウンリンク制御チャネル又は当該第１物理ダウンリンク制御チャネルに対応する第１物理ダウンリンク共有チャネル伝送の時間領域位置より速くない。例えば、第１物理ダウンリンク制御チャネルまたは当該１物理ダウンリンク制御チャネルに対応する第１物理ダウンリンク共有チャネルがサブフレーム#５において伝送される場合、第１指示フィールドが示すＡＣＫ/ＮＡＣＫフィードバック情報の時間領域位置がサブフレーム#０であれば、第１物理ダウンリンク制御チャネルまたは当該１物理ダウンリンク制御チャネルに対応する第１物理ダウンリンク共有チャネルを伝送する無線フレームにおいて、サブフレーム#０がサブフレーム#５より速いため、第１指示フィールドが示すＡＣＫ/ＮＡＣＫフィードバック情報の時間領域位置が次の無線フレーム内のサブフレーム#０であると判断する。ハーフフレーム位置/サブフレーム位置/スロット位置/マイクロタイムスロット位置/ＴＴＩ位置/シンボル位置の確定もこれと類似するため、繰り返して説明しない。
【０１３８】
本発明の実施例に係る，前記ＡＣＫ/ＮＡＣＫフィードバック情報の時間領域位置は以下方式のうちの１つまたはこれらの組み合わせである。
【０１３９】
前記ＡＣＫ/ＮＡＣＫフィードバック情報の時間領域位置が所在する無線フレームは、前記第１物理ダウンリンク制御チャネルまたは前記第１物理ダウンリンク制御チャネルに対応する第１物理ダウンリンク共有チャネルを伝送する無線フレームであるか、または、前記第１物理ダウンリンク制御チャネルまたは前記第１物理ダウンリンク制御チャネルに対応する第１物理ダウンリンク共有チャネルを伝送する無線フレームの以後のｎ１番目の無線フレームであり、前記ｎ１は正整数である。
【０１４０】
前記ＡＣＫ/ＮＡＣＫフィードバック情報の時間領域位置が所在するハーフフレームは、前記第１物理ダウンリンク制御チャネルまたは前記第１物理ダウンリンク制御チャネルに対応する第１物理ダウンリンク共有チャネルを伝送するハーフフレームであるか、または、前記第１物理ダウンリンク制御チャネルまたは前記第１物理ダウンリンク制御チャネルに対応する第１物理ダウンリンク共有チャネルを伝送するハーフフレームの以後のｎ２番目のハーフフレームであり、前記ｎ２は正整数である。
【０１４１】
前記ＡＣＫ/ＮＡＣＫフィードバック情報の時間領域位置が所在するサブフレームは、前記第１物理ダウンリンク制御チャネルまたは前記第１物理ダウンリンク制御チャネルに対応する第１物理ダウンリンク共有チャネルを伝送するサブフレームであるか、または、前記第１物理ダウンリンク制御チャネルまたは前記第１物理ダウンリンク制御チャネルに対応する第１物理ダウンリンク共有チャネルを伝送するサブフレームの以後のｎ３番目のサブフレームであり、前記ｎ３は正整数である。
【０１４２】
前記ＡＣＫ/ＮＡＣＫフィードバック情報の時間領域位置が所在するスロットは、前記第１物理ダウンリンク制御チャネルまたは前記第１物理ダウンリンク制御チャネルに対応する第１物理ダウンリンク共有チャネルを伝送するスロットであるか、または、前記第１物理ダウンリンク制御チャネルまたは前記第１物理ダウンリンク制御チャネルに対応する第１物理ダウンリンク共有チャネルを伝送するスロットの以後のｎ４番目のスロットであり、前記ｎ４は正整数である。
【０１４３】
前記ＡＣＫ/ＮＡＣＫフィードバック情報の時間領域位置が所在するマイクロタイムスロットは、前記第１物理ダウンリンク制御チャネルまたは前記第１物理ダウンリンク制御チャネルに対応する第１物理ダウンリンク共有チャネルを伝送するマイクロタイムスロットであるか、または、前記第１物理ダウンリンク制御チャネルまたは前記第１物理ダウンリンク制御チャネルに対応する第１物理ダウンリンク共有チャネルを伝送するマイクロタイムスロットの以後のｎ５番目のマイクロタイムスロットであり、前記ｎ５は正整数である。
【０１４４】
前記ＡＣＫ/ＮＡＣＫフィードバック情報の時間領域位置が所在するＴＴＩは、前記第１物理ダウンリンク制御チャネルまたは前記第１物理ダウンリンク制御チャネルに対応する第１物理ダウンリンク共有チャネルを伝送するＴＴＩであるか、または、前記第１物理ダウンリンク制御チャネルまたは前記第１物理ダウンリンク制御チャネルに対応する第１物理ダウンリンク共有チャネルを伝送するＴＴＩの以後のｎ６番目個のＴＴＩであり、前記ｎ６は正整数である。
【０１４５】
前記ＡＣＫ/ＮＡＣＫフィードバック情報の時間領域位置が所在するシンボルは、前記第１物理ダウンリンク制御チャネルまたは前記第１物理ダウンリンク制御チャネルに対応する第１物理ダウンリンク共有チャネルを伝送するシンボルであるか、または、前記第１物理ダウンリンク制御チャネルまたは前記第１物理ダウンリンク制御チャネルに対応する第１物理ダウンリンク共有チャネルを伝送するシンボルの以後のｎ７番目のシンボルであり、前記ｎ７は正整数である。
【０１４６】
実施中に、前記端末が複数の前記第１物理ダウンリンク制御チャネルの第１指示フィールドそれぞれに基づいて確定したＡＣＫ/ＮＡＣＫフィードバック情報の時間領域位置が同様であれば、前記端末は、前記複数の前記第１物理ダウンリンク制御チャネルのＤＣＩ内のＤＡＩ指示フィールド（以下第２指示フィールドと称する）に基づき、、前記複数の前記第１物理ダウンリンク制御チャネルのうちの各々第１物理ダウンリンク制御チャネルまたは各々第１物理ダウンリンク制御チャネルに対応する第１物理ダウンリンク共有チャネルのＡＣＫ/ＮＡＣＫフィードバック情報をカスケードした後、前記ＡＣＫ/ＮＡＣＫフィードバック情報の時間領域位置において伝送する。ここで、ＤＡＩは、カウンタとして、現在ダウンリンク伝送までに、同一のキャリアにおいてスケジューリングされた、同一の時間領域位置でＡＣＫ/ＮＡＣＫフィードバックするダウンリンク伝送の総数を示すか、または、現在ダウンリンク伝送までに、複数のキャリア及び/またはＴＴＩにおいてスケジューリングされた、同一の時間領域位置でＡＣＫ/ＮＡＣＫフィードバックするダウンリンク伝送の総数を示す。ＤＡＩ値の連続性により、中間位置でダウンリンク伝送の紛失の有無を判断することができる。例えば、受信した１番目のダウンリンク伝送のＤＡＩが１、第２ダウンリンク伝送のＤＡＩが３であれば、受信した第１及び第２のダウンリンク伝送の間、１つのダウンリンク伝送が紛失された。当該紛失されたダウンリンク伝送に対しＮＡＣＫを生成してフィードバック情報とし、また、これによりそのＤＡＩの値が２であると推定でき、ＤＡＩの値に従って当該３つのダウンリンク伝送のＡＣＫ/ＮＡＣＫを順番つけてカスケードすることができる。例えば、ＤＡＩ昇順でカスケードする。または、当該ＤＡＩが示す総数は、半永続スケジューリング（Semi-Ｐersisteｎt Scheduliｎg，ＳＰＳ）第１物理ダウンリンク共有チャネルを含まないことができる。または、当該総数は、ダウンリンクＳＰＳリソースリリースの第１物理ダウンリンク制御チャネル及び対応の第１物理ダウンリンク制御チャネルを有する第１物理ダウンリンク共有チャネルの累積数を示す。
【０１４７】
例えば、第２指示フィールドが２ビット情報であれば、第２指示フィールドの値は表３に示すように、同一のアップリンク位置でＡＣＫ/ＮＡＣＫフィードバック情報伝送するダウンリンク伝送の数が４を超えなければ、１対１のマッピングを取る。４個を超える場合、ｍｏｄ４の１対多のマッピングを取る。例えば、「００」は、１または５または９個を示す。ここで、第２指示フィールドを２ビット情報とする例を取ったが、第２指示フィールドがたのビット情報である場合は、表３を参考すればよいため、繰り返して説明しない。
【０１４８】
【表３】
2019509699.tif 000012
本発明の実施例に係る，端末は、前記時間領域位置と前記第１物理ダウンリンク制御チャネルの間の時間差が処理遅延より小さいと判断するか、または、前記時間領域位置と前記第１物理ダウンリンク制御チャネルに対応する第１物理ダウンリンク共有チャネルの間の時間差が処理遅延より小さいと判断する場合、前記第１物理ダウンリンク制御チャネルに対応するＡＣＫ/ＮＡＣＫフィードバック情報をフィードバックしないか、または、前記時間領域位置でＮＣＫをフィードバックする。さもないと、前記時間領域位置で前記第１物理ダウンリンク制御チャネルに対応するＡＣＫ/ＮＡＣＫフィードバック情報をフィードバックする。処理遅延の定義は上述と同様であるため、繰り返して説明しない。
【０１４９】
実施中に、前記第１物理ダウンリンク制御チャネルが、対応の第１物理ダウンリンク共有チャネル（当該状況では、動的にスケジューリングした第１物理ダウンリンク共有チャネル及び半永続スケジューリング（ＳＰＳ）された第１物理ダウンリンク共有チャネルが含まれる、半永続スケジューリングされた第１物理ダウンリンク共有チャネルの場合、当該第１物理ダウンリンク制御チャネルは、当該ＳＰＳ第１物理ダウンリンク共有チャネル伝送を活性化するためのものである）を有すれば、前記ＡＣＫ/ＮＡＣＫフィードバック情報は、前記第１物理ダウンリンク共有チャネルのＡＣＫ/ＮＡＣＫフィードバック情報である。及び/または、前記第１物理ダウンリンク制御チャネルがダウンリンＳＰＳリソースリリースを示す場合、前記ＡＣＫ/ＮＡＣＫフィードバック情報は、前記第１物理ダウンリンク制御チャネルのＡＣＫ/ＮＡＣＫフィードバック情報である。
【０１５０】
前記第１物理ダウンリンク制御チャネルがダウンリンクグＳＰＳリソースの活性化を示す場合、前記第１物理ダウンリンク制御チャネルにより活性化されたＳＰＳ 第１物理ダウンリンク共有チャネルが毎回伝送するＡＣＫ/ＮＡＣＫフィードバック情報の時間領域位置は、いつも前記第１物理ダウンリンク制御チャネルのＤＣＩに含まれる第１指示フィールドにより確定される。
【０１５１】
具体的に、端末は、ＰＵＣＣＨまたは物理アップリンク共有チャネル（Ｐｈｙｓｉｃａｌ Ｕｐｌｉｎｋ Ｓｈａｒｅｄ Ｃｈａｎｎｅｌ，ＰＵＳＣＨ）を介して、前記時間領域位置で前記第１物理ダウンリンク制御チャネルに対応するＡＣＫ/ＮＡＣＫフィードバック情報をフィードバックする。ＰＵＣＣＨ構成は、ＰＵＣＣＨ ｆｏｒｍａｔ ４/５のマッピング及び周波数拡張方式を重複利用して、時間領域伝送長及び/または周波数領域リソースサイズのみを変える。勿論、他のＰＵＣＣＨ ｆｏｒｍａｔ構成を利用することもできる。
【０１５２】
同様な発明思想に基づき、図３Ｂに示す本発明の実施例に係る基地局側において、ＡＣＫ/ＮＡＣＫフィードバック情報を取得する方法のフローチャートは、以下のステップを備える。
【０１５３】
ステップ４０１において、基地局は、端末に第１物理ダウンリンク制御チャネルを送信し、前記第１物理ダウンリンク制御チャネルのダウンリンク制御情報ＤＣＩに第１指示フィールドが含まれ、前記第１指示フィールドは、ＡＣＫ/ＮＡＣＫフィードバック情報の時間領域位置を確定するためのものである。
【０１５４】
ここで、第１指示フィールドがＡＣＫ/ＮＡＣＫフィードバック情報の時間領域位置を示す方式は、ステップ３０１ないしステップ３０２の記載を参考することができ、この以上説明しない。
【０１５５】
ステップ４０２において、基地局は、前記第１指示フィールドに基づいて確定されたＡＣＫ/ＮＡＣＫフィードバック情報の時間領域位置において、前記端末からフィードバックされた前記第１物理ダウンリンク制御チャネルまたは前記第１物理ダウンリンク制御チャネルに対応する第１物理ダウンリンク共有チャネルのＡＣＫ/ＮＡＣＫフィードバック情報を、受信する。
【０１５６】
基地局側は、端末側と類似する分析により、各々ダウンリンク伝送のＡＣＫ/ＮＡＣＫフィードバック情報に対応する時間領域位置を確定し、また、ＡＣＫ/ＮＡＣＫフィードバック情報の順番づけ方式を確定することができ、こうして、端末の操作と一致でき、端末からのＡＣＫ/ＮＡＣＫフィードバック情報を正確に分析することができる。具体的には、ステップ３０１ないしステップ３０２の関連記載を参考すればよく、この以上説明しない。
【０１５７】
以下、実施例により本発明の実施例に係るＡＣＫ/ＮＡＣＫフィードバックを例を挙げながら説明する。。
【０１５８】
第１実施例
ここで、通常のサイクリックプレフィックス（Ｃｙｃｌｉｃ Ｐｒｅｆｉｘ，ＣＰ）のＦＤＤキャリアを例とする。
【０１５９】
当該実施例において、１つの無線フレーム内の各々アップリンクサブフレーム内の最後１つのシンボルにおいてＡＣＫ/ＮＡＣＫフィードバック情報を伝送すれば、１つの無線フレームに１０個のＡＣＫ/ＮＡＣＫフィードバック情報の時間領域位置がある。ＤＣＩ内の、ＡＣＫ/ＮＡＣＫフィードバック情報の時間領域位置を示す第１指示フィールドに占有されたビット数が４であり、ここで、第１指示フィールドと示すＡＣＫ/ＮＡＣＫフィードバック情報の時間領域位置の間の対応関係は、表４に示す。
【０１６０】
【表４】
2019509699.tif 000013
当該実施例において、図４は、ＤＣＩが、１端末が異なるサブフレームに異なるリソースを占有する場合のダウンリンク伝送に対応するＡＣＫ/ＮＡＣＫフィードバック情報の伝送時間領域位置を示す図である。以下、詳しく説明する。
【０１６１】
第１：サブフレーム#５において伝送する１番目のダウンリンク伝送に対応する物理ダウンリンク制御チャネルのＤＣＩ１内の第１指示フィールドが「０１０１」であり、サブフレーム#５において伝送する第２のダウンリンク伝送に対応する物理ダウンリンク制御チャネルのＤＣＩ２内の第１指示フィールドも「０１０１」である。第１指示フィールド示すサブフレーム番号は、当該ＤＣＩ伝送のためのサブフレーム番号より小さくなく、かつ、現在無線フレーム（即ち、当該ＤＣＩ伝送のための無線フレーム、以下も同様）内の第１指示フィールドにより示される、サブフレームの最後１つのシンボルがフィードバック遅延を満たされば、第１及び第２のダウンリンク伝送を示すＡＣＫ/ＮＡＣＫフィードバック情報が、現在無線フレーム内のサブフレーム#５内の最後１つのシンボルにおいて伝送されると判断する。ＤＣＩ１及びＤＣＩ２内のダウンリンク割り当てインデックス（Ｄｏｗｎｌｉｎｋ Ａｓｓｉｇｎｍｅｎｔ Ｉｎｄｅｘ，ＤＡＩ）指示フィールドに基づき、第１及び第２のダウンリンク伝送に対応するＡＣＫ/ＮＡＣＫフィードバック情報に順番をつけ、確定された時間領域位置で、順番つけられたＡＣＫ/ＮＡＣＫシーケンスを伝送する。
【０１６２】
第２：サブフレーム#５において伝送する第３のダウンリンク伝送に対応する物理ダウンリンク制御チャネルのＤＣＩ３の第１指示フィールドが「０１１０」であり、サブフレーム#５において伝送する第４のダウンリンク伝送に対応する物理ダウンリンク制御チャネルのＤＣＩ４内の第１指示フィールドも「０１１０」である。第１指示フィールドにより示される、サブフレーム番号が当該ＤＣＩ伝送のためのサブフレーム番号より小さくなく、また、現在無線フレーム内の第１指示フィールドにより示される、サブフレーム内の最後１つのシンボルがフィードバック遅延を満たされば、第３及び第４のダウンリンク伝送を示すＡＣＫ/ＮＡＣＫフィードバック情報が、現在無線フレーム内のサブフレーム#６内の最後１つのシンボルにおいて伝送されると判断する。ＤＣＩ３及びＤＣＩ４内のＤＡＩ指示フィールドに基づき、第３及び第４のダウンリンク伝送に対応するＡＣＫ/ＮＡＣＫフィードバック情報に順番をつけ、確定された時間領域位置で、順番つけられて得られたＡＣＫ/ＮＡＣＫシーケンスを伝送する。
【０１６３】
第３：サブフレーム#６において伝送する第５のダウンリンク伝送に対応する物理ダウンリンク制御チャネルのＤＣＩ５内の第１指示フィールドは「１０００」であり、サブフレーム#６において伝送する第６のダウンリンク伝送に対応する物理ダウンリンク制御チャネルのＤＣＩ６内の第１指示フィールドも「１０００」である。第１指示フィールドにより示される、サブフレーム番号が当該ＤＣＩ伝送のためのサブフレーム番号より小さくなく、また、現在無線フレーム内の第１指示フィールドにより示される、サブフレーム内の最後１つのシンボルがフィードバック遅延を満たされば、第５及び第６のダウンリンク伝送を示すＡＣＫ/ＮＡＣＫフィードバック情報が、現在無線フレーム内のサブフレーム#８内の最後１つのシンボルにおいて伝送されると判断する。ＤＣＩ５及びＤＣＩ６内のＤＡＩ指示フィールドに基づき、第５及び第６のダウンリンク伝送に対応するＡＣＫ/ＮＡＣＫフィードバック情報に順番をつけ、確定された時間領域位置で、順番つけられて得られたＡＣＫ/ＮＡＣＫシーケンスを伝送する。
【０１６４】
第４：サブフレーム#７において伝送する第７個のダウンリンク伝送に対応する物理ダウンリンク制御チャネルのＤＣＩ７内の第１指示フィールドは「００００」であり、当該第１指示フィールドにより示される、サブフレーム番号は、当該ＤＣＩ伝送のためのサブフレーム番号より小さい。よって、当該ダウンリンク伝送を示すＡＣＫ/ＮＡＣＫフィードバック情報は、次の無線フレーム（即ち、当該ＤＣＩ伝送のための無線フレームの次の無線フレーム、以下も同様）内のサブフレーム#０内の最後１つのシンボルにおいて伝送されると判断する。
【０１６５】
基地局側は、第１〜第４と類似する分析により、各々ダウンリンク伝送のＡＣＫ/ＮＡＣＫフィードバック情報に対応する時間領域位置を確定し、または、ＡＣＫ/ＮＡＣＫフィードバック情報の順番づけを判断する。こうして、端末の操作と一致でき、端末からのＡＣＫ/ＮＡＣＫフィードバック情報を正確に分析することができる。
【０１６６】
第２実施例
ここで、通常のCＰを利用する１つのＦＤＤキャリアを例とする。
【０１６７】
当該実施例において、１つの無線フレーム内の各々番号が偶数であるアップリンクサブフレーム内の最後１つのシンボルにおいてＡＣＫ/ＮＡＣＫフィードバック情報を伝送すれば、１つの無線フレームに５個のＡＣＫ/ＮＡＣＫフィードバック情報の時間領域位置がある。ＤＣＩ内の、ＡＣＫ/ＮＡＣＫフィードバック情報の時間領域位置を示す第１指示フィールドに占有されたビット数は３であり、ここで、第１指示フィールドと示すＡＣＫ/ＮＡＣＫフィードバック情報の時間領域位置の間の対応関係は、表５に示す。
【０１６８】
【表５】
2019509699.tif 000014
当該実施例において、図５は、ＤＣＩが、１端末が異なるサブフレームに異なるリソースを占有する場合のダウンリンク伝送に対応するＡＣＫ/ＮＡＣＫフィードバック情報の伝送時間領域位置を示す図である。以下、詳しく説明する。
【０１６９】
第１：サブフレーム#５において伝送する１番目のダウンリンク伝送に対応する物理ダウンリンク制御チャネルのＤＣＩ１、第２のダウンリンク伝送に対応する物理ダウンリンク制御チャネルのＤＣＩ２、第３のダウンリンク伝送に対応する物理ダウンリンク制御チャネルのＤＣＩ３及び第４のダウンリンク伝送に対応する物理ダウンリンク制御チャネルのＤＣＩ４内の第１指示フィールドは、「０１１」であり、第１指示フィールド示すサブフレーム番号が当該ＤＣＩ伝送のためのサブフレーム番号より小さくなく、また、現在無線フレーム内の第１指示フィールドにより示される、サブフレーム内の最後１つのシンボルがフィードバック遅延を満たされば、当該第１~４個のダウンリンク伝送を示すＡＣＫ/ＮＡＣＫは、現在無線フレーム内のサブフレーム#６内の最後１つのシンボルにおいて伝送されると判断する。ＤＣＩ１、ＤＣＩ２、ＤＣＩ３、ＤＣＩ４内のＤＡＩ指示フィールドに基づき、第１~４個のダウンリンク伝送に対応するＡＣＫ/ＮＡＣＫフィードバック情報に順番をつけ、確定された時間領域位置で、順番つけられて得られたＡＣＫ/ＮＡＣＫシーケンスを伝送する。
【０１７０】
第２：サブフレーム#６において伝送する第５のダウンリンク伝送に対応する物理ダウンリンク制御チャネルのＤＣＩ５，及び第６のダウンリンク伝送に対応する物理ダウンリンク制御チャネルのＤＣＩ６内の第１指示フィールドは「１００」であり、第１指示フィールドにより示される、サブフレーム番号が当該ＤＣＩ伝送のためのサブフレーム番号より小さくなく、また、現在無線フレーム内の第１指示フィールドにより示される、サブフレーム内の最後１つのシンボルがフィードバック遅延を満たされば、この２つのダウンリンク伝送を示すＡＣＫ/ＮＡＣＫは、現在無線フレーム内のサブフレーム#８内の最後１つのシンボルにおいて伝送されると判断する。ＤＣＩ５及びＤＣＩ６内のＤＡＩ指示フィールドに基づき、第５及び第６のダウンリンク伝送に対応するＡＣＫ/ＮＡＣＫフィードバック情報に順番をつけ、確定された時間領域位置で、順番つけられて得られたＡＣＫ/ＮＡＣＫシーケンスを伝送する。
【０１７１】
第３：サブフレーム#７において伝送する第７個のダウンリンク伝送に対応する物理ダウンリンク制御チャネルのＤＣＩ７内の第１指示フィールドは「０００」であり、第１指示フィールドにより示される、サブフレーム番号が当該ＤＣＩ伝送のためのサブフレーム番号より小さいため、当該ダウンリンク伝送を示すＡＣＫ/ＮＡＣＫフィードバック情報が、次の無線フレーム内のサブフレーム#０内の最後１つのシンボルにおいて伝送されると判断する
基地局側は、第１~第３号と類似する分析により、各々ダウンリンク伝送的ＡＣＫ/ＮＡＣＫフィードバック情報に対応する時間領域位置を確定し、また、ＡＣＫ/ＮＡＣＫフィードバック情報の順番づけを判断する。こうして、端末の操作と一致でき、端末からのＡＣＫ/ＮＡＣＫフィードバック情報を正確に分析することができる。
【０１７２】
一部のサブフレーム/シンボル/ＴＴＩがＡＣＫ/ＮＡＣＫの伝送に用いる定義方式は、第２実施例タイプと類似し、この以上説明しない。。
【０１７３】
また、第１実施例及び第２実施例内の第１指示フィールドが半分の無線フレーム内のＡＣＫ/ＮＡＣＫフィードバック情報の時間領域位置を示すように定義することもできる。例えば、第２実施例において、ＤＣＩ内の第１指示フィールドを２ビットに圧縮することもでき、表６の対応関係を参考されたい。
【０１７４】
【表６】
2019509699.tif 000015
上述と類似するサブフレーム番号及び処理遅延関係にもとづいて、示すＡＣＫ/ＮＡＣＫ時間領域位置に対応するハーフフレームが、現在サブフレーム内の先頭のハーフフレームであるか、または、後ろのハーフフレームであるか、または、次の無線フレーム内の先頭のハーフフレームであるかまたは後ろのハーフフレームであるかを判断する。図６に示すように、以下、詳しく説明する。
【０１７５】
第４．サブフレーム#５において伝送する１番目のダウンリンク伝送に対応する物理ダウンリンク制御チャネルのＤＣＩ１、第２のダウンリンク伝送に対応する物理ダウンリンク制御チャネルのＤＣＩ２、第３のダウンリンク伝送に対応する物理ダウンリンク制御チャネルのＤＣＩ３及び第４のダウンリンク伝送に対応する物理ダウンリンク制御チャネルのＤＣＩ４内の第１指示フィールドは「００」であり、サブフレーム#０または#６内の最後１つのシンボルに対応し、サブフレーム#６の番号が当該ＤＣＩ伝送のためのサブフレーム番号より小さくなく、また、現在無線フレーム内の第１指示フィールドにより示される、サブフレーム内の最後１つのシンボルがフィードバック遅延を満たされば、この４つのダウンリンク伝送を示すＡＣＫ/ＮＡＣＫが、現在無線フレーム内のサブフレーム#６内の最後１つのシンボルにおいて伝送されると判断する。ＤＣＩ１、ＤＣＩ２、ＤＣＩ３、ＤＣＩ４内のＤＡＩ指示フィールドに基づき、第１~４個のダウンリンク伝送に対応するＡＣＫ/ＮＡＣＫフィードバック情報に順番をつけ、確定された時間領域位置で、順番つけられて得られたＡＣＫ/ＮＡＣＫシーケンスを伝送する。
【０１７６】
第５：サブフレーム#６において伝送する第５のダウンリンク伝送に対応する物理ダウンリンク制御チャネルのＤＣＩ５，及び第６のダウンリンク伝送に対応する物理ダウンリンク制御チャネルのＤＣＩ６内の第１指示フィールドは、「０１」であり、サブフレーム#２または#８内の最後１つのシンボルに対応する。サブフレーム#８の番号が当該ＤＣＩ伝送のためのサブフレーム番号より小さくなく、また、現在無線フレーム内の第１指示フィールドにより示される、サブフレーム内の最後１つのシンボルがフィードバック遅延を満たされば、当該２つのダウンリンク伝送を示すＡＣＫ/ＮＡＣＫが、現在無線フレーム内のサブフレーム#８内の最後１つのシンボルにおいて伝送されると判断する。ＤＣＩ５及びＤＣＩ６内のＤＡＩ指示フィールドに基づき、第５及び第６のダウンリンク伝送に対応するＡＣＫ/ＮＡＣＫフィードバック情報に順番をつけ確定された時間領域位置で、順番つけられて得られたＡＣＫ/ＮＡＣＫシーケンスを伝送する。
【０１７７】
第６：サブフレーム#７において伝送する第７個のダウンリンク伝送に対応する物理ダウンリンク制御チャネルのＤＣＩ７内の第１指示フィールドは、「００」であり、サブフレーム#０または#６内の最後１つのシンボルに対応する。サブフレーム#０及び#６の番号が当該ＤＣＩ伝送のためのサブフレーム番号より小さいため、次の無線フレームにおいて、そのＡＣＫ/ＮＡＣＫフィードバック情報を伝送する必要があると判断し、次の無線フレーム内のサブフレーム#０内の最後１つのシンボルは、一番近い、フィードバック遅延を満たす位置であれば、当該ダウンリンク伝送を示すＡＣＫ/ＮＡＣＫが、次の無線フレーム内のサブフレーム#０内の最後１つのシンボルにおいて伝送されると判断する。
【０１７８】
基地局側は、第４~第６号と類似する分析により、各々ダウンリンク伝送的ＡＣＫ/ＮＡＣＫフィードバック情報に対応する時間領域位置を確定し、また、ＡＣＫ/ＮＡＣＫフィードバック情報の順番づけを判断する。こうして、端末の操作と一致でき、端末からのＡＣＫ/ＮＡＣＫフィードバック情報を正確に分析することができる。
【０１７９】
第３実施例
ここで、通常のCＰを用いるＴＤＤＵＬ/ＤＬ構成１を利用するＴＤＤキャリアを例とする。ＴＤＤ スペシャルサブフレーム構成が構成７（即ち、DwＰTSに１０個のシンボルが含まれ、ＧＰが２個のシンボルであり、ＵｐＰＴＳに２個のシンボルが含まれる）である。１つの無線フレーム内の各々アップリンクサブフレーム（ＵｐＰＴＳが含まれる）内の最後１つのシンボルにおいてＡＣＫ/ＮＡＣＫフィードバック情報を伝送すれば、１つの無線フレームに６個のＡＣＫ/ＮＡＣＫフィードバック情報の時間領域位置がある。即ち、サブフレーム#１/２/３/６/７/８，ＤＣＩ内の、ＡＣＫ/ＮＡＣＫフィードバック情報の時間領域位置を示す第１指示フィールドに占有されたビット数は３であり、ここで、第１指示フィールドと示すＡＣＫ/ＮＡＣＫフィードバック情報の時間領域位置の間の対応関係は、表７に示す。
【０１８０】
【表７】
2019509699.tif 000016
当該実施例において、図７は、ＤＣＩが、１端末が異なるサブフレームに異なるリソースを占有する場合のダウンリンク伝送に対応するＡＣＫ/ＮＡＣＫフィードバック情報の伝送時間領域位置を示す図である。以下、詳しく説明する。
【０１８１】
第１：サブフレーム#９において伝送する１番目のダウンリンク伝送に対応する物理ダウンリンク制御チャネルのＤＣＩ１内の第１指示フィールドは「００１」である、第１指示フィールド示すサブフレーム番号が当該ＤＣＩ伝送のためのサブフレーム番号より小さければ、当該ダウンリンク伝送を示すＡＣＫ/ＮＡＣＫが、次の無線フレーム内のサブフレーム#２内の最後１つのシンボルにおいて伝送されると判断する。サブフレーム#０のおいて伝送する第２のダウンリンク伝送に対応する物理ダウンリンク制御チャネルのＤＣＩ２内の第１指示フィールドも「００１」であり、第１指示フィールドにより示される、サブフレーム番号が当該ＤＣＩ伝送のためのサブフレーム番号より小さくなく、また、現在無線フレーム内の第１指示フィールドにより示される、サブフレーム内の最後１つのシンボルがフィードバック遅延を満たされば、当該ダウンリンク伝送を示すＡＣＫ/ＮＡＣＫが、現在無線フレーム内のサブフレーム#２内の最後１つのシンボルにおいて伝送されると判断する。即ち、１番目のダウンリンク伝送のＡＣＫ/ＮＡＣＫとともに同一の位置で伝送される。ＤＣＩ１及びＤＣＩ２内のＤＡＩ指示フィールドに基づき、第１及び第２のダウンリンク伝送に対応するＡＣＫ/ＮＡＣＫフィードバック情報に順番をつけ、確定された時間領域位置で、順番つけられて得られたＡＣＫ/ＮＡＣＫシーケンスを伝送する。
【０１８２】
第２：サブフレーム#０のおいて伝送する第３のダウンリンク伝送に対応する物理ダウンリンク制御チャネルのＤＣＩ３内、及びサブフレーム#０のおいて伝送する第４のダウンリンク伝送に対応する物理ダウンリンク制御チャネルのＤＣＩ４内の第１指示フィールドは「０００」であり、当該第１指示フィールドにより示される、サブフレーム番号が当該ＤＣＩ伝送のためのサブフレーム番号より小さくなく、現在無線フレーム内の、第１指示フィールドにより示される、サブフレーム内の最後１つのシンボルがフィードバック遅延を満たされば、当該２つのダウンリンク伝送を示すＡＣＫ/ＮＡＣＫそれぞれが、現在無線フレーム内のサブフレーム#１内の最後１つのシンボルにおいて伝送されると判断する。ＤＣＩ３及びＤＣＩ４内のＤＡＩ指示フィールドに基づき、第３及び第４のダウンリンク伝送に対応するＡＣＫ/ＮＡＣＫフィードバック情報に順番をつけ、確定された時間領域位置で、順番つけられて得られたＡＣＫ/ＮＡＣＫシーケンスを伝送する。
【０１８３】
第３：サブフレーム#１において伝送する第５のダウンリンク伝送に対応する物理ダウンリンク制御チャネルのＤＣＩ５内の第１指示フィールドは０１０」であり、当該第１指示フィールドにより示される、サブフレーム番号が当該ＤＣＩ伝送のためのサブフレーム番号より小さくなく、また、現在無線フレーム内の第１指示フィールドにより示される、サブフレーム内の最後１つのシンボルがフィードバック遅延を満たされば、当該ダウンリンク伝送を示すＡＣＫ/ＮＡＣＫが、現在無線フレーム内のサブフレーム#３内の最後１つのシンボルにおいて伝送されると判断する。
【０１８４】
基地局側は、第１~第３号と類似する分析により、各々ダウンリンク伝送的ＡＣＫ/ＮＡＣＫフィードバック情報に対応する時間領域位置を確定し、また、ＡＣＫ/ＮＡＣＫフィードバック情報の順番づけを判断する。こうして、端末の操作と一致でき、端末からのＡＣＫ/ＮＡＣＫフィードバック情報を正確に分析することができる。
【０１８５】
第４実施例
当該実施例において、通常のCＰを用いる、ＴＤＤＵＬ/ＤＬ構成１を利用するＴＤＤキャリアを例とする。ＴＤＤ スペシャルサブフレーム構成が７（即ち、DwＰTSに１０個のシンボルが含まれ、ＧＰが２個のシンボルであり、ＵｐＰＴＳに２個のシンボルがふくまれう）であり、１つの無線フレーム内のアップリンクサブフレーム#２及び３内の最後１つのシンボルにおいてＡＣＫ/ＮＡＣＫフィードバック情報のみを伝送すれば、１つの無線フレームに４個のＡＣＫ/ＮＡＣＫフィードバック情報の時間領域位置がある。即ち、サブフレーム#２/３/７/８，ＤＣＩ内の、ＡＣＫ/ＮＡＣＫフィードバック情報の時間領域位置を示す第１指示フィールドに占有されたビット数は２であり、ここで、第１指示フィールドと示すＡＣＫ/ＮＡＣＫフィードバック情報の時間領域位置の間の対応関係は、表８に示す。
【０１８６】
【表８】
2019509699.tif 000017
当該実施例において、図８は、ＤＣＩが、１端末が異なるサブフレームに異なるリソースを占有する場合のダウンリンク伝送に対応するＡＣＫ/ＮＡＣＫフィードバック情報の伝送時間領域位置を示す図である。以下、詳しく説明する。
【０１８７】
第１：ンク制御チャネルのＤＣＩ１内の第１指示フィールドが「００」であり、当該第１指示フィールド示すサブフレーム番号が当該ＤＣＩ伝送のためのサブフレーム番号より小さければ、当該ダウンリンク伝送を示すＡＣＫ/ＮＡＣＫが、次の無線フレーム内のサブフレーム#２内の最後１つのシンボルにおいて伝送されると判断する。サブフレーム#０のおいて伝送する第２のダウンリンク伝送に対応する物理ダウンリンク制御チャネルのＤＣＩ２内、及び第３のダウンリンク伝送に対応する物理ダウンリンク制御チャネルのＤＣＩ３内の第１指示フィールドも「００」である。当該第１指示フィールドにより示される、サブフレーム番号が当該ＤＣＩ伝送のためのサブフレーム番号より小さくなく、また、現在無線フレーム内の第１指示フィールドにより示される、サブフレーム内の最後１つのシンボルがフィードバック遅延を満たされば、当該２つのダウンリンク伝送を示すＡＣＫ/ＮＡＣＫが、現在無線フレーム内のサブフレーム#２内の最後１つのシンボルにおいて、伝送されると判断する。即ち、１番目のダウンリンク伝送のＡＣＫ/ＮＡＣＫとともに同一の位置で伝送される。ＤＣＩ１、ＤＣＩ２及びＤＣＩ３内のＤＡＩ指示フィールドに基づき、１、２、３個のダウンリンク伝送に対応するＡＣＫ/ＮＡＣＫ情報に順番をつけ、確定された時間領域位置で、順番つけられて得られたＡＣＫ/ＮＡＣＫシーケンスを伝送する。
【０１８８】
第２：サブフレーム#０のおいて伝送する第４のダウンリンク伝送に対応する物理ダウンリンク制御チャネルのＤＣＩ４内の第１指示フィールドは、「０１」であり、当該第１指示フィールドにより示されるサブフレーム番号が当該ＤＣＩ伝送のためのサブフレーム番号より小さくなく、また、現在無線フレーム内の第１指示フィールドにより示される、サブフレーム内の最後１つのシンボルがフィードバック遅延を満たされば、当該ダウンリンク伝送を示すＡＣＫ/ＮＡＣＫが、サブフレーム#３内の最後１つのシンボルにおいて伝送されると判断する。サブフレーム#１において伝送する第５のダウンリンク伝送に対応する物理ダウンリンク制御チャネルのＤＣＩ５内の第１指示フィールドも「０１」である。当該第１指示フィールドにより示されるサブフレーム番号が当該ＤＣＩ伝送のためのサブフレーム番号より小さくなく、また、現在無線フレーム内の第１指示フィールドにより示される、サブフレーム内の最後１つのシンボルがフィードバック遅延を満たされば、当該ダウンリンク伝送を示すＡＣＫ/ＮＡＣＫも、サブフレーム#３内の最後１つのシンボルにおいて伝送されると判断する。即ち、第４のダウンリンク伝送のＡＣＫ/ＮＡＣＫとともに同一の位置で伝送される。ＤＣＩ４及びＤＣＩ５内のＤＡＩ指示フィールドに基づき、第４及び第５のダウンリンク伝送に対応するＡＣＫ/ＮＡＣＫフィードバック情報に順番をつけ、確定された位置で順番つけられて得られたＡＣＫ/ＮＡＣＫシーケンスを伝送する。
【０１８９】
基地局側は、第１~第２号と類似する分析により、各々ダウンリンク伝送的ＡＣＫ/ＮＡＣＫフィードバック情報に対応する時間領域位置を確定し、及びＡＣＫ/ＮＡＣＫフィードバック情報の順番づけを判断する。こうして、端末の操作と一致でき、端末からのＡＣＫ/ＮＡＣＫフィードバック情報を正確に分析することができる。
【０１９０】
他の一部のサブフレーム/シンボル/ＴＴＩでＡＣＫ/ＮＡＣＫを伝送する方式の定義は、第４実施例タイプと類似し、この以上説明しない。
【０１９１】
また、第３実施例及び第４実施例内の第１指示フィールドが半部の無線フレーム内のＡＣＫ/ＮＡＣＫフィードバック情報の時間領域位置を示すように定義することもできる。例えば、第４実施例において、ＤＣＩ内の第１指示フィールドを１ビットに圧縮し、詳しくは表９に示す対応関係を参照する。
【０１９２】
【表９】
2019509699.tif 000018
上述と類似するサブフレーム番号及び処理遅延関係により、示すＡＣＫ/ＮＡＣＫ時間領域位置に対応するハーフフレームが、現在サブフレーム内の先頭のハーフフレームあるか、後ろのハーフフレームであるか、または、次の無線フレーム内の先頭のハーフフレームであるかまたは後ろのハーフフレームであるかを判断することができ、図９に示すように、以下、詳しく説明する。
【０１９３】
第３：サブフレーム#９において伝送する１番目のダウンリンク伝送に対応する物理ダウンリンク制御チャネルのＤＣＩ１内の第１指示フィールドは、「０」であり、サブフレーム#２または#７内の最後１つのシンボルに対応する。サブフレーム#２及び#７の番号が当該ＤＣＩ伝送のためのサブフレーム番号より小さいため、当該ダウンリンク伝送のＡＣＫ/ＮＡＣＫが、次の無線フレームにおいて伝送されると判断する。次の無線フレーム内のサブフレーム#２の最後１つのシンボルが、最近１つの、フィードバック遅延を満たす時間領域位置であるため、当該ダウンリンク伝送を示すＡＣＫ/ＮＡＣＫが、次の無線フレーム内のサブフレーム#２内の最後１つのシンボルにおいて伝送されると判断する。サブフレーム#０のおいて伝送する第２のダウンリンク伝送に対応する物理ダウンリンク制御チャネルのＤＣＩ２内、及び第３のダウンリンク伝送に対応する物理ダウンリンク制御チャネルのＤＣＩ３内の第１指示フィールドも「０」であり、サブフレーム#２または#７内の最後１つのシンボルに対応する。第１指示フィールドにより示される、サブフレーム番号が当該ＤＣＩ伝送のためのサブフレーム番号より小さくなく、また、現在無線フレーム内の第１指示フィールドにより示される、サブフレーム#２内の最後１つのシンボルが一番近い、フィードバック遅延を満足する時間領域位置であるため、当該２つのダウンリンク伝送を示すＡＣＫ/ＮＡＣＫが、現在無線フレーム内のサブフレーム#２内の最後１つのシンボルにおいて伝送されると判断する。即ち、１番目のダウンリンク伝送のＡＣＫ/ＮＡＣＫとともに、同一の位置で伝送される。ＤＣＩ１、ＤＣＩ２及びＤＣＩ３内のＤＡＩ指示フィールドに基づき、第１、２、３個のダウンリンク伝送に対応するＡＣＫ/ＮＡＣＫ情報に順番をつけ、確定された時間領域位置で、順番つけられて得られたＡＣＫ/ＮＡＣＫシーケンスを伝送する。
【０１９４】
第４：サブフレーム#０のおいて伝送する第４のダウンリンク伝送に対応する物理ダウンリンク制御チャネルのＤＣＩ４内の第１指示フィールドは、「１」であり、サブフレーム#３または#８内の最後１つのシンボルに対応する。当該第１指示フィールドにより示される、サブフレーム番号が当該ＤＣＩ伝送のためのサブフレーム番号より小さくなく、また、現在無線フレーム内の第１指示フィールドにより示される、サブフレーム#３内の最後１つのシンボルが一番近い、フィードバック遅延を満足する時間領域位置であれば、当該ダウンリンク伝送を示すＡＣＫ/ＮＡＣＫが、サブフレーム#３内の最後１つのシンボルにおいて伝送されると判断する。サブフレーム#１において伝送する第５のダウンリンク伝送に対応する物理ダウンリンク制御チャネルのＤＣＩ５内の第１指示フィールドも「１」であり、サブフレーム#３または#８内の最後１つのシンボルに対応する。当該第１指示フィールドにより示される、サブフレーム番号が当該ＤＣＩ伝送のためのサブフレーム番号より小さくなく、また、現在無線フレーム内の第１指示フィールドにより示される、サブフレーム#３内の最後１つのシンボルが一番近い、フィードバック遅延を満足する時間領域位置であれば、当該ダウンリンク伝送を示すＡＣＫ/ＮＡＣＫも、サブフレーム#３内の最後１つのシンボルにおいて伝送されると判断する。即ち、第４のダウンリンク伝送のＡＣＫ/ＮＡＣＫとともに、同一の位置で伝送される。ＤＣＩ４及びＤＣＩ５内のＤＡＩ指示フィールドに基づき、第４の及び第５のダウンリンク伝送に対応するＡＣＫ/ＮＡＣＫフィードバック情報に順番をつけ、確定された時間領域位置で、順番つけられて得られたＡＣＫ/ＮＡＣＫシーケンスを伝送する。
【０１９５】
基地局側は、第３~第４号と類似する分析により、各々ダウンリンク伝送的ＡＣＫ/ＮＡＣＫフィードバック情報に対応する時間領域位置を確定し、また、ＡＣＫ/ＮＡＣＫフィードバック情報の順番づけを判断する。こうして、端末の操作と一致でき、端末からのＡＣＫ/ＮＡＣＫフィードバック情報を正確に分析することができる。
【０１９６】
以上の実施例において、ＡＣＫ/ＮＡＣＫフィードバック情報の伝送に１つのシンボルのみを占有するが、ＡＣＫ/ＮＡＣＫ伝送に１つ以上のシンボルを占有して伝送することもでき、例えば、２、３、４、５、７個のシンボルまたは１ｍｓ（１２または１４個のシンボル）を占有する。また、例えば、１つまたは複数のマイクロタイムスロット伝送を占有し、または、１つまたは複数のＴＴＩを占有して伝送し、または、１つまたは複数のスロットを占有して伝送し、または、１つまたは複数のサブフレームを占有して伝送する。このような場合、類似する方法で、ＡＣＫ/ＮＡＣＫフィードバック情報の時間領域位置を取得することができる。上述の第１指示フィールドとＡＣＫ/ＮＡＣＫ時間領域位置のマッピング表には、サブフレーム及びシンボル位置のみを例としたが、他のサブフレーム/シンボル/ＴＴＩ/スロット/マイクロタイムスロット番号の組み合わせでＡＣＫ/ＮＡＣＫ時間領域リソースを示すこともできる。上述の実施例には、１つのキャリアを例としたが、キャリア集約の場合、各々キャリアも類似の方法で確定することができるが、ＳＣＣに対し、そのＤＣＩの第１指示フィールドにより示される、ＡＣＫ/ＮＡＣＫ時間領域リソースは、ＡＣＫ/ＮＡＣＫを伝送するキャリアに位置し（例えば、ＰＣＣまたはＡＣＫ/ＮＡＣＫを搬送できる１つのＳＣＣ）、複数のキャリア上のダウンリンク伝送のＡＣＫ/ＮＡＣＫが同一の時間領域リソースで伝送する必要がある場合、複数のキャリアのＡＣＫ/ＮＡＣＫをカスケードして、同一のチャネルでおいてともに伝送する。
【０１９７】
上記技術案をベースとして、本発明の実施例に係る物理ダウンリンク制御チャネルを介してＡＣＫ/ＮＡＣＫフィードバック情報伝送の時間領域位置を通知することにより、ｅＮＢは、フィードバック遅延をできるだけ短くしつつ、システムの性能を向上させながら、異なるアップリンク送信リソースにわたってバランスさせるべきＡＣＫ/ＮＡＣＫ負荷を柔軟に制御することができる。
【０１９８】
同様な発明思想に基づき、本発明の実施例に係る端末の実施は、方法実施例の記載を参照することができ、繰り返して説明しない。図１０に示すように、当該端末は、受信モジュール１００１と、フィードバックモジュール１００２とを備える。
【０１９９】
前記受信モジュール１００１は、第１物理ダウンリンク制御チャネルを受信し、前記第１物理ダウンリンク制御チャネルのダウンリンク制御情報ＤＣＩに第１指示フィールドが含まれ、前記第１指示フィールドは、ＡＣＫ/ＮＡＣＫフィードバック情報の時間領域位置を確定するためのものである。
【０２００】
前記フィードバックモジュール１００２は、前記第１指示フィールドに基づき、前記第１物理ダウンリンク制御チャネルまたは前記第１物理ダウンリンク制御チャネルに対応する第１物理ダウンリンク共有チャネルのＡＣＫ/ＮＡＣＫフィードバック情報の時間領域位置を確定し、前記ＡＣＫ/ＮＡＣＫフィードバック情報の時間領域位置において、前記ＡＣＫ/ＮＡＣＫフィードバック情報を伝送する。
【０２０１】
好ましくは、前記第１指示フィールドは、ＡＣＫ/ＮＡＣＫフィードバック情報を伝送することができるＫ個の時間領域位置を示し、前記Ｋは正整数である。
2019509699.tif 000019
【０２０２】
好ましくは、前記第１指示フィールドは、前記ＡＣＫ/ＮＡＣＫフィードバック情報を伝送する時間領域位置が所在する無線フレームまたはハーフフレームまたはサブフレームまたはスロットまたはＴＴＩまたはマイクロタイムスロットまたはシンボルの位置を示す。
【０２０３】
好ましくは、前記フィードバックモジュールは、第１ＴＴＩ長及び/または第２ＴＴＩ長に基づき、前記第１指示フィールドにより示される、ＡＣＫ/ＮＡＣＫフィードバック情報の時間領域位置が所在する無線フレームまたはハーフフレームまたはサブフレームまたはスロットまたはマイクロタイムスロットまたはシンボルの、位置を確定する。前記第１ＴＴＩ長は、前記第１物理ダウンリンク制御チャネル及び/または前記第１物理ダウンリンク制御チャネルに対応する第１物理ダウンリンク共有チャネルのＴＴＩ長であり、前記第２ＴＴＩ長は、予め設定されたかまたは約定された、ＡＣＫ/ＮＡＣＫフィードバック情報の時間領域位置を確定するためのＴＴＩ長である。
【０２０４】
好ましくは、前記フィードバックモジュールは、前記第１物理ダウンリンク制御チャネルを伝送するサブフレーム番号及び/またはＴＴＩ番号及び/またはシンボル番号及び/またはスロット番号及び/またはマイクロタイムスロット番号、及び、前記第１指示フィールドにより示される、ＡＣＫ/ＮＡＣＫフィードバック情報の時間領域位置のサブフレーム番号及び/またはＴＴＩ番号及び/またはシンボル番号及び/またはスロット番号及び/またはマイクロタイムスロット番号の大小順または前後順に基づき、前記第１指示フィールドにより示される、ＡＣＫ/ＮＡＣＫフィードバック情報の時間領域位置が所在する無線フレームまたはハーフフレームまたはサブフレームまたはＴＴＩまたはスロットまたはマイクロタイムスロットまたはシンボルの位置を、確定する。
【０２０５】
好ましくは、前記ＡＣＫ/ＮＡＣＫフィードバック情報の時間領域位置は以下方式のうちの１つまたはこれらの組み合わせである。
【０２０６】
前記ＡＣＫ/ＮＡＣＫフィードバック情報の時間領域位置が所在する無線フレームは、前記第１物理ダウンリンク制御チャネルまたは前記第１物理ダウンリンク制御チャネルに対応する第１物理ダウンリンク共有チャネルを伝送する無線フレームであるか、または、前記第１物理ダウンリンク制御チャネルまたは前記第１物理ダウンリンク制御チャネルに対応する第１物理ダウンリンク共有チャネルを伝送する無線フレームの以後のｎ１番目の無線フレームであり、前記ｎ１は正整数である。
【０２０７】
前記ＡＣＫ/ＮＡＣＫフィードバック情報の時間領域位置が所在するハーフフレームは、前記第１物理ダウンリンク制御チャネルまたは前記第１物理ダウンリンク制御チャネルに対応する第１物理ダウンリンク共有チャネルを伝送するハーフフレームであるか、または、前記第１物理ダウンリンク制御チャネルまたは前記第１物理ダウンリンク制御チャネルに対応する第１物理ダウンリンク共有チャネルを伝送するハーフフレームの以後のｎ２番目のハーフフレームであり、前記ｎ２は正整数である。
【０２０８】
前記ＡＣＫ/ＮＡＣＫフィードバック情報の時間領域位置が所在するサブフレームは、前記第１物理ダウンリンク制御チャネルまたは前記第１物理ダウンリンク制御チャネルに対応する第１物理ダウンリンク共有チャネルを伝送するサブフレームであるか、または、前記第１物理ダウンリンク制御チャネルまたは前記第１物理ダウンリンク制御チャネルに対応する第１物理ダウンリンク共有チャネルを伝送するサブフレームの以後のｎ３番目のサブフレームであり、前記ｎ３は正整数である。
【０２０９】
前記ＡＣＫ/ＮＡＣＫフィードバック情報の時間領域位置が所在するスロットは、前記第１物理ダウンリンク制御チャネルまたは前記第１物理ダウンリンク制御チャネルに対応する第１物理ダウンリンク共有チャネルを伝送するスロットであるか、または、前記第１物理ダウンリンク制御チャネルまたは前記第１物理ダウンリンク制御チャネルに対応する第１物理ダウンリンク共有チャネルを伝送するスロットの以後のｎ４番目のスロットであり、前記ｎ４は正整数である。
【０２１０】
前記ＡＣＫ/ＮＡＣＫフィードバック情報の時間領域位置が所在するマイクロタイムスロットは、前記第１物理ダウンリンク制御チャネルまたは前記第１物理ダウンリンク制御チャネルに対応する第１物理ダウンリンク共有チャネルを伝送するマイクロタイムスロットであるか、または、前記第１物理ダウンリンク制御チャネルまたは前記第１物理ダウンリンク制御チャネルに対応する第１物理ダウンリンク共有チャネルを伝送するマイクロタイムスロットの以後のｎ５番目のマイクロタイムスロットであり、前記ｎ５は正整数である。
【０２１１】
前記ＡＣＫ/ＮＡＣＫフィードバック情報の時間領域位置が所在するＴＴＩは、前記第１物理ダウンリンク制御チャネルまたは前記第１物理ダウンリンク制御チャネルに対応する第１物理ダウンリンク共有チャネルを伝送するＴＴＩであるか、または、前記第１物理ダウンリンク制御チャネルまたは前記第１物理ダウンリンク制御チャネルに対応する第１物理ダウンリンク共有チャネルを伝送するＴＴＩの以後のｎ６番目個のＴＴＩであり、前記ｎ６は正整数である。
【０２１２】
前記ＡＣＫ/ＮＡＣＫフィードバック情報の時間領域位置が所在するシンボルは、前記第１物理ダウンリンク制御チャネルまたは前記第１物理ダウンリンク制御チャネルに対応する第１物理ダウンリンク共有チャネルを伝送するシンボルであるか、または、前記第１物理ダウンリンク制御チャネルまたは前記第１物理ダウンリンク制御チャネルに対応する第１物理ダウンリンク共有チャネルを伝送するシンボルの以後のｎ７番目のシンボルであり、前記ｎ７は正整数である。
【０２１３】
好ましくは、前記第１指示フィールドは、前記ＡＣＫ/ＮＡＣＫフィードバック情報の伝送に占有すべき１番目のシンボルの位置を示し、前記ＡＣＫ/ＮＡＣＫフィードバック情報は、前記１番目のシンボルを起点とする連続Ａ個のアップリンクシンボルを占有し、前記Ａは正整数である。
【０２１４】
または、前記第１指示フィールドは、前記ＡＣＫ/ＮＡＣＫフィードバック情報の伝送に占有すべき１番目のＴＴＩの位置を示し、前記ＡＣＫ/ＮＡＣＫフィードバック情報は、前記１番目のＴＴＩを起点とする連続Ａ個のアップリンクＴＴＩを占有し、または、
前記第１指示フィールドは、前記ＡＣＫ/ＮＡＣＫフィードバック情報の伝送に占有すべき１番目のスロットの位置を示し、前記ＡＣＫ/ＮＡＣＫフィードバック情報は、前記１番目のスロットを起点とする連続Ａ個のスロットを占有する。
【０２１５】
または、前記第１指示フィールドは、前記ＡＣＫ/ＮＡＣＫフィードバック情報の伝送に占有すべき１番目のマイクロタイムスロットの位置を示し、前記ＡＣＫ/ＮＡＣＫフィードバック情報は、前記１番目のマイクロタイムスロットを起点とする連続Ａ個のマイクロタイムスロットを占有する。
【０２１６】
または、前記第１指示フィールドは、前記ＡＣＫ/ＮＡＣＫフィードバック情報の伝送に占有すべき１番目のサブフレームの位置を示し、前記ＡＣＫ/ＮＡＣＫフィードバック情報は、前記１番目のサブフレームを起点とする連続Ａ個のサブフレームを占有する。
【０２１７】
好ましくは、前記フィードバックモジュールは、前記端末が複数の前記第１物理ダウンリンク制御チャネルの第１指示フィールドそれぞれに基づいて確定したＡＣＫ/ＮＡＣＫフィードバック情報の時間領域位置が同様であれば、前記複数の前記第１物理ダウンリンク制御チャネルのＤＣＩに含まれるダウンリンク割り当てインデックス（ＤＡＩ）指示フィールドに基づき、前記複数の前記第１物理ダウンリンク制御チャネルのうちの各々第１物理ダウンリンク制御チャネルまたは各々第１物理ダウンリンク制御チャネルに対応する第１物理ダウンリンク共有チャネルのＡＣＫ/ＮＡＣＫフィードバック情報をカスケードした後、前記ＡＣＫ/ＮＡＣＫフィードバック情報の時間領域位置において伝送する。
【０２１８】
好ましくは、前記時間領域位置は以下いずれか１つである。
【０２１９】
サブフレーム番号及び/またはシンボル番号及び/またはＴＴＩ番号及び/またはスロット番号及び/またはマイクロタイムスロット番号。
【０２２０】
同様な発明思想に基づき、本発明の実施例に係る基地局の実施は、方法実施例を参考することができ、繰り返して説明しない。図１１に示すように、当該基地局は、送信モジュール１１０１ｔ、受信モジュール１１０２とを備える。
【０２２１】
前記送信モジュール１１０１は、端末に第１物理ダウンリンク制御チャネルを送信し、前記第１物理ダウンリンク制御チャネルのダウンリンク制御情報ＤＣＩに第１指示フィールドが含まれ、前記第１指示フィールドは、ＡＣＫ/ＮＡＣＫフィードバック情報の時間領域位置を確定するためのものである。
【０２２２】
前記受信モジュール１１０２は、前記第１指示フィールドに基づいて確定されたＡＣＫ/ＮＡＣＫフィードバック情報の時間領域位置において、前記端末からフィードバックされた前記第１物理ダウンリンク制御チャネルまたは前記第１物理ダウンリンク制御チャネルに対応する第１物理ダウンリンク共有チャネルのＡＣＫ/ＮＡＣＫフィードバック情報を、受信する。
【０２２３】
好ましくは、前記第１指示フィールドは、ＡＣＫ/ＮＡＣＫフィードバック情報を伝送することができるＫ個の時間領域位置を示し、前記Ｋは正整数である。
2019509699.tif 000020
【０２２４】
好ましくは、前記第１指示フィールドは、前記ＡＣＫ/ＮＡＣＫフィードバック情報を伝送する時間領域位置が所在する無線フレームまたはハーフフレームまたはサブフレームまたはスロットまたはＴＴＩまたはマイクロタイムスロットまたはシンボルの位置を示す。
【０２２５】
好ましくは、処理モジュール１１０３をさらに備える。
【０２２６】
前記処理モジュール１１０３は、第１ＴＴＩ長及び/または第２ＴＴＩ長に基づき、前記第１指示フィールドにより示される、ＡＣＫ/ＮＡＣＫフィードバック情報の時間領域位置が所在する無線フレームまたはハーフフレームまたはサブフレームまたはスロットまたはマイクロタイムスロットまたはシンボルの、位置を確定し、前記第１ＴＴＩ長は、前記第１物理ダウンリンク制御チャネル及び/または前記第１物理ダウンリンク制御チャネルに対応する第１物理ダウンリンク共有チャネルのＴＴＩ長であり、前記第２ＴＴＩ長は、予め設定されたかまたは約定された、ＡＣＫ/ＮＡＣＫフィードバック情報の時間領域位置を確定するためのＴＴＩ長である。
【０２２７】
好ましくは、処理モジュールをさらに備える。
【０２２８】
前記処理モジュールは、前記第１物理ダウンリンク制御チャネルを伝送するサブフレーム番号及び/またはＴＴＩ番号及び/またはシンボル番号及び/またはスロット番号及び/またはマイクロタイムスロット番号、及び、前記第１指示フィールドにより示される、ＡＣＫ/ＮＡＣＫフィードバック情報の時間領域位置のサブフレーム番号及び/またはＴＴＩ番号及び/またはシンボル番号及び/またはスロット番号及び/またはマイクロタイムスロット番号の大小順または前後順に基づき、前記第１指示フィールドにより示される、ＡＣＫ/ＮＡＣＫフィードバック情報の時間領域位置が所在する無線フレームまたはハーフフレームまたはサブフレームまたはＴＴＩまたはスロットまたはマイクロタイムスロットまたはシンボルの位置を、確定する。
【０２２９】
好ましくは、前記ＡＣＫ/ＮＡＣＫフィードバック情報の時間領域位置は以下方式のうちの１つまたはこれらの組み合わせである。
【０２３０】
前記ＡＣＫ/ＮＡＣＫフィードバック情報の時間領域位置が所在する無線フレームは、前記第１物理ダウンリンク制御チャネルまたは前記第１物理ダウンリンク制御チャネルに対応する第１物理ダウンリンク共有チャネルを伝送する無線フレームであるか、または、前記第１物理ダウンリンク制御チャネルまたは前記第１物理ダウンリンク制御チャネルに対応する第１物理ダウンリンク共有チャネルを伝送する無線フレームの以後のｎ１番目の無線フレームであり、前記ｎ１は正整数である。
【０２３１】
前記ＡＣＫ/ＮＡＣＫフィードバック情報の時間領域位置が所在するハーフフレームは、前記第１物理ダウンリンク制御チャネルまたは前記第１物理ダウンリンク制御チャネルに対応する第１物理ダウンリンク共有チャネルを伝送するハーフフレームであるか、または、前記第１物理ダウンリンク制御チャネルまたは前記第１物理ダウンリンク制御チャネルに対応する第１物理ダウンリンク共有チャネルを伝送するハーフフレームの以後のｎ２番目のハーフフレームであり、前記ｎ２は正整数である。
【０２３２】
前記ＡＣＫ/ＮＡＣＫフィードバック情報の時間領域位置が所在するサブフレームは、前記第１物理ダウンリンク制御チャネルまたは前記第１物理ダウンリンク制御チャネルに対応する第１物理ダウンリンク共有チャネルを伝送するサブフレームであるか、または、前記第１物理ダウンリンク制御チャネルまたは前記第１物理ダウンリンク制御チャネルに対応する第１物理ダウンリンク共有チャネルを伝送するサブフレームの以後のｎ３番目のサブフレームであり、前記ｎ３は正整数である。
【０２３３】
前記ＡＣＫ/ＮＡＣＫフィードバック情報の時間領域位置が所在するスロットは、前記第１物理ダウンリンク制御チャネルまたは前記第１物理ダウンリンク制御チャネルに対応する第１物理ダウンリンク共有チャネルを伝送するスロットであるか、または、前記第１物理ダウンリンク制御チャネルまたは前記第１物理ダウンリンク制御チャネルに対応する第１物理ダウンリンク共有チャネルを伝送するスロットの以後のｎ４番目のスロットであり、前記ｎ４は正整数である。
【０２３４】
前記ＡＣＫ/ＮＡＣＫフィードバック情報の時間領域位置が所在するマイクロタイムスロットは、前記第１物理ダウンリンク制御チャネルまたは前記第１物理ダウンリンク制御チャネルに対応する第１物理ダウンリンク共有チャネルを伝送するマイクロタイムスロットであるか、または、前記第１物理ダウンリンク制御チャネルまたは前記第１物理ダウンリンク制御チャネルに対応する第１物理ダウンリンク共有チャネルを伝送するマイクロタイムスロットの以後のｎ５番目のマイクロタイムスロットであり、前記ｎ５は正整数である。
【０２３５】
前記ＡＣＫ/ＮＡＣＫフィードバック情報の時間領域位置が所在するＴＴＩは、前記第１物理ダウンリンク制御チャネルまたは前記第１物理ダウンリンク制御チャネルに対応する第１物理ダウンリンク共有チャネルを伝送するＴＴＩであるか、または、前記第１物理ダウンリンク制御チャネルまたは前記第１物理ダウンリンク制御チャネルに対応する第１物理ダウンリンク共有チャネルを伝送するＴＴＩの以後のｎ６番目個のＴＴＩであり、前記ｎ６は正整数である。
【０２３６】
前記ＡＣＫ/ＮＡＣＫフィードバック情報の時間領域位置が所在するシンボルは、前記第１物理ダウンリンク制御チャネルまたは前記第１物理ダウンリンク制御チャネルに対応する第１物理ダウンリンク共有チャネルを伝送するシンボルであるか、または、前記第１物理ダウンリンク制御チャネルまたは前記第１物理ダウンリンク制御チャネルに対応する第１物理ダウンリンク共有チャネルを伝送するシンボルの以後のｎ７番目のシンボルであり、前記ｎ７は正整数である。
【０２３７】
好ましくは、前記第１指示フィールドは、前記ＡＣＫ/ＮＡＣＫフィードバック情報の伝送に占有すべき１番目のシンボルの位置を示し、前記ＡＣＫ/ＮＡＣＫフィードバック情報は、前記１番目のシンボルを起点とする連続Ａ個のアップリンクシンボルを占有し、前記Ａは正整数であり、または、
前記第１指示フィールドは、前記ＡＣＫ/ＮＡＣＫフィードバック情報の伝送に占有すべき１番目のＴＴＩの位置を示し、前記ＡＣＫ/ＮＡＣＫフィードバック情報は、前記１番目のＴＴＩを起点とする連続Ａ個のアップリンクＴＴＩを占有し、または、
前記第１指示フィールドは、前記ＡＣＫ/ＮＡＣＫフィードバック情報の伝送に占有すべき１番目のスロットの位置を示し、前記ＡＣＫ/ＮＡＣＫフィードバック情報は、前記１番目のスロットを起点とする連続Ａ個のスロットを占有し、または、
前記第１指示フィールドは、前記ＡＣＫ/ＮＡＣＫフィードバック情報の伝送に占有すべき１番目のマイクロタイムスロットの位置を示し、前記ＡＣＫ/ＮＡＣＫフィードバック情報は、前記１番目のマイクロタイムスロットを起点とする連続Ａ個のマイクロタイムスロットを占有し、または、
前記第１指示フィールドは、前記ＡＣＫ/ＮＡＣＫフィードバック情報の伝送に占有すべき１番目のサブフレームの位置を示し、前記ＡＣＫ/ＮＡＣＫフィードバック情報は、前記１番目のサブフレームを起点とする連続Ａ個のサブフレームを占有する。
【０２３８】
好ましくは、処理モジュールをさらに備える。
【０２３９】
当該処理モジュールは、前記基地局が、前記端末の複数の前記第１物理ダウンリンク制御チャネルの第１指示フィールドにより示される、ＡＣＫ/ＮＡＣＫフィードバック情報の時間領域位置が同様であると確定すれば、前記複数の前記第１物理ダウンリンク制御チャネルのＤＣＩに含まれるダウンリンク割り当てインデックス（ＤＡＩ）指示フィールドに基づき、前記複数の前記第１物理ダウンリンク制御チャネルのうちの各々第１物理ダウンリンク制御チャネルまたは各々第１物理ダウンリンク制御チャネルに対応する第１物理ダウンリンク共有チャネルのＡＣＫ/ＮＡＣＫフィードバック情報のカスケード・シーケンスを確定し、確定された前記カスケード・シーケンスに基づき、前記時間領域位置において受信したＡＣＫ/ＮＡＣＫフィードバック情報を分析する。
【０２４０】
好ましくは、前記時間領域位置は、サブフレーム番号及び/またはシンボル番号及び/またはＴＴＩ番号及び/またはスロット番号及び/またはマイクロタイムスロット番号のうちのいずれか１つである。
【０２４１】
同様な発明思想に基づき、本発明の実施例に係る端末は、方法実施例を参考することができ、繰り返して説明しない。図１２に示すように、当該端末は、プロセッサ１２０１と、メモリ１２０２と、送受信機１２０３とを備える。ここで、送受信機１２０３は、プロセッサ１２０１の制御によりデータを送受信し、メモリ１２０２に予め設定されたプログラムが格納されている。
【０２４２】
前記プロセッサ１２０１は、メモリ１２０２に格納されたプログラムを読み出い、当該プログラムに従って、送受信機を介して、１２０３第１物理ダウンリンク制御チャネルを受信し、前記第１物理ダウンリンク制御チャネルのダウンリンク制御情報ＤＣＩに第１指示フィールドが含まれ、前記第１指示フィールドは、ＡＣＫ/ＮＡＣＫフィードバック情報の時間領域位置を確定するためのものであるる。
【０２４３】
また、前記プロセッサ１２０１は、前記第１指示フィールドに基づき、前記第１物理ダウンリンク制御チャネルまたは前記第１物理ダウンリンク制御チャネルに対応する第１物理ダウンリンク共有チャネルのＡＣＫ/ＮＡＣＫフィードバック情報の時間領域位置を確定し、前記ＡＣＫ/ＮＡＣＫフィードバック情報の時間領域位置で、前記ＡＣＫ/ＮＡＣＫフィードバック情報を伝送するように、送受信機１２０３に指示する。
【０２４４】
好ましくは、前記第１指示フィールドは、ＡＣＫ/ＮＡＣＫフィードバック情報を伝送することができるＫ個の時間領域位置を示し、前記Ｋは正整数である。
2019509699.tif 000021
【０２４５】
好ましくは、前記第１指示フィールドは、前記ＡＣＫ/ＮＡＣＫフィードバック情報を伝送する時間領域位置が所在する無線フレームまたはハーフフレームまたはサブフレームまたはスロットまたはＴＴＩまたはマイクロタイムスロットまたはシンボルの位置を示す。
【０２４６】
好ましくは、プロセッサは、第１ＴＴＩ長及び/または第２ＴＴＩ長に基づき、前記第１指示フィールドにより示される、ＡＣＫ/ＮＡＣＫフィードバック情報の時間領域位置が所在する無線フレームまたはハーフフレームまたはサブフレームまたはスロットまたはマイクロタイムスロットまたはシンボルの、位置を確定し、前記第１ＴＴＩ長は、前記第１物理ダウンリンク制御チャネル及び/または前記第１物理ダウンリンク制御チャネルに対応する第１物理ダウンリンク共有チャネルのＴＴＩ長であり、前記第２ＴＴＩ長は、予め設定されたかまたは約定された、ＡＣＫ/ＮＡＣＫフィードバック情報の時間領域位置を確定するためのＴＴＩ長である。
【０２４７】
好ましくは、プロセッサは、前記第１物理ダウンリンク制御チャネルを伝送するサブフレーム番号及び/またはＴＴＩ番号及び/またはシンボル番号及び/またはスロット番号及び/またはマイクロタイムスロット番号、及び、前記第１指示フィールドにより示される、ＡＣＫ/ＮＡＣＫフィードバック情報の時間領域位置のサブフレーム番号及び/またはＴＴＩ番号及び/またはシンボル番号及び/またはスロット番号及び/またはマイクロタイムスロット番号の大小順または前後順に基づき、前記第１指示フィールドにより示される、ＡＣＫ/ＮＡＣＫフィードバック情報の時間領域位置が所在する無線フレームまたはハーフフレームまたはサブフレームまたはＴＴＩまたはスロットまたはマイクロタイムスロットまたはシンボルの位置を、確定する。
【０２４８】
好ましくは、前記ＡＣＫ/ＮＡＣＫフィードバック情報の時間領域位置は以下方式のうちの１つまたはこれらの組み合わせである。
【０２４９】
前記ＡＣＫ/ＮＡＣＫフィードバック情報の時間領域位置が所在する無線フレームは、前記第１物理ダウンリンク制御チャネルまたは前記第１物理ダウンリンク制御チャネルに対応する第１物理ダウンリンク共有チャネルを伝送する無線フレームであるか、または、前記第１物理ダウンリンク制御チャネルまたは前記第１物理ダウンリンク制御チャネルに対応する第１物理ダウンリンク共有チャネルを伝送する無線フレームの以後のｎ１番目の無線フレームであり、前記ｎ１は正整数であり、
前記ＡＣＫ/ＮＡＣＫフィードバック情報の時間領域位置が所在するハーフフレームは、前記第１物理ダウンリンク制御チャネルまたは前記第１物理ダウンリンク制御チャネルに対応する第１物理ダウンリンク共有チャネルを伝送するハーフフレームであるか、または、前記第１物理ダウンリンク制御チャネルまたは前記第１物理ダウンリンク制御チャネルに対応する第１物理ダウンリンク共有チャネルを伝送するハーフフレームの以後のｎ２番目のハーフフレームであり、前記ｎ２は正整数であり、
前記ＡＣＫ/ＮＡＣＫフィードバック情報の時間領域位置が所在するサブフレームは、前記第１物理ダウンリンク制御チャネルまたは前記第１物理ダウンリンク制御チャネルに対応する第１物理ダウンリンク共有チャネルを伝送するサブフレームであるか、または、前記第１物理ダウンリンク制御チャネルまたは前記第１物理ダウンリンク制御チャネルに対応する第１物理ダウンリンク共有チャネルを伝送するサブフレームの以後のｎ３番目のサブフレームであり、前記ｎ３は正整数であり、
前記ＡＣＫ/ＮＡＣＫフィードバック情報の時間領域位置が所在するスロットは、前記第１物理ダウンリンク制御チャネルまたは前記第１物理ダウンリンク制御チャネルに対応する第１物理ダウンリンク共有チャネルを伝送するスロットであるか、または、前記第１物理ダウンリンク制御チャネルまたは前記第１物理ダウンリンク制御チャネルに対応する第１物理ダウンリンク共有チャネルを伝送するスロットの以後のｎ４番目のスロットであり、前記ｎ４は正整数であり、
前記ＡＣＫ/ＮＡＣＫフィードバック情報の時間領域位置が所在するマイクロタイムスロットは、前記第１物理ダウンリンク制御チャネルまたは前記第１物理ダウンリンク制御チャネルに対応する第１物理ダウンリンク共有チャネルを伝送するマイクロタイムスロットであるか、または、前記第１物理ダウンリンク制御チャネルまたは前記第１物理ダウンリンク制御チャネルに対応する第１物理ダウンリンク共有チャネルを伝送するマイクロタイムスロットの以後のｎ５番目のマイクロタイムスロットであり、前記ｎ５は正整数であり、
前記ＡＣＫ/ＮＡＣＫフィードバック情報の時間領域位置が所在するＴＴＩは、前記第１物理ダウンリンク制御チャネルまたは前記第１物理ダウンリンク制御チャネルに対応する第１物理ダウンリンク共有チャネルを伝送するＴＴＩであるか、または、前記第１物理ダウンリンク制御チャネルまたは前記第１物理ダウンリンク制御チャネルに対応する第１物理ダウンリンク共有チャネルを伝送するＴＴＩの以後のｎ６番目個のＴＴＩであり、前記ｎ６は正整数であり、
前記ＡＣＫ/ＮＡＣＫフィードバック情報の時間領域位置が所在するシンボルは、前記第１物理ダウンリンク制御チャネルまたは前記第１物理ダウンリンク制御チャネルに対応する第１物理ダウンリンク共有チャネルを伝送するシンボルであるか、または、前記第１物理ダウンリンク制御チャネルまたは前記第１物理ダウンリンク制御チャネルに対応する第１物理ダウンリンク共有チャネルを伝送するシンボルの以後のｎ７番目のシンボルであり、前記ｎ７は正整数である。
【０２５０】
好ましくは、前記第１指示フィールドは、前記ＡＣＫ/ＮＡＣＫフィードバック情報の伝送に占有すべき１番目のシンボルの位置を示し、前記ＡＣＫ/ＮＡＣＫフィードバック情報は、前記１番目のシンボルを起点とする連続Ａ個のアップリンクシンボルを占有し、前記Ａは正整数であり、または、
前記第１指示フィールドは、前記ＡＣＫ/ＮＡＣＫフィードバック情報の伝送に占有すべき１番目のＴＴＩの位置を示し、前記ＡＣＫ/ＮＡＣＫフィードバック情報は、前記１番目のＴＴＩを起点とする連続Ａ個のアップリンクＴＴＩを占有し、または、
前記第１指示フィールドは、前記ＡＣＫ/ＮＡＣＫフィードバック情報の伝送に占有すべき１番目のスロットの位置を示し、前記ＡＣＫ/ＮＡＣＫフィードバック情報は、前記１番目のスロットを起点とする連続Ａ個のスロットを占有し、または、
前記第１指示フィールドは、前記ＡＣＫ/ＮＡＣＫフィードバック情報の伝送に占有すべき１番目のマイクロタイムスロットの位置を示し、前記ＡＣＫ/ＮＡＣＫフィードバック情報は、前記１番目のマイクロタイムスロットを起点とする連続Ａ個のマイクロタイムスロットを占有し、または、
前記第１指示フィールドは、前記ＡＣＫ/ＮＡＣＫフィードバック情報の伝送に占有すべき１番目のサブフレームの位置を示し、前記ＡＣＫ/ＮＡＣＫフィードバック情報は、前記１番目のサブフレームを起点とする連続Ａ個のサブフレームを占有する。
【０２５１】
好ましくは、プロセッサは、前記端末が複数の前記第１物理ダウンリンク制御チャネルの第１指示フィールドそれぞれに基づいて確定したＡＣＫ/ＮＡＣＫフィードバック情報の時間領域位置が同様であれば、前記複数の前記第１物理ダウンリンク制御チャネルのＤＣＩに含まれるダウンリンク割り当てインデックス（ＤＡＩ）指示フィールドに基づき、前記複数の前記第１物理ダウンリンク制御チャネルのうちの各々第１物理ダウンリンク制御チャネルまたは各々第１物理ダウンリンク制御チャネルに対応する第１物理ダウンリンク共有チャネルのＡＣＫ/ＮＡＣＫフィードバック情報をカスケードした後、前記ＡＣＫ/ＮＡＣＫフィードバック情報の時間領域位置において伝送する。
【０２５２】
好ましくは、前記時間領域位置は、サブフレーム番号及び/またはシンボル番号及び/またはＴＴＩ番号及び/またはスロット番号及び/またはマイクロタイムスロット番号のうちのいずれか１つである。
【０２５３】
ここで、プロセッサ、メモリ及び送受信機の間にバスにより接続され、バスアーキテクチャは、いずれ数の相互接続するバス及びブリッジを備える。具体的に、プロセッサが代表となる１つまたは複数のプロセッサ及びメモリが代表となるメモリの多様な回路により接続される。バスアーキテクチャは、外部設備、電圧レギュレーター及び電力管理回路等の他の回路を接続することもできる。これらは、当該分野の周知技術であるため、本発明において、詳細に説明しない。バスインターフェースはインターフェースを提供する。送受信機は、複数の部品であることができ、即ち、送信機及び受信機を備え、伝送媒体を介して他の装置と通信するユニットを提供する。プロセッサは、バズアーキテクチャ及び通常の処理を管理し、メモリは、プロセッサが動作する際に利用するデータを記憶することができる。
【０２５４】
同様な発明思想に基づき、本発明の実施例に係る基地局の実施は、方法実施例を参考することができ、繰り返して説明しない。図１３に示すように、当該基地局は、プロセッサ１３０１と、メモリ１３０２と、送受信機１３０３とを備える。ここで、前記送受信機１３０３は、プロセッサ１３０１の制御によりデータを送受信し、メモリ１３０２に予め設定されたプログラムが格納されている。
【０２５５】
前記プロセッサ１３０１は、メモリ１３０２に格納されたプログラムを読み出して、当該プログラムに従って、送受信機を介して、１３０３端末に第１物理ダウンリンク制御チャネルを送信し、前記第１物理ダウンリンク制御チャネルのダウンリンク制御情報ＤＣＩに第１指示フィールドが含まれ、前記第１指示フィールドは、ＡＣＫ/ＮＡＣＫフィードバック情報の時間領域位置を確定するためのものである。
【０２５６】
また、前記プロセッサ１３０１は、前記第１指示フィールドに基づいて確定されたＡＣＫ/ＮＡＣＫフィードバック情報の時間領域位置において、前記端末からフィードバックされた前記第１物理ダウンリンク制御チャネルまたは前記第１物理ダウンリンク制御チャネルに対応する第１物理ダウンリンク共有チャネルのＡＣＫ/ＮＡＣＫフィードバック情報を、受信するように、送受信機１３０３に指示する。
【０２５７】
好ましくは、前記第１指示フィールドは、ＡＣＫ/ＮＡＣＫフィードバック情報を伝送することができるＫ個の時間領域位置を示し、前記Ｋは正整数である。
2019509699.tif 000022
【０２５８】
好ましくは、前記第１指示フィールドは、前記ＡＣＫ/ＮＡＣＫフィードバック情報を伝送する時間領域位置が所在する無線フレームまたはハーフフレームまたはサブフレームまたはスロットまたはＴＴＩまたはマイクロタイムスロットまたはシンボルの位置を示す。
【０２５９】
好ましくは、プロセッサは、第１ＴＴＩ長及び/または第２ＴＴＩ長に基づき、前記第１指示フィールドにより示される、ＡＣＫ/ＮＡＣＫフィードバック情報の時間領域位置が所在する無線フレームまたはハーフフレームまたはサブフレームまたはスロットまたはマイクロタイムスロットまたはシンボルの、位置を確定し、前記第１ＴＴＩ長は、前記第１物理ダウンリンク制御チャネル及び/または前記第１物理ダウンリンク制御チャネルに対応する第１物理ダウンリンク共有チャネルのＴＴＩ長であり、前記第２ＴＴＩ長は、予め設定されたかまたは約定された、ＡＣＫ/ＮＡＣＫフィードバック情報の時間領域位置を確定するためのＴＴＩ長である。
【０２６０】
好ましくは、プロセッサは、前記第１物理ダウンリンク制御チャネルを伝送するサブフレーム番号及び/またはＴＴＩ番号及び/またはシンボル番号及び/またはスロット番号及び/またはマイクロタイムスロット番号、及び、前記第１指示フィールドにより示される、ＡＣＫ/ＮＡＣＫフィードバック情報の時間領域位置のサブフレーム番号及び/またはＴＴＩ番号及び/またはシンボル番号及び/またはスロット番号及び/またはマイクロタイムスロット番号の大小順または前後順に基づき、前記第１指示フィールドにより示される、ＡＣＫ/ＮＡＣＫフィードバック情報の時間領域位置が所在する無線フレームまたはハーフフレームまたはサブフレームまたはＴＴＩまたはスロットまたはマイクロタイムスロットまたはシンボルの位置を、確定する。
【０２６１】
好ましくは、前記ＡＣＫ/ＮＡＣＫフィードバック情報の時間領域位置は以下方式のうちの１つまたはこれらの組み合わせである。
【０２６２】
前記ＡＣＫ/ＮＡＣＫフィードバック情報の時間領域位置が所在する無線フレームは、前記第１物理ダウンリンク制御チャネルまたは前記第１物理ダウンリンク制御チャネルに対応する第１物理ダウンリンク共有チャネルを伝送する無線フレームであるか、または、前記第１物理ダウンリンク制御チャネルまたは前記第１物理ダウンリンク制御チャネルに対応する第１物理ダウンリンク共有チャネルを伝送する無線フレームの以後のｎ１番目の無線フレームであり、前記ｎ１は正整数であり、
前記ＡＣＫ/ＮＡＣＫフィードバック情報の時間領域位置が所在するハーフフレームは、前記第１物理ダウンリンク制御チャネルまたは前記第１物理ダウンリンク制御チャネルに対応する第１物理ダウンリンク共有チャネルを伝送するハーフフレームであるか、または、前記第１物理ダウンリンク制御チャネルまたは前記第１物理ダウンリンク制御チャネルに対応する第１物理ダウンリンク共有チャネルを伝送するハーフフレームの以後のｎ２番目のハーフフレームであり、前記ｎ２は正整数であり、
前記ＡＣＫ/ＮＡＣＫフィードバック情報の時間領域位置が所在するサブフレームは、前記第１物理ダウンリンク制御チャネルまたは前記第１物理ダウンリンク制御チャネルに対応する第１物理ダウンリンク共有チャネルを伝送するサブフレームであるか、または、前記第１物理ダウンリンク制御チャネルまたは前記第１物理ダウンリンク制御チャネルに対応する第１物理ダウンリンク共有チャネルを伝送するサブフレームの以後のｎ３番目のサブフレームであり、前記ｎ３は正整数であり、
前記ＡＣＫ/ＮＡＣＫフィードバック情報の時間領域位置が所在するスロットは、前記第１物理ダウンリンク制御チャネルまたは前記第１物理ダウンリンク制御チャネルに対応する第１物理ダウンリンク共有チャネルを伝送するスロットであるか、または、前記第１物理ダウンリンク制御チャネルまたは前記第１物理ダウンリンク制御チャネルに対応する第１物理ダウンリンク共有チャネルを伝送するスロットの以後のｎ４番目のスロットであり、前記ｎ４は正整数であり、
前記ＡＣＫ/ＮＡＣＫフィードバック情報の時間領域位置が所在するマイクロタイムスロットは、前記第１物理ダウンリンク制御チャネルまたは前記第１物理ダウンリンク制御チャネルに対応する第１物理ダウンリンク共有チャネルを伝送するマイクロタイムスロットであるか、または、前記第１物理ダウンリンク制御チャネルまたは前記第１物理ダウンリンク制御チャネルに対応する第１物理ダウンリンク共有チャネルを伝送するマイクロタイムスロットの以後のｎ５番目のマイクロタイムスロットであり、前記ｎ５は正整数であり、
前記ＡＣＫ/ＮＡＣＫフィードバック情報の時間領域位置が所在するＴＴＩは、前記第１物理ダウンリンク制御チャネルまたは前記第１物理ダウンリンク制御チャネルに対応する第１物理ダウンリンク共有チャネルを伝送するＴＴＩであるか、または、前記第１物理ダウンリンク制御チャネルまたは前記第１物理ダウンリンク制御チャネルに対応する第１物理ダウンリンク共有チャネルを伝送するＴＴＩの以後のｎ６番目個のＴＴＩであり、前記ｎ６は正整数であり、
前記ＡＣＫ/ＮＡＣＫフィードバック情報の時間領域位置が所在するシンボルは、前記第１物理ダウンリンク制御チャネルまたは前記第１物理ダウンリンク制御チャネルに対応する第１物理ダウンリンク共有チャネルを伝送するシンボルであるか、または、前記第１物理ダウンリンク制御チャネルまたは前記第１物理ダウンリンク制御チャネルに対応する第１物理ダウンリンク共有チャネルを伝送するシンボルの以後のｎ７番目のシンボルであり、前記ｎ７は正整数である。
【０２６３】
好ましくは、前記第１指示フィールドは、前記ＡＣＫ/ＮＡＣＫフィードバック情報の伝送に占有すべき１番目のシンボルの位置を示し、前記ＡＣＫ/ＮＡＣＫフィードバック情報は、前記１番目のシンボルを起点とする連続Ａ個のアップリンクシンボルを占有し、前記Ａは正整数であり、または、
前記第１指示フィールドは、前記ＡＣＫ/ＮＡＣＫフィードバック情報の伝送に占有すべき１番目のＴＴＩの位置を示し、前記ＡＣＫ/ＮＡＣＫフィードバック情報は、前記１番目のＴＴＩを起点とする連続Ａ個のアップリンクＴＴＩを占有し、または、
前記第１指示フィールドは、前記ＡＣＫ/ＮＡＣＫフィードバック情報の伝送に占有すべき１番目のスロットの位置を示し、前記ＡＣＫ/ＮＡＣＫフィードバック情報は、前記１番目のスロットを起点とする連続Ａ個のスロットを占有し、または、
前記第１指示フィールドは、前記ＡＣＫ/ＮＡＣＫフィードバック情報の伝送に占有すべき１番目のマイクロタイムスロットの位置を示し、前記ＡＣＫ/ＮＡＣＫフィードバック情報は、前記１番目のマイクロタイムスロットを起点とする連続Ａ個のマイクロタイムスロットを占有し、または、
前記第１指示フィールドは、前記ＡＣＫ/ＮＡＣＫフィードバック情報の伝送に占有すべき１番目のサブフレームの位置を示し、前記ＡＣＫ/ＮＡＣＫフィードバック情報は、前記１番目のサブフレームを起点とする連続Ａ個のサブフレームを占有する。
【０２６４】
好ましくは、プロセッサは、前記基地局が、前記端末の複数の前記第１物理ダウンリンク制御チャネルの第１指示フィールドにより示される、ＡＣＫ/ＮＡＣＫフィードバック情報の時間領域位置が同様であると確定すれば、前記複数の前記第１物理ダウンリンク制御チャネルのＤＣＩに含まれるダウンリンク割り当てインデックス（ＤＡＩ）指示フィールドに基づき、前記複数の前記第１物理ダウンリンク制御チャネルのうちの各々第１物理ダウンリンク制御チャネルまたは各々第１物理ダウンリンク制御チャネルに対応する第１物理ダウンリンク共有チャネルのＡＣＫ/ＮＡＣＫフィードバック情報のカスケード・シーケンスを確定し、確定された前記カスケード・シーケンスに基づき、前記時間領域位置において受信したＡＣＫ/ＮＡＣＫフィードバック情報を分析する。
【０２６５】
好ましくは、前記時間領域位置は、サブフレーム番号及び/またはシンボル番号及び/またはＴＴＩ番号及び/またはスロット番号及び/またはマイクロタイムスロット番号のうちのいずれか１つである。
【０２６６】
ここで、プロセッサ、メモリ及び送受信機の間にバスにより接続され、バスアーキテクチャは、いずれ数の相互接続するバス及びブリッジを備える。具体的に、プロセッサが代表となる１つまたは複数のプロセッサ及びメモリが代表となるメモリの多様な回路により接続される。バスアーキテクチャは、外部設備、電圧レギュレーター及び電力管理回路等の他の回路を接続することもできる。これらは、当該分野の周知技術であるため、本発明において、詳細に説明しない。バスインターフェースはインターフェースを提供する。送受信機は、複数の部品であることができ、即ち、送信機及び受信機を備え、伝送媒体を介して他の装置と通信するユニットを提供する。プロセッサは、バズアーキテクチャ及び通常の処理を管理し、メモリは、プロセッサが動作する際に利用するデータを記憶することができる。
【０２６７】
本分野の技術者として、本発明の実施形態が、方法、システムまたはコンピュータプログラム製品を提供できるため、本発明は完全なハードウェア実施形態、完全なソフトウェア実施形態、またはソフトウェアとハードウェアの両方を結合した実施形態を採用できることがかわるはずである。さらに、本発明は、一つまたは複数のコンピュータプログラム製品の形式を採用できる。また、当該製品はコンピュータ使用可能なプログラムコードを含むコンピュータ使用可能な記憶媒体（ディスク記憶装置と光学記憶装置等を含むがそれとは限らない）において実施する。
【０２６８】
以上は本発明の実施形態の方法、装置（システム）、およびコンピュータプログラム製品のフロー図および／またはブロック図によって、本発明を記述した。理解すべきことは、コンピュータプログラム指令によって、フロー図および／またはブロック図における各フローおよび／またはブロックと、フロー図および／またはブロック図におけるフローおよび／またはブロックの結合を実現できる。プロセッサはこれらのコンピュータプログラム指令を、汎用コンピュータ、専用コンピュータ、組込み式処理装置、または他のプログラム可能なデータ処理装置設備の処理装置器に提供でき、コンピュータまたは他のプログラム可能なデータ処理装置のプロセッサは、これらのコンピュータプログラム指令を実行し、フロー図における一つまたは複数のフローおよび／またはブロック図における一つまたは複数のブロックに指定する機能を実現する。
【０２６９】
これらのコンピュータプログラム指令は又、コンピュータまたは他のプログラム可能なデータ処理装置を特定方式で動作させるコンピュータ読取記憶装置に記憶できる。これによって、指令を含む装置は当該コンピュータ読取記憶装置内の指令を実行でき、フロー図における一つまたは複数のフローおよび／またはブロック図における一つまたは複数のブロックに指定する機能を実現する。
【０２７０】
これらコンピュータプログラム指令はさらに、コンピュータまたは他のプログラム可能なデータ処理装置設備に実装もできる。コンピュータプログラム指令が実装されたコンピュータまたは他のプログラム可能設備は、一連の操作ステップを実行することによって、関連の処理を実現し、コンピュータまたは他のプログラム可能な設備において実行される指令によって、フロー図における一つまたは複数のフローおよび／またはブロック図における一つまたは複数のブロックに指定する機能を実現する。
【０２７１】
無論、当業者によって、上述した実施形態に記述された技術的な解決手段を改造し、またはその中の一部の技術要素を置換することもできる。そのような、改造と置換は本発明の各実施形態の技術の範囲から逸脱するとは見なされない。そのような改造と置換は、すべて本発明の請求の範囲に属する。
【０２７２】
本出願は、２０１６年３月２５日に中国特許局に提出し、出願番号が２０１６１０１８０３２１．３であり、発明名称が「ＡＣＫ/ＮＡＣＫのフィードバック方法及び関連装置」との中国特許出願を基礎とする優先権を主張し、その開示の総てをここに取り込む。
【図１】
2019509699.tif 000027
【図２】
2019509699.tif 000028
【図３Ａ】
2019509699.tif 000029
【図３Ｂ】
2019509699.tif 000030
【図４】
2019509699.tif 000031
【図５】
2019509699.tif 000032
【図６】
2019509699.tif 000033
【図７】
2019509699.tif 000034
【図８】
2019509699.tif 000035
【図９】
2019509699.tif 000036
【図１０】
2019509699.tif 000037
【図１１】
2019509699.tif 000038
【図１２】
2019509699.tif 000039
【図１３】
2019509699.tif 000040
【手続補正書】
【提出日】平成30年11月2日(2018.11.2)
【手続補正１】
【補正対象書類名】特許請求の範囲
【補正対象項目名】全文
【補正方法】変更
【補正の内容】
【特許請求の範囲】
【請求項１】
端末は、第１物理ダウンリンク制御チャネルを受信するステップと、
前記端末は、前記第１指示フィールドに従って、前記第１物理ダウンリンク制御チャネルまたは前記第１物理ダウンリンク制御チャネルに対応する第１物理ダウンリンク共有チャネルのＡＣＫ/ＮＡＣＫフィードバック情報の時間領域位置を確定し、前記ＡＣＫ/ＮＡＣＫフィードバック情報の時間領域位置において、前記ＡＣＫ/ＮＡＣＫフィードバック情報を伝送するステップとを備え、
前記第１物理ダウンリンク制御チャネルのダウンリンク制御情報ＤＣＩに第１指示フィールドが含まれ、前記第１指示フィールドは、ＡＣＫ/ＮＡＣＫフィードバック情報の時間領域位置を確定するためのものであることを特徴とするＡＣＫ/ＮＡＣＫのフィードバック方法。
【請求項２】
前記第１指示フィールドは、ＡＣＫ/ＮＡＣＫフィードバック情報を伝送することができるＫ個の時間領域位置を示し、前記Ｋは正整数であり、
前記第１指示フィールドは、前記ＡＣＫ/ＮＡＣＫフィードバック情報を伝送する時間領域位置が所在する無線フレームまたはハーフフレームまたはサブフレームまたはスロットまたはＴＴＩまたはマイクロタイムスロットまたはシンボルの、位置を示し、
前記第１指示フィールドは、前記ＡＣＫ/ＮＡＣＫフィードバック情報の伝送に占有すべき１番目のシンボルの位置を示し、前記ＡＣＫ/ＮＡＣＫフィードバック情報は、前記１番目のシンボルを起点とする連続Ａ個のアップリンクシンボルを占有し、前記Ａは正整数であり、または、
前記第１指示フィールドは、前記ＡＣＫ/ＮＡＣＫフィードバック情報の伝送に占有すべき１番目のＴＴＩの位置を示し、前記ＡＣＫ/ＮＡＣＫフィードバック情報は、前記１番目のＴＴＩを起点とする連続Ａ個のアップリンクＴＴＩを占有し、または、
前記第１指示フィールドは、前記ＡＣＫ/ＮＡＣＫフィードバック情報の伝送に占有すべき１番目のスロットの位置を示し、前記ＡＣＫ/ＮＡＣＫフィードバック情報は、前記１番目のスロットを起点とする連続Ａ個のスロットを占有し、または、
前記第１指示フィールドは、前記ＡＣＫ/ＮＡＣＫフィードバック情報の伝送に占有すべき１番目のマイクロタイムスロットの位置を示し、前記ＡＣＫ/ＮＡＣＫフィードバック情報は、前記１番目のマイクロタイムスロットを起点とする連続Ａ個のマイクロタイムスロットを占有し、または、
前記第１指示フィールドは、前記ＡＣＫ/ＮＡＣＫフィードバック情報の伝送に占有すべき１番目のサブフレームの位置を示し、前記ＡＣＫ/ＮＡＣＫフィードバック情報は、前記１番目のサブフレームを起点とする連続Ａ個のサブフレームを占有することを特徴とする請求項１に記載のＡＣＫ/ＮＡＣＫのフィードバック方法。
【請求項３】
2019509699.tif 000041
【請求項４】
前記端末は、第１ＴＴＩ長及び/または第２ＴＴＩ長に基づき、前記第１指示フィールドにより示される、ＡＣＫ/ＮＡＣＫフィードバック情報の時間領域位置が所在する無線フレームまたはハーフフレームまたはサブフレームまたはスロットまたはマイクロタイムスロットまたはシンボルの、位置を確定するステップをさらに備え、
前記第１ＴＴＩ長は、前記第１物理ダウンリンク制御チャネル及び/または前記第１物理ダウンリンク制御チャネルに対応する第１物理ダウンリンク共有チャネルのＴＴＩ長であり、前記第２ＴＴＩ長は、予め設定されたかまたは約定された、ＡＣＫ/ＮＡＣＫフィードバック情報の時間領域位置を確定するためのＴＴＩ長であり、
または、
前記端末は、前記第１物理ダウンリンク制御チャネルを伝送するサブフレーム番号及び/またはＴＴＩ番号及び/またはシンボル番号及び/またはスロット番号及び/またはマイクロタイムスロット番号、及び前記第１指示フィールドにより示される、ＡＣＫ/ＮＡＣＫフィードバック情報の時間領域位置のサブフレーム番号及び/またはＴＴＩ番号及び/またはシンボル番号及び/またはスロット番号及び/またはマイクロタイムスロット番号の大小順または前後順に基づき、前記第１指示フィールドにより示される、ＡＣＫ/ＮＡＣＫフィードバック情報の時間領域位置が所在する無線フレームまたはハーフフレームまたはサブフレームまたはＴＴＩまたはスロットまたはマイクロタイムスロットまたはシンボルの位置を、確定するステップをさらに備えることを特徴とする請求項１に記載のＡＣＫ/ＮＡＣＫのフィードバック方法。
【請求項５】
前記ＡＣＫ/ＮＡＣＫフィードバック情報の時間領域位置は以下方式のうちの１つまたはこれらの組み合わせであり、
前記ＡＣＫ/ＮＡＣＫフィードバック情報の時間領域位置が所在する無線フレームは、前記第１物理ダウンリンク制御チャネルまたは前記第１物理ダウンリンク制御チャネルに対応する第１物理ダウンリンク共有チャネルを伝送する無線フレームであるか、または、前記第１物理ダウンリンク制御チャネルまたは前記第１物理ダウンリンク制御チャネルに対応する第１物理ダウンリンク共有チャネルを伝送する無線フレームの以後のｎ１番目の無線フレームであり、前記ｎ１は正整数であり、
前記ＡＣＫ/ＮＡＣＫフィードバック情報の時間領域位置が所在するハーフフレームは、前記第１物理ダウンリンク制御チャネルまたは前記第１物理ダウンリンク制御チャネルに対応する第１物理ダウンリンク共有チャネルを伝送するハーフフレームであるか、または、前記第１物理ダウンリンク制御チャネルまたは前記第１物理ダウンリンク制御チャネルに対応する第１物理ダウンリンク共有チャネルを伝送するハーフフレームの以後のｎ２番目のハーフフレームであり、前記ｎ２は正整数であり、
前記ＡＣＫ/ＮＡＣＫフィードバック情報の時間領域位置が所在するサブフレームは、前記第１物理ダウンリンク制御チャネルまたは前記第１物理ダウンリンク制御チャネルに対応する第１物理ダウンリンク共有チャネルを伝送するサブフレームであるか、または、前記第１物理ダウンリンク制御チャネルまたは前記第１物理ダウンリンク制御チャネルに対応する第１物理ダウンリンク共有チャネルを伝送するサブフレームの以後のｎ３番目のサブフレームであり、前記ｎ３は正整数であり、
前記ＡＣＫ/ＮＡＣＫフィードバック情報の時間領域位置が所在するスロットは、前記第１物理ダウンリンク制御チャネルまたは前記第１物理ダウンリンク制御チャネルに対応する第１物理ダウンリンク共有チャネルを伝送するスロットであるか、または、前記第１物理ダウンリンク制御チャネルまたは前記第１物理ダウンリンク制御チャネルに対応する第１物理ダウンリンク共有チャネルを伝送するスロットの以後のｎ４番目のスロットであり、前記ｎ４は正整数であり、
前記ＡＣＫ/ＮＡＣＫフィードバック情報の時間領域位置が所在するマイクロタイムスロットは、前記第１物理ダウンリンク制御チャネルまたは前記第１物理ダウンリンク制御チャネルに対応する第１物理ダウンリンク共有チャネルを伝送するマイクロタイムスロットであるか、または、前記第１物理ダウンリンク制御チャネルまたは前記第１物理ダウンリンク制御チャネルに対応する第１物理ダウンリンク共有チャネルを伝送するマイクロタイムスロットの以後のｎ５番目のマイクロタイムスロットであり、前記ｎ５は正整数であり、
前記ＡＣＫ/ＮＡＣＫフィードバック情報の時間領域位置が所在するＴＴＩは、前記第１物理ダウンリンク制御チャネルまたは前記第１物理ダウンリンク制御チャネルに対応する第１物理ダウンリンク共有チャネルを伝送するＴＴＩであるか、または、前記第１物理ダウンリンク制御チャネルまたは前記第１物理ダウンリンク制御チャネルに対応する第１物理ダウンリンク共有チャネルを伝送するＴＴＩの以後のｎ６番目個のＴＴＩであり、前記ｎ６は正整数であり、
前記ＡＣＫ/ＮＡＣＫフィードバック情報の時間領域位置が所在するシンボルは、前記第１物理ダウンリンク制御チャネルまたは前記第１物理ダウンリンク制御チャネルに対応する第１物理ダウンリンク共有チャネルを伝送するシンボルであるか、または、前記第１物理ダウンリンク制御チャネルまたは前記第１物理ダウンリンク制御チャネルに対応する第１物理ダウンリンク共有チャネルを伝送するシンボルの以後のｎ７番目のシンボルであり、前記ｎ７は正整数であることを特徴とする請求項２または請求項４に記載のＡＣＫ/ＮＡＣＫのフィードバック方法。
【請求項６】
前記端末が複数の前記第１物理ダウンリンク制御チャネルの第１指示フィールドそれぞれに基づいて確定したＡＣＫ/ＮＡＣＫフィードバック情報の時間領域位置が同様であれば、前記端末が、前記ＡＣＫ/ＮＡＣＫフィードバック情報の時間領域位置において、前記ＡＣＫ/ＮＡＣＫフィードバック情報を伝送する場合、
前記端末は、前記複数の前記第１物理ダウンリンク制御チャネルのＤＣＩに含まれるダウンリンク割り当てインデックス（ＤＡＩ）指示フィールドに基づき、前記複数の前記第１物理ダウンリンク制御チャネルのうちの各々第１物理ダウンリンク制御チャネルまたは各々第１物理ダウンリンク制御チャネルに対応する第１物理ダウンリンク共有チャネルのＡＣＫ/ＮＡＣＫフィードバック情報をカスケードした後、前記ＡＣＫ/ＮＡＣＫフィードバック情報の時間領域位置において伝送し、することを特徴とする請求項１に記載のＡＣＫ/ＮＡＣＫのフィードバック方法。
【請求項７】
基地局は、端末に第１物理ダウンリンク制御チャネルを送信するステップと、
前記基地局は、前記第１指示フィールドに基づいて確定されたＡＣＫ/ＮＡＣＫフィードバック情報の時間領域位置において、前記端末からフィードバックされた前記第１物理ダウンリンク制御チャネルまたは前記第１物理ダウンリンク制御チャネルに対応する第１物理ダウンリンク共有チャネルのＡＣＫ/ＮＡＣＫフィードバック情報を、受信するステップとを備え、
前記第１物理ダウンリンク制御チャネルのダウンリンク制御情報ＤＣＩに第１指示フィールドが含まれ、前記第１指示フィールドは、ＡＣＫ/ＮＡＣＫフィードバック情報の時間領域位置を確定するためのものであることを特徴とするＡＣＫ/ＮＡＣＫのフィードバック方法。
【請求項８】
前記第１指示フィールドは、ＡＣＫ/ＮＡＣＫフィードバック情報を伝送することができるＫ個の時間領域位置を示し、前記Ｋは正整数であり、
及び/または、
前記第１指示フィールドは、前記ＡＣＫ/ＮＡＣＫフィードバック情報を伝送する時間領域位置が所在する無線フレームまたはハーフフレームまたはサブフレームまたはスロットまたはＴＴＩまたはマイクロタイムスロットまたはシンボルの、位置を示し、
及び/または、
前記第１指示フィールドは、前記ＡＣＫ/ＮＡＣＫフィードバック情報の伝送に占有すべき１番目のシンボルの位置を示し、前記ＡＣＫ/ＮＡＣＫフィードバック情報は、前記１番目のシンボルを起点とする連続Ａ個のアップリンクシンボルを占有し、前記Ａは正整数であり、または、
前記第１指示フィールドは、前記ＡＣＫ/ＮＡＣＫフィードバック情報の伝送に占有すべき１番目のＴＴＩの位置を示し、前記ＡＣＫ/ＮＡＣＫフィードバック情報は、前記１番目のＴＴＩを起点とする連続Ａ個のアップリンクＴＴＩを占有し、または、
前記第１指示フィールドは、前記ＡＣＫ/ＮＡＣＫフィードバック情報の伝送に占有すべき１番目のスロットの位置を示し、前記ＡＣＫ/ＮＡＣＫフィードバック情報は、前記１番目のスロットを起点とする連続Ａ個のスロットを占有し、または、
前記第１指示フィールドは、前記ＡＣＫ/ＮＡＣＫフィードバック情報の伝送に占有すべき１番目のマイクロタイムスロットの位置を示し、前記ＡＣＫ/ＮＡＣＫフィードバック情報は、前記１番目のマイクロタイムスロットを起点とする連続Ａ個のマイクロタイムスロットを占有し、または、
前記第１指示フィールドは、前記ＡＣＫ/ＮＡＣＫフィードバック情報の伝送に占有すべき１番目のサブフレームの位置を示し、前記ＡＣＫ/ＮＡＣＫフィードバック情報は、前記１番目のサブフレームを起点とする連続Ａ個のサブフレームを占有することを特徴とする請求項７に記載のＡＣＫ/ＮＡＣＫのフィードバック方法。
【請求項９】
2019509699.tif 000042
【請求項１０】
前記基地局第１ＴＴＩ長及び/または第２ＴＴＩ長に基づき、前記第１指示フィールドにより示される、ＡＣＫ/ＮＡＣＫフィードバック情報の時間領域位置が所在する無線フレームまたはハーフフレームまたはサブフレームまたはスロットまたはマイクロタイムスロットまたはシンボルの、位置を確定するステップをさらに備え、
前記第１ＴＴＩ長は、前記第１物理ダウンリンク制御チャネル及び/または前記第１物理ダウンリンク制御チャネルに対応する第１物理ダウンリンク共有チャネルのＴＴＩ長であり、前記第２ＴＴＩ長は、予め設定されたかまたは約定された、ＡＣＫ/ＮＡＣＫフィードバック情報の時間領域位置を確定するためのＴＴＩ長であり、
または、
前記基地局前記第１物理ダウンリンク制御チャネルを伝送するサブフレーム番号及び/またはＴＴＩ番号及び/またはシンボル番号及び/またはスロット番号及び/またはマイクロタイムスロット番号、及び、前記第１指示フィールドにより示される、ＡＣＫ/ＮＡＣＫフィードバック情報の時間領域位置のサブフレーム番号及び/またはＴＴＩ番号及び/またはシンボル番号及び/またはスロット番号及び/またはマイクロタイムスロット番号の大小順または前後順に基づき、前記第１指示フィールドにより示される、ＡＣＫ/ＮＡＣＫフィードバック情報の時間領域位置が所在する無線フレームまたはハーフフレームまたはサブフレームまたはＴＴＩまたはスロットまたはマイクロタイムスロットまたはシンボルの位置を、確定するステップをさらに備えることを特徴とする請求項７に記載のＡＣＫ/ＮＡＣＫのフィードバック方法。
【請求項１１】
前記ＡＣＫ/ＮＡＣＫフィードバック情報の時間領域位置は以下方式のうちの１つまたはこれらの組み合わせであり、
前記ＡＣＫ/ＮＡＣＫフィードバック情報の時間領域位置が所在する無線フレームは、前記第１物理ダウンリンク制御チャネルまたは前記第１物理ダウンリンク制御チャネルに対応する第１物理ダウンリンク共有チャネルを伝送する無線フレームであるか、または、前記第１物理ダウンリンク制御チャネルまたは前記第１物理ダウンリンク制御チャネルに対応する第１物理ダウンリンク共有チャネルを伝送する無線フレームの以後のｎ１番目の無線フレームであり、前記ｎ１は正整数であり、
前記ＡＣＫ/ＮＡＣＫフィードバック情報の時間領域位置が所在するハーフフレームは、前記第１物理ダウンリンク制御チャネルまたは前記第１物理ダウンリンク制御チャネルに対応する第１物理ダウンリンク共有チャネルを伝送するハーフフレームであるか、または、前記第１物理ダウンリンク制御チャネルまたは前記第１物理ダウンリンク制御チャネルに対応する第１物理ダウンリンク共有チャネルを伝送するハーフフレームの以後のｎ２番目のハーフフレームであり、前記ｎ２は正整数であり、
前記ＡＣＫ/ＮＡＣＫフィードバック情報の時間領域位置が所在するサブフレームは、前記第１物理ダウンリンク制御チャネルまたは前記第１物理ダウンリンク制御チャネルに対応する第１物理ダウンリンク共有チャネルを伝送するサブフレームであるか、または、前記第１物理ダウンリンク制御チャネルまたは前記第１物理ダウンリンク制御チャネルに対応する第１物理ダウンリンク共有チャネルを伝送するサブフレームの以後のｎ３番目のサブフレームであり、前記ｎ３は正整数であり、
前記ＡＣＫ/ＮＡＣＫフィードバック情報の時間領域位置が所在するスロットは、前記第１物理ダウンリンク制御チャネルまたは前記第１物理ダウンリンク制御チャネルに対応する第１物理ダウンリンク共有チャネルを伝送するスロットであるか、または、前記第１物理ダウンリンク制御チャネルまたは前記第１物理ダウンリンク制御チャネルに対応する第１物理ダウンリンク共有チャネルを伝送するスロットの以後のｎ４番目のスロットであり、前記ｎ４は正整数であり、
前記ＡＣＫ/ＮＡＣＫフィードバック情報の時間領域位置が所在するマイクロタイムスロットは、前記第１物理ダウンリンク制御チャネルまたは前記第１物理ダウンリンク制御チャネルに対応する第１物理ダウンリンク共有チャネルを伝送するマイクロタイムスロットであるか、または、前記第１物理ダウンリンク制御チャネルまたは前記第１物理ダウンリンク制御チャネルに対応する第１物理ダウンリンク共有チャネルを伝送するマイクロタイムスロットの以後のｎ５番目のマイクロタイムスロットであり、前記ｎ５は正整数であり、
前記ＡＣＫ/ＮＡＣＫフィードバック情報の時間領域位置が所在するＴＴＩは、前記第１物理ダウンリンク制御チャネルまたは前記第１物理ダウンリンク制御チャネルに対応する第１物理ダウンリンク共有チャネルを伝送するＴＴＩであるか、または、前記第１物理ダウンリンク制御チャネルまたは前記第１物理ダウンリンク制御チャネルに対応する第１物理ダウンリンク共有チャネルを伝送するＴＴＩの以後のｎ６番目個のＴＴＩであり、前記ｎ６は正整数であり、
前記ＡＣＫ/ＮＡＣＫフィードバック情報の時間領域位置が所在するシンボルは、前記第１物理ダウンリンク制御チャネルまたは前記第１物理ダウンリンク制御チャネルに対応する第１物理ダウンリンク共有チャネルを伝送するシンボルであるか、または、前記第１物理ダウンリンク制御チャネルまたは前記第１物理ダウンリンク制御チャネルに対応する第１物理ダウンリンク共有チャネルを伝送するシンボルの以後のｎ７番目のシンボルであり、前記ｎ７は正整数であることを特徴とする請求項８または請求項１０に記載のＡＣＫ/ＮＡＣＫのフィードバック方法。
【請求項１２】
前記基地局が、前記端末の複数の前記第１物理ダウンリンク制御チャネルの第１指示フィールドにより示される、ＡＣＫ/ＮＡＣＫフィードバック情報の時間領域位置が同様であると確定すれば、前記方法は、
前記基地局前記複数の前記第１物理ダウンリンク制御チャネルのＤＣＩに含まれるダウンリンク割り当てインデックス（ＤＡＩ）指示フィールドに基づき、前記複数の前記第１物理ダウンリンク制御チャネルのうちの各々第１物理ダウンリンク制御チャネルまたは各々第１物理ダウンリンク制御チャネルに対応する第１物理ダウンリンク共有チャネルのＡＣＫ/ＮＡＣＫフィードバック情報のカスケード・シーケンスを確定し、確定された前記カスケード・シーケンスに基づき、前記時間領域位置において受信したＡＣＫ/ＮＡＣＫフィードバック情報を分析するステップをさらに備えることを特徴とする請求項７に記載のＡＣＫ/ＮＡＣＫのフィードバック方法。
【請求項１３】
第１物理ダウンリンク制御チャネルを受信し、前記第１物理ダウンリンク制御チャネルのダウンリンク制御情報ＤＣＩに第１指示フィールドが含まれ、前記第１指示フィールドは、ＡＣＫ/ＮＡＣＫフィードバック情報の時間領域位置を確定するためのものである受信モジュールと、
前記第１指示フィールドに基づき、前記第１物理ダウンリンク制御チャネルまたは前記第１物理ダウンリンク制御チャネルに対応する第１物理ダウンリンク共有チャネルのＡＣＫ/ＮＡＣＫフィードバック情報の時間領域位置を確定し、前記ＡＣＫ/ＮＡＣＫフィードバック情報の時間領域位置において、前記ＡＣＫ/ＮＡＣＫフィードバック情報を伝送するフィードバックモジュールとを備えることを特徴とする端末。
【請求項１４】
前記第１指示フィールドは、ＡＣＫ/ＮＡＣＫフィードバック情報を伝送することができるＫ個の時間領域位置を示し、前記Ｋは正整数であり、
前記第１指示フィールドは、前記ＡＣＫ/ＮＡＣＫフィードバック情報を伝送する時間領域位置が所在する無線フレームまたはハーフフレームまたはサブフレームまたはスロットまたはＴＴＩまたはマイクロタイムスロットまたはシンボルの、位置を示し、
前記第１指示フィールドは、前記ＡＣＫ/ＮＡＣＫフィードバック情報の伝送に占有すべき１番目のシンボルの位置を示し、前記ＡＣＫ/ＮＡＣＫフィードバック情報は、前記１番目のシンボルを起点とする連続Ａ個のアップリンクシンボルを占有し、前記Ａは正整数であり、または、
前記第１指示フィールドは、前記ＡＣＫ/ＮＡＣＫフィードバック情報の伝送に占有すべき１番目のＴＴＩの位置を示し、前記ＡＣＫ/ＮＡＣＫフィードバック情報は、前記１番目のＴＴＩを起点とする連続Ａ個のアップリンクＴＴＩを占有し、または、
前記第１指示フィールドは、前記ＡＣＫ/ＮＡＣＫフィードバック情報の伝送に占有すべき１番目のスロットの位置を示し、前記ＡＣＫ/ＮＡＣＫフィードバック情報は、前記１番目のスロットを起点とする連続Ａ個のスロットを占有し、または、
前記第１指示フィールドは、前記ＡＣＫ/ＮＡＣＫフィードバック情報の伝送に占有すべき１番目のマイクロタイムスロットの位置を示し、前記ＡＣＫ/ＮＡＣＫフィードバック情報は、前記１番目のマイクロタイムスロットを起点とする連続Ａ個のマイクロタイムスロットを占有し、または、
前記第１指示フィールドは、前記ＡＣＫ/ＮＡＣＫフィードバック情報の伝送に占有すべき１番目のサブフレームの位置を示し、前記ＡＣＫ/ＮＡＣＫフィードバック情報は、前記１番目のサブフレームを起点とする連続Ａ個のサブフレームを占有することを特徴とする請求項１３に記載の端末。
【請求項１５】
2019509699.tif 000043
【請求項１６】
前記フィードバックモジュールは、
第１ＴＴＩ長及び/または第２ＴＴＩ長に基づき、前記第１指示フィールドにより示される、ＡＣＫ/ＮＡＣＫフィードバック情報の時間領域位置が所在する無線フレームまたはハーフフレームまたはサブフレームまたはスロットまたはマイクロタイムスロットまたはシンボルの、位置を確定し、前記第１ＴＴＩ長は、前記第１物理ダウンリンク制御チャネル及び/または前記第１物理ダウンリンク制御チャネルに対応する第１物理ダウンリンク共有チャネルのＴＴＩ長であり、前記第２ＴＴＩ長は、予め設定されたかまたは約定された、ＡＣＫ/ＮＡＣＫフィードバック情報の時間領域位置を確定するためのＴＴＩ長であり、
または、
前記フィードバックモジュールは、
前記第１物理ダウンリンク制御チャネルを伝送するサブフレーム番号及び/またはＴＴＩ番号及び/またはシンボル番号及び/またはスロット番号及び/またはマイクロタイムスロット番号、及び、前記第１指示フィールドにより示される、ＡＣＫ/ＮＡＣＫフィードバック情報の時間領域位置のサブフレーム番号及び/またはＴＴＩ番号及び/またはシンボル番号及び/またはスロット番号及び/またはマイクロタイムスロット番号の大小順または前後順に基づき、前記第１指示フィールドにより示される、ＡＣＫ/ＮＡＣＫフィードバック情報の時間領域位置が所在する無線フレームまたはハーフフレームまたはサブフレームまたはＴＴＩまたはスロットまたはマイクロタイムスロットまたはシンボルの位置を、確定することを特徴とする請求項１３に記載の端末。
【請求項１７】
前記ＡＣＫ/ＮＡＣＫフィードバック情報の時間領域位置は以下方式のうちの１つまたはこれらの組み合わせであり、
前記ＡＣＫ/ＮＡＣＫフィードバック情報の時間領域位置が所在する無線フレームは、前記第１物理ダウンリンク制御チャネルまたは前記第１物理ダウンリンク制御チャネルに対応する第１物理ダウンリンク共有チャネルを伝送する無線フレームであるか、または、前記第１物理ダウンリンク制御チャネルまたは前記第１物理ダウンリンク制御チャネルに対応する第１物理ダウンリンク共有チャネルを伝送する無線フレームの以後のｎ１番目の無線フレームであり、前記ｎ１は正整数であり、
前記ＡＣＫ/ＮＡＣＫフィードバック情報の時間領域位置が所在するハーフフレームは、前記第１物理ダウンリンク制御チャネルまたは前記第１物理ダウンリンク制御チャネルに対応する第１物理ダウンリンク共有チャネルを伝送するハーフフレームであるか、または、前記第１物理ダウンリンク制御チャネルまたは前記第１物理ダウンリンク制御チャネルに対応する第１物理ダウンリンク共有チャネルを伝送するハーフフレームの以後のｎ２番目のハーフフレームであり、前記ｎ２は正整数であり、
前記ＡＣＫ/ＮＡＣＫフィードバック情報の時間領域位置が所在するサブフレームは、前記第１物理ダウンリンク制御チャネルまたは前記第１物理ダウンリンク制御チャネルに対応する第１物理ダウンリンク共有チャネルを伝送するサブフレームであるか、または、前記第１物理ダウンリンク制御チャネルまたは前記第１物理ダウンリンク制御チャネルに対応する第１物理ダウンリンク共有チャネルを伝送するサブフレームの以後のｎ３番目のサブフレームであり、前記ｎ３は正整数であり、
前記ＡＣＫ/ＮＡＣＫフィードバック情報の時間領域位置が所在するスロットは、前記第１物理ダウンリンク制御チャネルまたは前記第１物理ダウンリンク制御チャネルに対応する第１物理ダウンリンク共有チャネルを伝送するスロットであるか、または、前記第１物理ダウンリンク制御チャネルまたは前記第１物理ダウンリンク制御チャネルに対応する第１物理ダウンリンク共有チャネルを伝送するスロットの以後のｎ４番目のスロットであり、前記ｎ４は正整数であり、
前記ＡＣＫ/ＮＡＣＫフィードバック情報の時間領域位置が所在するマイクロタイムスロットは、前記第１物理ダウンリンク制御チャネルまたは前記第１物理ダウンリンク制御チャネルに対応する第１物理ダウンリンク共有チャネルを伝送するマイクロタイムスロットであるか、または、前記第１物理ダウンリンク制御チャネルまたは前記第１物理ダウンリンク制御チャネルに対応する第１物理ダウンリンク共有チャネルを伝送するマイクロタイムスロットの以後のｎ５番目のマイクロタイムスロットであり、前記ｎ５は正整数であり、
前記ＡＣＫ/ＮＡＣＫフィードバック情報の時間領域位置が所在するＴＴＩは、前記第１物理ダウンリンク制御チャネルまたは前記第１物理ダウンリンク制御チャネルに対応する第１物理ダウンリンク共有チャネルを伝送するＴＴＩであるか、または、前記第１物理ダウンリンク制御チャネルまたは前記第１物理ダウンリンク制御チャネルに対応する第１物理ダウンリンク共有チャネルを伝送するＴＴＩの以後のｎ６番目個のＴＴＩであり、前記ｎ６は正整数であり、
前記ＡＣＫ/ＮＡＣＫフィードバック情報の時間領域位置が所在するシンボルは、前記第１物理ダウンリンク制御チャネルまたは前記第１物理ダウンリンク制御チャネルに対応する第１物理ダウンリンク共有チャネルを伝送するシンボルであるか、または、前記第１物理ダウンリンク制御チャネルまたは前記第１物理ダウンリンク制御チャネルに対応する第１物理ダウンリンク共有チャネルを伝送するシンボルの以後のｎ７番目のシンボルであり、前記ｎ７は正整数であることを特徴とする請求項１４または請求項１６に記載の端末。
【請求項１８】
前記フィードバックモジュールは、
前記端末が複数の前記第１物理ダウンリンク制御チャネルの第１指示フィールドそれぞれに基づいて確定したＡＣＫ/ＮＡＣＫフィードバック情報の時間領域位置が同様であれば、前記複数の前記第１物理ダウンリンク制御チャネルのＤＣＩに含まれるダウンリンク割り当てインデックス（ＤＡＩ）指示フィールドに基づき、前記複数の前記第１物理ダウンリンク制御チャネルのうちの各々第１物理ダウンリンク制御チャネルまたは各々第１物理ダウンリンク制御チャネルに対応する第１物理ダウンリンク共有チャネルのＡＣＫ/ＮＡＣＫフィードバック情報をカスケードした後、前記ＡＣＫ/ＮＡＣＫフィードバック情報の時間領域位置において伝送することを特徴とする請求項１３に記載の端末。
【請求項１９】
端末に第１物理ダウンリンク制御チャネルを送信し、前記第１物理ダウンリンク制御チャネルのダウンリンク制御情報ＤＣＩに第１指示フィールドが含まれ、前記第１指示フィールドは、ＡＣＫ/ＮＡＣＫフィードバック情報の時間領域位置を確定するためのものである送信モジュールと、
前記第１指示フィールドに基づいて確定されたＡＣＫ/ＮＡＣＫフィードバック情報の時間領域位置において、前記端末からフィードバックされた前記第１物理ダウンリンク制御チャネルまたは前記第１物理ダウンリンク制御チャネルに対応する第１物理ダウンリンク共有チャネルのＡＣＫ/ＮＡＣＫフィードバック情報を、受信する受信モジュールとを備えることを特徴とする基地局。
【請求項２０】
前記第１指示フィールドは、ＡＣＫ/ＮＡＣＫフィードバック情報を伝送することができるＫ個の時間領域位置を示し、前記Ｋは正整数であり、
及び/または、
前記第１指示フィールドは、前記ＡＣＫ/ＮＡＣＫフィードバック情報を伝送する時間領域位置が所在する無線フレームまたはハーフフレームまたはサブフレームまたはスロットまたはＴＴＩまたはマイクロタイムスロットまたはシンボルの、位置を示し、
及び/または、
前記第１指示フィールドは、前記ＡＣＫ/ＮＡＣＫフィードバック情報の伝送に占有すべき１番目のシンボルの位置を示し、前記ＡＣＫ/ＮＡＣＫフィードバック情報は、前記１番目のシンボルを起点とする連続Ａ個のアップリンクシンボルを占有し、前記Ａは正整数であり、または、
前記第１指示フィールドは、前記ＡＣＫ/ＮＡＣＫフィードバック情報の伝送に占有すべき１番目のＴＴＩの位置を示し、前記ＡＣＫ/ＮＡＣＫフィードバック情報は、前記１番目のＴＴＩを起点とする連続Ａ個のアップリンクＴＴＩを占有し、または、
前記第１指示フィールドは、前記ＡＣＫ/ＮＡＣＫフィードバック情報の伝送に占有すべき１番目のスロットの位置を示し、前記ＡＣＫ/ＮＡＣＫフィードバック情報は、前記１番目のスロットを起点とする連続Ａ個のスロットを占有し、または、
前記第１指示フィールドは、前記ＡＣＫ/ＮＡＣＫフィードバック情報の伝送に占有すべき１番目のマイクロタイムスロットの位置を示し、前記ＡＣＫ/ＮＡＣＫフィードバック情報は、前記１番目のマイクロタイムスロットを起点とする連続Ａ個のマイクロタイムスロットを占有し、または、
前記第１指示フィールドは、前記ＡＣＫ/ＮＡＣＫフィードバック情報の伝送に占有すべき１番目のサブフレームの位置を示し、前記ＡＣＫ/ＮＡＣＫフィードバック情報は、前記１番目のサブフレームを起点とする連続Ａ個のサブフレームを占有することを特徴とする請求項１９に記載の基地局。
【請求項２１】
2019509699.tif 000044
【請求項２２】
処理モジュールをさらに備え、
前記処理モジュールは、第１ＴＴＩ長及び/または第２ＴＴＩ長に基づき、前記第１指示フィールドにより示される、ＡＣＫ/ＮＡＣＫフィードバック情報の時間領域位置が所在する無線フレームまたはハーフフレームまたはサブフレームまたはスロットまたはマイクロタイムスロットまたはシンボルの、位置を確定し、前記第１ＴＴＩ長は、前記第１物理ダウンリンク制御チャネル及び/または前記第１物理ダウンリンク制御チャネルに対応する第１物理ダウンリンク共有チャネルのＴＴＩ長であり、前記第２ＴＴＩ長は、予め設定されたかまたは約定された、ＡＣＫ/ＮＡＣＫフィードバック情報の時間領域位置を確定するためのＴＴＩ長であり、
または、
処理モジュールをさらに備え、
前記処理モジュールは、前記第１物理ダウンリンク制御チャネルを伝送するサブフレーム番号及び/またはＴＴＩ番号及び/またはシンボル番号及び/またはスロット番号及び/またはマイクロタイムスロット番号、及び、前記第１指示フィールドにより示される、ＡＣＫ/ＮＡＣＫフィードバック情報の時間領域位置のサブフレーム番号及び/またはＴＴＩ番号及び/またはシンボル番号及び/またはスロット番号及び/またはマイクロタイムスロット番号の大小順または前後順に基づき、前記第１指示フィールドにより示される、ＡＣＫ/ＮＡＣＫフィードバック情報の時間領域位置が所在する無線フレームまたはハーフフレームまたはサブフレームまたはＴＴＩまたはスロットまたはマイクロタイムスロットまたはシンボルの位置を、確定することを特徴とする請求項１９に記載の基地局。
【請求項２３】
前記ＡＣＫ/ＮＡＣＫフィードバック情報の時間領域位置は以下方式のうちの１つまたはこれらの組み合わせであり、
前記ＡＣＫ/ＮＡＣＫフィードバック情報の時間領域位置が所在する無線フレームは、前記第１物理ダウンリンク制御チャネルまたは前記第１物理ダウンリンク制御チャネルに対応する第１物理ダウンリンク共有チャネルを伝送する無線フレームであるか、または、前記第１物理ダウンリンク制御チャネルまたは前記第１物理ダウンリンク制御チャネルに対応する第１物理ダウンリンク共有チャネルを伝送する無線フレームの以後のｎ１番目の無線フレームであり、前記ｎ１は正整数であり、
前記ＡＣＫ/ＮＡＣＫフィードバック情報の時間領域位置が所在するハーフフレームは、前記第１物理ダウンリンク制御チャネルまたは前記第１物理ダウンリンク制御チャネルに対応する第１物理ダウンリンク共有チャネルを伝送するハーフフレームであるか、または、前記第１物理ダウンリンク制御チャネルまたは前記第１物理ダウンリンク制御チャネルに対応する第１物理ダウンリンク共有チャネルを伝送するハーフフレームの以後のｎ２番目のハーフフレームであり、前記ｎ２は正整数であり、
前記ＡＣＫ/ＮＡＣＫフィードバック情報の時間領域位置が所在するサブフレームは、前記第１物理ダウンリンク制御チャネルまたは前記第１物理ダウンリンク制御チャネルに対応する第１物理ダウンリンク共有チャネルを伝送するサブフレームであるか、または、前記第１物理ダウンリンク制御チャネルまたは前記第１物理ダウンリンク制御チャネルに対応する第１物理ダウンリンク共有チャネルを伝送するサブフレームの以後のｎ３番目のサブフレームであり、前記ｎ３は正整数であり、
前記ＡＣＫ/ＮＡＣＫフィードバック情報の時間領域位置が所在するスロットは、前記第１物理ダウンリンク制御チャネルまたは前記第１物理ダウンリンク制御チャネルに対応する第１物理ダウンリンク共有チャネルを伝送するスロットであるか、または、前記第１物理ダウンリンク制御チャネルまたは前記第１物理ダウンリンク制御チャネルに対応する第１物理ダウンリンク共有チャネルを伝送するスロットの以後のｎ４番目のスロットであり、前記ｎ４は正整数であり、
前記ＡＣＫ/ＮＡＣＫフィードバック情報の時間領域位置が所在するマイクロタイムスロットは、前記第１物理ダウンリンク制御チャネルまたは前記第１物理ダウンリンク制御チャネルに対応する第１物理ダウンリンク共有チャネルを伝送するマイクロタイムスロットであるか、または、前記第１物理ダウンリンク制御チャネルまたは前記第１物理ダウンリンク制御チャネルに対応する第１物理ダウンリンク共有チャネルを伝送するマイクロタイムスロットの以後のｎ５番目のマイクロタイムスロットであり、前記ｎ５は正整数であり、
前記ＡＣＫ/ＮＡＣＫフィードバック情報の時間領域位置が所在するＴＴＩは、前記第１物理ダウンリンク制御チャネルまたは前記第１物理ダウンリンク制御チャネルに対応する第１物理ダウンリンク共有チャネルを伝送するＴＴＩであるか、または、前記第１物理ダウンリンク制御チャネルまたは前記第１物理ダウンリンク制御チャネルに対応する第１物理ダウンリンク共有チャネルを伝送するＴＴＩの以後のｎ６番目個のＴＴＩであり、前記ｎ６は正整数であり、
前記ＡＣＫ/ＮＡＣＫフィードバック情報の時間領域位置が所在するシンボルは、前記第１物理ダウンリンク制御チャネルまたは前記第１物理ダウンリンク制御チャネルに対応する第１物理ダウンリンク共有チャネルを伝送するシンボルであるか、または、前記第１物理ダウンリンク制御チャネルまたは前記第１物理ダウンリンク制御チャネルに対応する第１物理ダウンリンク共有チャネルを伝送するシンボルの以後のｎ７番目のシンボルであり、前記ｎ７は正整数であることを特徴とする請求項２０または請求項２２に記載の基地局。
【請求項２４】
処理モジュールをさらに備え、
前記処理モジュールは、前記基地局が、前記端末の複数の前記第１物理ダウンリンク制御チャネルの第１指示フィールドにより示される、ＡＣＫ/ＮＡＣＫフィードバック情報の時間領域位置が同様であると確定すれば、前記複数の前記第１物理ダウンリンク制御チャネルのＤＣＩに含まれるダウンリンク割り当てインデックス（ＤＡＩ）指示フィールドに基づき、前記複数の前記第１物理ダウンリンク制御チャネルのうちの各々第１物理ダウンリンク制御チャネルまたは各々第１物理ダウンリンク制御チャネルに対応する第１物理ダウンリンク共有チャネルのＡＣＫ/ＮＡＣＫフィードバック情報のカスケード・シーケンスを確定し、確定された前記カスケード・シーケンスに基づき、前記時間領域位置において受信したＡＣＫ/ＮＡＣＫフィードバック情報を分析することを特徴とする請求項１９に記載の基地局。
【国際調査報告】
2019509699.tif 000045
2019509699.tif 000046
2019509699.tif 000047
2019509699.tif 000048